(57)【要約】【課題】暗証番号を入力する際に盗み見られても、他人に具体的な暗証番号が特定できない暗証入力装置、暗証入力方法、暗証入力システム、この暗証入力装置を備えた台間機、データ公開機、計数機、景品払出機、精算機を提供することを目的とする。【解決手段】入力部のうち、少なくとも１つに予め複数の暗証情報に対応する入力部を備えた暗証入力部４０を備え、予め設定された暗証情報を特定可能な情報が記憶された記憶媒体を受け入れ、記憶媒体から暗証情報を特定可能な情報を読み取り、この読み取られた暗証情報を特定可能な情報によって暗証情報を特定し、入力部から時系列順に入力された所定の回における暗証情報のうちの１つが、特定された所定の回に対応する暗証情報に一致するか否かを判定する。これによって、暗証番号を入力する際に盗み見られても、他人には具体的な暗証番号を特定されない。【選択図】図３
2007065930.tif 000002
【特許請求の範囲】
【請求項１】
暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行可能な暗証入力装置であって、
前記入力部のうち、少なくとも１つに予め複数の暗証情報に対応する入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記入力部から時系列順に入力された所定の回における暗証情報のうちの１つが、前記暗証情報特定手段によって特定された前記所定の回に対応する暗証情報に一致するか否かを判定する認証情報判定手段と
を具備することを特徴とする暗証入力装置。
【請求項２】
前記各入力部に表記されている文字を変更可能であることを特徴とする請求項１記載の暗証入力装置。
【請求項３】
前記暗証入力装置が、暗証情報を登録する際に、１つの入力部に１つの暗証情報が設定された時系列順に暗証情報を登録可能な暗証登録用入力部をさらに具備することを特徴とする請求項１または２記載の暗証入力装置。
【請求項４】
暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、
前記暗証入力装置が、
前記入力部のうち、少なくとも１つに予め複数の暗証情報に対応する入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記入力部から時系列順に入力された所定の回における暗証情報のうちの１つが、前記暗証情報特定手段によって特定された前記所定の回に対応する暗証情報に一致するか否かを判定する認証情報判定手段と
を具備し、
前記処理装置が、
１つの入力部に１つの暗証情報が設定された複数の入力部を備えた第２の暗証入力部と、
予め設定された暗証情報を特定可能な情報が記憶された記憶媒体から前記暗証情報を特定可能な情報を読み取る第２の暗証特定情報読取手段と、
前記第２の暗証特定情報読取手段によって読み取られた暗証情報を特定可能な情報によって暗証情報を特定する第２の暗証情報特定手段と、
前記第２の暗証入力部から時系列順に入力された情報が、前記暗証情報を特定可能な情報より特定された暗証情報に一致するか否かを判定する第２の認証情報判定手段と
を具備することを特徴とする暗証入力システム。
【請求項５】
暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、
前記暗証入力装置が、
前記入力部のうち、少なくとも１つに予め複数の暗証情報に対応する入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記入力部から時系列順に入力された所定の回における暗証情報のうちの１つが、前記暗証情報特定手段によって特定された前記所定の回に対応する暗証情報に一致するか否かを判定する認証情報判定手段と
を具備し、
前記処理装置が、
入力部のうち、少なくとも１つに、前記暗証入力装置における入力部に設定された暗証情報とは異なる組み合わせの複数の暗証情報に対応する入力部を備えた第２の暗証入力部と、
予め設定された暗証情報を特定可能な情報が記憶された記憶媒体から前記暗証情報を特定可能な情報を読み取る第２の暗証特定情報読取手段と、
前記第２の暗証特定情報読取手段によって読み取られた暗証情報を特定可能な情報によって暗証情報を特定する第２の暗証情報特定手段と、
前記第２の暗証入力部から時系列順に入力された所定の回における暗証情報のうちの１つが、前記第２の暗証情報特定手段によって特定された前記所定の回に対応する暗証情報に一致するか否かを判定する第２の認証情報判定手段と
を具備することを特徴とする暗証入力システム。
【請求項６】
前記暗証入力装置が、暗証情報を登録する際に、１つの入力部に１つの暗証情報が設定された時系列順に暗証情報を登録可能な暗証登録用入力部をさらに具備することを特徴とする請求項４または５記載の暗証入力システム。
【請求項７】
暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、
前記暗証入力装置が、
１つの入力部に１つの暗証情報が設定された複数の入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された情報が、前記暗証情報を特定可能な情報より特定された暗証情報に一致するか否かを判定する認証情報判定手段と
を具備し、
前記処理装置が、
入力部のうち、少なくとも１つに予め複数の暗証情報に対応する入力部を備えた第２の暗証入力部と、
予め設定された暗証情報を特定可能な情報が記憶された記憶媒体から前記暗証情報を特定可能な情報を読み取る第２の暗証特定情報読取手段と、
前記第２の暗証特定情報読取手段によって読み取られた暗証情報を特定可能な情報によって暗証情報を特定する第２の暗証情報特定手段と、
前記入力部から時系列順に入力された所定の回における暗証情報のうちの１つが、前記暗証情報特定手段によって特定された前記所定の回に対応する暗証情報に一致するか否かを判定する第２の認証情報判定手段と
を具備することを特徴とする暗証入力システム。
【請求項８】
請求項１乃至３にいずれか１項記載の暗証入力装置と通信可能に接続され、記憶媒体から読み取った有価価値を特定可能な情報により特定された有価価値を現金に精算する精算機であって、
１つの入力部に１つの暗証情報が設定され、時系列順に暗証情報を入力可能な複数の入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された情報が、前記暗証情報を特定可能な情報より特定された暗証情報に一致するか否かを判定する認証情報判定手段と
を具備することを特徴とする精算機。
【請求項９】
請求項１乃至３にいずれか１項記載の暗証入力装置と通信可能に接続され、記憶媒体から読み取った有価価値を特定可能な情報により特定された有価価値を現金に精算する精算機であって、
入力部のうち、少なくとも１つに、前記暗証入力装置における入力部に設定された暗証情報とは異なる組み合わせの複数の暗証情報に対応する入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された所定の回における暗証情報のうちの１つが、前記暗証情報特定手段によって特定された前記所定の回に対応する暗証情報に一致するか否かを判定する認証情報判定手段と
を具備することを特徴とする精算機。
【請求項１０】
請求項１乃至３にいずれか１項記載の暗証入力装置と通信可能に接続され、記憶媒体から読み取った獲得した遊技媒体数を特定可能な情報により特定された獲得した遊技媒体数に基づいて景品を払い出す景品払出機であって、
１つの入力部に１つの暗証情報が設定され、時系列順に暗証情報を入力可能な複数の入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された情報が、前記暗証情報を特定可能な情報より特定された暗証情報に一致するか否かを判定する認証情報判定手段と
を具備することを特徴とする景品払出機。
【請求項１１】
請求項１乃至３にいずれか１項記載の暗証入力装置と通信可能に接続され、記憶媒体から読み取った獲得した遊技媒体数を特定可能な情報により特定された獲得した遊技媒体数に基づいて景品を払い出す景品払出機であって、
入力部のうち、少なくとも１つに、前記暗証入力装置における入力部に設定された暗証情報とは異なる組み合わせの複数の暗証情報に対応する入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された所定の回における暗証情報のうちの１つが、前記暗証情報特定手段によって特定された前記所定の回に対応する暗証情報に一致するか否かを判定する認証情報判定手段と
を具備することを特徴とする景品払出機。
【請求項１２】
請求項１乃至３にいずれか１項記載の暗証入力装置と通信可能に接続され、遊技媒体数を計数する計数機であって、
１つの入力部に１つの暗証情報が設定され、時系列順に暗証情報を入力可能な複数の入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された情報が、前記暗証情報を特定可能な情報より特定された暗証情報に一致するか否かを判定する認証情報判定手段と
を具備することを特徴とする計数機。
【請求項１３】
請求項１乃至３にいずれか１項記載の暗証入力装置と通信可能に接続され、遊技媒体数を計数する計数機であって、
入力部のうち、少なくとも１つに、前記暗証入力装置における入力部に設定された暗証情報とは異なる組み合わせの複数の暗証情報に対応する入力部を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された所定の回における暗証情報のうちの１つが、前記暗証情報特定手段によって特定された前記所定の回に対応する暗証情報に一致するか否かを判定する認証情報判定手段と
を具備することを特徴とする計数機。
【請求項１４】
暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行する暗証入力方法であって、
前記入力部のうち、少なくとも１つに予め複数の暗証情報に対応する入力部を備え、前記入力部から時系列順に暗証情報を入力する暗証入力ステップと、
予め設定された暗証情報を特定可能な情報が記憶された記憶媒体から前記暗証情報を特定可能な情報を読み取る暗証特定情報読取ステップと、
前記暗証特定情報読取ステップにおいて読み取られた暗証情報を特定可能な情報によって暗証情報を特定する暗証情報特定ステップと、
前記入力部から時系列順に入力された所定の回における暗証情報のうちの１つが、前記暗証情報特定ステップにおいて特定された前記所定の回に対応する暗証情報に一致するか否かを判定する認証情報判定ステップと
を具備することを特徴とする暗証入力方法。
【請求項１５】
前記暗証入力方法において、
１つの入力部に１つの暗証情報が設定された時系列順に暗証情報を登録可能な暗証登録用入力部が備えられ、前記入力部から時系列順に暗証情報を入力する暗証登録用入力ステップをさらに具備することを特徴とする請求項１４記載の暗証入力方法。
【請求項１６】
暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置であって、
押圧を検知する多数の検知部を有するタッチパネルと、
前記タッチパネルの所定の複数の検知部毎に、入力領域が区分され、前記入力領域のうち、少なくとも１つに予め複数の暗証情報に対応する入力領域を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記入力領域から時系列順に入力された所定の回における暗証情報のうちの１つが、前記暗証情報特定手段によって特定された前記所定の回に対応する暗証情報に一致するか否かを判定する認証情報判定手段と
を具備することを特徴とする暗証入力装置。
【請求項１７】
暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置であって、
押圧を検知する多数の検知部を有するタッチパネルと、
前記タッチパネルの所定の複数の検知部毎に、入力領域が区分され、１つの前記入力領域に１つの暗証情報が設定された複数の入力領域を備え、複数の前記入力領域に亘って押圧を検知した場合に、前記押圧された複数の前記入力領域に設定された複数の暗証情報を入力可能な暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記入力領域から時系列順に入力された所定の回における暗証情報のうちの１つが、前記暗証情報特定手段によって特定された前記所定の回に対応する暗証情報に一致するか否かを判定する認証情報判定手段と
を具備することを特徴とする暗証入力装置。
【請求項１８】
前記暗証入力部が、１つの暗証情報が設定された入力領域を含んで構成され、前記１つの暗証情報が設定された入力領域に係る情報が入力された場合において、前記認証情報判定手段が、前記暗証入力部において入力された情報が前記暗証情報を特定可能な情報より特定された暗証情報に一致するか否かを判定することを特徴とする請求項１６記載の暗証入力装置。
【請求項１９】
前記暗証入力部が、前記１つの暗証情報が設定された入力領域間に、それぞれの暗証情報を含む複数の暗証情報が設定された入力領域を有して構成されていることを特徴とする請求項１６乃至１８記載の暗証入力装置。
【請求項２０】
前記暗証入力部における各入力領域が、複数の暗証情報が設定されていることを特徴とする請求項１６記載の暗証入力装置。
【請求項２１】
前記各入力領域に、その入力領域に設定された数値が表示されていることを特徴とする請求項１６乃至２０のいずれか１項記載の暗証入力装置。
【請求項２２】
前記各入力領域に表示された数値は、変更可能であることを特徴とする請求項２１記載の暗証入力装置。
【請求項２３】
前記暗証入力装置が、暗証情報を登録する際に、１つの入力領域に１つの暗証情報が設定された時系列順に暗証情報を登録可能な暗証登録用入力部をさらに具備することを特徴とする請求項１６乃至２２のいずれか１項記載の暗証入力装置。
【請求項２４】
暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、
前記暗証入力装置が、
押圧を検知する多数の検知部を有するタッチパネルと、
前記タッチパネルの所定の複数の検知部毎に、入力領域が区分され、前記入力領域のうち少なくとも１つに予め複数の暗証情報に対応する入力領域を備えた、または１つの前記入力領域に１つの暗証情報が設定された複数の入力領域を備え、複数の前記入力領域に亘って押圧を検知した場合に、前記押圧された複数の前記入力領域に設定された複数の暗証情報を入力可能な暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記入力領域から時系列順に入力された所定の回における暗証情報のうちの１つが、前記暗証情報特定手段によって特定された前記所定の回に対応する暗証情報に一致するか否かを判定する認証情報判定手段と
を具備し、
前記処理装置が、
押圧を検知する多数の検知部を有する第２のタッチパネルと、
前記第２のタッチパネルの所定の複数の検知部毎に、入力領域が区分され、１つの入力領域に１つの暗証情報が設定され、時系列順に暗証情報を入力可能な複数の入力領域を備えた第２の暗証入力部と、
予め設定された暗証情報を特定可能な情報が記憶された記憶媒体から前記暗証情報を特定可能な情報を読み取る第２の暗証特定情報読取手段と、
前記第２の暗証特定情報読取手段によって読み取られた暗証情報を特定可能な情報によって暗証情報を特定する第２の暗証情報特定手段と、
前記第２の暗証入力部から時系列順に入力された情報が、前記暗証情報を特定可能な情報より特定された暗証情報に一致するか否かを判定する第２の認証情報判定手段と
を具備することを特徴とする暗証入力システム。
【請求項２５】
暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、
前記暗証入力装置が、
押圧を検知する多数の検知部を有するタッチパネルと、
前記タッチパネルの所定の複数の検知部毎に、入力領域が区分され、前記入力領域のうち少なくとも１つに予め複数の暗証情報に対応する入力領域を備えた、または１つの前記入力領域に１つの暗証情報が設定された複数の入力領域を備え、複数の前記入力領域に亘って押圧を検知した場合に、前記押圧された複数の前記入力領域に設定された複数の暗証情報を入力可能な暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記入力領域から時系列順に入力された所定の回における暗証情報のうちの１つが、前記暗証情報特定手段によって特定された前記所定の回に対応する暗証情報に一致するか否かを判定する認証情報判定手段と
を具備し、
前記処理装置が、
押圧を検知する多数の検知部を有する第２のタッチパネルと、
前記第２のタッチパネルの所定の複数の検知部毎に、入力領域が区分され、前記入力領域のうち、少なくとも１つに、前記暗証入力装置における入力領域に設定された暗証情報とは異なる組み合わせの複数の暗証情報に対応する入力領域を備えた第２の暗証入力部と、
予め設定された暗証情報を特定可能な情報が記憶された記憶媒体から前記暗証情報を特定可能な情報を読み取る第２の暗証特定情報読取手段と、
前記第２の暗証特定情報読取手段によって読み取られた暗証情報を特定可能な情報によって暗証情報を特定する第２の暗証情報特定手段と、
前記第２の暗証入力部から時系列順に入力された所定の回における暗証情報のうちの１つが、前記第２の暗証情報特定手段によって特定された前記所定の回に対応する暗証情報に一致するか否かを判定する第２の認証情報判定手段と
を具備することを特徴とする暗証入力システム。
【請求項２６】
前記暗証入力装置が、暗証情報を登録する際に、１つの入力領域に１つの暗証情報が設定された時系列順に暗証情報を登録可能な暗証登録用入力部をさらに具備することを特徴とする請求項２４または２５記載の暗証入力システム。
【請求項２７】
暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、
前記暗証入力装置が、
押圧を検知する多数の検知部を有するタッチパネルと、
前記タッチパネルの所定の複数の検知部毎に、入力領域が区分され、１つの入力領域に１つの暗証情報が設定され、時系列順に暗証情報を入力可能な複数の入力領域を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された情報が、前記暗証情報を特定可能な情報より特定された暗証情報に一致するか否かを判定する認証情報判定手段と
を具備し、
前記処理装置が、
押圧を検知する多数の検知部を有する第２のタッチパネルと、
前記第２のタッチパネルの所定の複数の検知部毎に、入力領域が区分され、前記入力領域のうち少なくとも１つに予め複数の暗証情報に対応する入力領域を備えた、または１つの前記入力領域に１つの暗証情報が設定された複数の入力領域を備え、複数の前記入力領域に亘って押圧を検知した場合に、前記押圧された複数の前記入力領域に設定された複数の暗証情報を入力可能な第２の暗証入力部と、
予め設定された暗証情報を特定可能な情報が記憶された記憶媒体から前記暗証情報を特定可能な情報を読み取る第２の暗証特定情報読取手段と、
前記第２の暗証特定情報読取手段によって読み取られた暗証情報を特定可能な情報によって暗証情報を特定する第２の暗証情報特定手段と、
前記入力領域から時系列順に入力された所定の回における暗証情報のうちの１つが、前記第２の暗証情報特定手段によって特定された前記所定の回に対応する暗証情報に一致するか否かを判定する第２の認証情報判定手段と
を具備することを特徴とする暗証入力システム。
【請求項２８】
前記処理装置が、少なくとも、記憶媒体から読み取った有価価値を特定可能な情報により特定された有価価値を現金に精算する精算機、記憶媒体から読み取った獲得した遊技媒体数を特定可能な情報により特定された獲得した遊技媒体数に基づいて景品を払い出す景品払出機、遊技媒体数を計数する計数機のいずれかであることを特徴とする請求項４乃至７、２４乃至２７のいずれか１項記載の暗証入力システム。
【請求項２９】
前記暗証入力システムにおいて、
前記暗証入力装置および前記処理装置と通信可能に接続され、前記暗証入力装置および前記処理装置からの情報を管理可能な管理装置をさらに具備することを特徴とする請求項４乃至７、２４乃至２７のいずれか１項記載の暗証入力システム。
【請求項３０】
入金された範囲または記憶媒体から読み取った有価価値を特定可能な情報により特定された有価情報の範囲で、遊技媒体を貸し出し可能であり、所要の処理を行う処理装置と通信可能に接続された台間機であって、
請求項１乃至３、１６乃至２３のいずれか１項記載の暗証入力装置を具備することを特徴とする台間機。
【請求項３１】
前記処理装置が、少なくとも、特定された有価価値を現金に精算する精算機、獲得した遊技媒体数に基づいて景品を払い出す景品払出機、遊技媒体数を計数する計数機のいずれかであることを特徴とする請求項３０記載の台間機。
【請求項３２】
遊技に係る情報を検索可能であり、所要の処理を行う処理装置と通信可能に接続されたデータ公開機であって、
請求項１乃至３、１６乃至２３のいずれか１項記載の暗証入力装置を具備することを特徴とするデータ公開機。
【請求項３３】
前記処理装置が、少なくとも、記憶媒体から読み取った有価価値を特定可能な情報により特定された有価価値を現金に精算する精算機、記憶媒体から読み取った獲得した遊技媒体数を特定可能な情報により特定された獲得した遊技媒体数に基づいて景品を払い出す景品払出機、遊技媒体数を計数する計数機のいずれかであることを特徴とする請求項３２記載のデータ公開機。
【請求項３４】
請求項１６乃至２３にいずれか１項記載の暗証入力装置と通信可能に接続され、特定された有価価値を現金に精算する精算機であって、
押圧を検知する多数の検知部を有するタッチパネルと、
前記タッチパネルの所定の複数の検知部毎に、入力領域が区分され、１つの入力領域に１つの暗証情報が設定され、時系列順に暗証情報を入力可能な複数の入力領域を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された情報が、前記暗証情報を特定可能な情報より特定された暗証情報に一致するか否かを判定する認証情報判定手段と
を具備することを特徴とする精算機。
【請求項３５】
請求項１６乃至２３にいずれか１項記載の暗証入力装置と通信可能に接続され、記憶媒体から読み取った有価価値を特定可能な情報により特定された有価価値を現金に精算する精算機であって、
押圧を検知する多数の検知部を有するタッチパネルと、
前記タッチパネルの所定の複数の検知部毎に、入力領域が区分され、前記入力領域のうち、少なくとも１つに、前記暗証入力装置における入力領域に設定された暗証情報とは異なる組み合わせの複数の暗証情報に対応する入力領域を備えた暗証入力部と、
予め設定された暗証情報を特定可能な情報が記憶された記憶媒体から前記暗証情報を特定可能な情報を読み取る暗証特定情報読取手段と、
前記第２の暗証特定情報読取手段によって読み取られた暗証情報を特定可能な情報によって暗証情報を特定する暗証情報特定手段と、
前記暗証入力部から時系列順に入力された所定の回における暗証情報のうちの１つが、前記暗証情報特定手段によって特定された前記所定の回に対応する暗証情報に一致するか否かを判定する認証情報判定手段と
を具備することを特徴とする精算機。
【請求項３６】
請求項１６乃至２３にいずれか１項記載の暗証入力装置と通信可能に接続され、記憶媒体から読み取った獲得した遊技媒体数を特定可能な情報により特定された獲得した遊技媒体数に基づいて景品を払い出す景品払出機であって、
押圧を検知する多数の検知部を有するタッチパネルと、
前記タッチパネルの所定の複数の検知部毎に、入力領域が区分され、１つの入力領域に１つの暗証情報が設定され、時系列順に暗証情報を入力可能な複数の入力領域を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された情報が、前記暗証情報を特定可能な情報より特定された暗証情報に一致するか否かを判定する認証情報判定手段と
を具備することを特徴とする景品払出機。
【請求項３７】
請求項１６乃至２３にいずれか１項記載の暗証入力装置と通信可能に接続され、記憶媒体から読み取った獲得した遊技媒体数を特定可能な情報により特定された獲得した遊技媒体数に基づいて景品を払い出す景品払出機であって、
押圧を検知する多数の検知部を有するタッチパネルと、
前記タッチパネルの所定の複数の検知部毎に、入力領域が区分され、前記入力領域のうち、少なくとも１つに、前記暗証入力装置における入力領域に設定された暗証情報とは異なる組み合わせの複数の暗証情報に対応する入力領域を備えた暗証入力部と、
予め設定された暗証情報を特定可能な情報が記憶された記憶媒体から前記暗証情報を特定可能な情報を読み取る暗証特定情報読取手段と、
前記第２の暗証特定情報読取手段によって読み取られた暗証情報を特定可能な情報によって暗証情報を特定する暗証情報特定手段と、
前記暗証入力部から時系列順に入力された所定の回における暗証情報のうちの１つが、前記暗証情報特定手段によって特定された前記所定の回に対応する暗証情報に一致するか否かを判定する認証情報判定手段と
を具備することを特徴とする景品払出機。
【請求項３８】
請求項１６乃至２３にいずれか１項記載の暗証入力装置と通信可能に接続され、遊技媒体数を計数する計数機であって、
押圧を検知する多数の検知部を有するタッチパネルと、
前記タッチパネルの所定の複数の検知部毎に、入力領域が区分され、１つの入力領域に１つの暗証情報が設定され、時系列順に暗証情報を入力可能な複数の入力領域を備えた暗証入力部と、
予め設定された暗証情報を特定可能な情報が記憶された記憶媒体から前記暗証情報を特定可能な情報を読み取る暗証特定情報読取手段と、
前記暗証特定情報読取手段によって読み取られた暗証情報を特定可能な情報によって暗証情報を特定する暗証情報特定手段と、
前記暗証入力部から時系列順に入力された情報が、前記暗証情報を特定可能な情報より特定された暗証情報に一致するか否かを判定する認証情報判定手段と
を具備することを特徴とする計数機。
【請求項３９】
請求項１６乃至２３にいずれか１項記載の暗証入力装置と通信可能に接続され、遊技媒体数を計数する計数機であって、
押圧を検知する多数の検知部を有するタッチパネルと、
前記タッチパネルの所定の複数の検知部毎に、入力領域が区分され、前記入力領域のうち、少なくとも１つに、前記暗証入力装置における入力領域に設定された暗証情報とは異なる組み合わせの複数の暗証情報に対応する入力領域を備えた暗証入力部と、
予め設定された暗証情報を特定可能な情報が記憶された記憶媒体から前記暗証情報を特定可能な情報を読み取る暗証特定情報読取手段と、
前記第２の暗証特定情報読取手段によって読み取られた暗証情報を特定可能な情報によって暗証情報を特定する暗証情報特定手段と、
前記暗証入力部から時系列順に入力された所定の回における暗証情報のうちの１つが、前記暗証情報特定手段によって特定された前記所定の回に対応する暗証情報に一致するか否かを判定する認証情報判定手段と
を具備することを特徴とする計数機。
【請求項４０】
暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行する暗証入力方法であって、
押圧を検知する多数の検知部を有するタッチパネルの所定の複数の検知部毎に、入力領域が区分され、前記入力領域のうち少なくとも１つに予め複数の暗証情報に対応する入力領域を備え、または１つの前記入力領域に１つの暗証情報が設定され、複数の前記入力領域に亘って押圧を検知した場合に、前記押圧された複数の前記入力領域に設定された複数の暗証情報を入力可能な入力領域を備え、前記入力領域から時系列順に暗証情報を入力する暗証入力ステップと、
予め設定された暗証情報を特定可能な情報が記憶された記憶媒体から前記暗証情報を特定可能な情報を読み取る暗証特定情報読取ステップと、
前記暗証特定情報読取ステップにおいて読み取られた暗証情報を特定可能な情報によって暗証情報を特定する暗証情報特定ステップと、
前記入力領域から時系列順に入力された所定の回における暗証情報のうちの１つが、前記暗証情報特定ステップにおいて特定された前記所定の回に対応する暗証情報に一致するか否かを判定する認証情報判定ステップと
を具備することを特徴とする暗証入力方法。
【請求項４１】
前記暗証入力方法において、
押圧を検知する多数の検知部を有するタッチパネルの所定の複数の検知部毎に、入力領域が区分され、１つの入力領域に１つの暗証情報が設定された時系列順に暗証情報を登録可能な暗証登録用入力部が備えられ、前記入力領域から時系列順に暗証情報を入力する暗証登録用入力ステップをさらに具備することを特徴とする請求項４０記載の暗証入力方法。
【発明の詳細な説明】
【技術分野】
【０００１】
本発明は、例えば、パチンコ機、スロットマシーン、ゲーム機などの遊技機を備える遊技ホールで使用される暗証入力装置、暗証入力方法、暗証入力システム、および暗証入力装置が備えられた台間機、データ公開機、計数機、景品払出機、精算機に関する。
【背景技術】
【０００２】
遊技ホールにおいて、遊技機間に設けられた台間機に、会員用などの記憶媒体（カード状のものなど）を挿入後、台間機表面に設置されたテンキーを用いて暗証番号等の暗証情報を入力して認証確認されれば、再プレー遊技、度数に基づく貸玉遊技、カードの返却などの所要の処理が行われる。
【０００３】
ところが、この暗証番号等の暗証情報の入力を盗み見られて、会員の遊技者がトイレなどへの一時的離席の際に、記憶媒体を台間機から抜き取られ、貯玉の景品交換や、残度数の返金されてしまう盗難事件が多発している。
【０００４】
このような背景の中、暗証番号等の暗証情報の入力を盗み見られないようにする技術として、キー機能表示に文字表示素子を用い、入力毎に異なるキー機能表示を変化させるものが提案されている（例えば、特許文献１−２参照。）。
【０００５】
また、各操作キー２個１組のスイッチを配設し、１方のスイッチ押し１ｃと、他方のスイッチ押し２ｃと、両方のスイッチ同時押し１ｃと２ｃを検知し、それぞれ異なる３種の文字を入力可能としたものが提案されている（例えば、特許文献３参照。）。
【特許文献１】特開昭６２−１８７９２１号公報
【特許文献２】特開平６−３０９０７３号公報
【特許文献３】特開平１１−９５８９１号公報
【発明の開示】
【発明が解決しようとする課題】
【０００６】
しかしながら、従来のキー機能表示に文字表示素子を用い、入力毎に異なるキー機能表示を変化させる技術において、ボタン押す際に表示された数字を盗み見て記憶することは、記憶力がよければ可能であり、実際上、盗難事件の根本的な対策とはなり得なかった。
【０００７】
また、従来のそれぞれ異なる３種の文字を入力可能とした技術において、１ボタンで３種の文字を入力するので、３種のうちいずれを押したのか間違えやすく、指で押す微妙な位置を盗み見られることで暗証番号等の暗証情報がわかってしまい、実際上、盗難事件の根本的な対策とはなり得なかった。
【０００８】
そこで、本発明は、上記した課題を解決するためになされたものであり、暗証番号等の暗証情報を入力する際に盗み見られても、他人に具体的な暗証番号等の暗証情報が特定できない暗証入力装置、暗証入力方法、暗証入力システム、この暗証入力装置を備えた台間機、データ公開機、計数機、景品払出機、精算機を提供することを目的とする。
【課題を解決するための手段】
【０００９】
上記目的を達成するために、本発明の請求項１の発明は、暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行可能な暗証入力装置であって、前記入力部のうち、少なくとも１つに予め複数の暗証情報に対応する入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記入力部から時系列順に入力された所定の回における暗証情報のうちの１つが、前記暗証情報特定手段によって特定された前記所定の回に対応する暗証情報に一致するか否かを判定する認証情報判定手段とを具備することを特徴とする暗証入力装置である。
【００１０】
この発明によれば、入力部のうち、少なくとも１つに予め複数の暗証情報に対応する入力部を備えた暗証入力部を備えることで、暗証番号等の暗証情報の入力を他人に盗み見られても、他人は具体的な暗証番号等の暗証情報を特定することができない。
【００１１】
なお、少なくとも１つに予め複数の暗証情報に対応する入力部を備えた暗証入力部であればよく、例えば、入力部のすべてが予め複数の暗証情報に対応する入力部であってもよい。ここで、記憶媒体は、カード形状、コイン形状などの形状を有し、記憶媒体に記憶された暗証情報を特定可能な情報には、例えば、遊技者を識別するためのＩＤ、入金された金額を度数化した度数など情報が含まれる。例えば、このＩＤに基づいて、管理装置に記録された暗証情報を読み出すことで暗証情報を特定することなどができる。
【００１２】
また、前記入力部から時系列順に入力された所定の回における暗証情報のうちの１つが、前記暗証情報特定手段によって特定された前記所定の回に対応する暗証情報に一致するか否かを判定する場合、入力の都度の判定するようにしてもよいが、暗証情報を全て時系列順に入力した後判定するようにしてもよい。ここで、入力部から時系列順に入力された所定の回における暗証情報のうち１つとは、入力部に対応する暗証情報が１つの場合には、この単一の暗証情報を意味し、入力部に対応する暗証情報が複数の場合には、複数の暗証情報のうちの１つの暗証情報を意味する。また、対応するとは、例えば、１つまたは複数の暗証情報を入力部に予め割り当てる設定をすることなどが例示できる。さらに、暗証情報とは、０〜９などの数字や、文字、記号、マークなどである。また、入力部として、これら暗証情報を表面に表示したボタンなどが例示できる。
【００１３】
また、暗証入力装置としては、遊技台に対応して設けられた金銭の投入や挿入した非会員または会員用記憶媒体に記憶された有価価値を特定可能な情報に基づいて特定される有価価値の範囲内で遊技媒体の貸出指示や貸出を行う台間機、遊技ホールの空きスペースに設置された遊技機や会員の遊技データを公開するデータ公開機、投入された金銭を有価価値とし、記憶媒体に有価価値を特定可能な情報を記憶して発行する発券機などが例示できる。さらに、所要の処理とは、例えば、認証情報が一致したことに基づく、認証情報を外部に出力したり、または表示したりすることなどをいう。なお、暗証入力装置が、例えば、台間機、発行機、計数機、景品払出機、データ公開機、精算機、再プレー受付機などの機器に取り付けられた場合には、所要の処理には、上記した機能の他に、それぞれの機器の機能を含むものとする。
【００１４】
また、本発明の請求項２の発明は、前記各入力部に表記されている文字を変更可能であることを特徴とする請求項１記載の暗証入力装置である。
【００１５】
この発明によれば、各入力部に表記されている文字を変更可能であるため、他人に、入力部の位置を盗み見られても、他人が暗証番号等の暗証情報を特定することはさらに困難である。
【００１６】
また、本発明の請求項３の発明は、前記暗証入力装置が、暗証情報を登録する際に、１つの入力部に１つの暗証情報が設定された時系列順に暗証情報を登録可能な暗証登録用入力部をさらに具備することを特徴とする請求項１または２記載の暗証入力装置である。
【００１７】
この発明によれば、１つの入力部に１つの暗証情報が設定された時系列順に暗証情報を登録可能な暗証登録用入力部を備えることで、例えば、テンキーとして用いることができ、例えば、暗証番号等の暗証情報の登録を行うことができる。
【００１８】
また、本発明の請求項４の発明は、暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、前記暗証入力装置が、前記入力部のうち、少なくとも１つに予め複数の暗証情報に対応する入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記入力部から時系列順に入力された所定の回における暗証情報のうちの１つが、前記暗証情報特定手段によって特定された前記所定の回に対応する暗証情報に一致するか否かを判定する認証情報判定手段とを具備し、前記処理装置が、１つの入力部に１つの暗証情報が設定された複数の入力部を備えた第２の暗証入力部と、予め設定された暗証情報を特定可能な情報が記憶された記憶媒体から前記暗証情報を特定可能な情報を読み取る第２の暗証特定情報読取手段と、前記第２の暗証特定情報読取手段によって読み取られた暗証情報を特定可能な情報によって暗証情報を特定する第２の暗証情報特定手段と、前記第２の暗証入力部から時系列順に入力された情報が、前記暗証情報を特定可能な情報より特定された暗証情報に一致するか否かを判定する第２の認証情報判定手段とを具備することを特徴とする暗証入力システムである。
【００１９】
この発明によれば、入力部のうち、少なくとも１つに予め複数の暗証情報に対応する入力部を備えた暗証入力部を備えることで、暗証番号等の暗証情報の入力を他人に盗み見られても、他人は具体的な暗証番号等の暗証情報を特定することができない。例えば、暗証入力装置において、暗証等の暗証情報の入力を他人に盗み見られ、記憶媒体が盗まれても、１つの入力部に１つの暗証情報が設定された複数の入力部を備えた第２の暗証入力部において、具体的な暗証情報を入力しなければないらない処理装置においては、例えば、その記憶媒体を用いて、度数などを現金として払い出させることなどの行為を行うことはできない。
【００２０】
なお、処理装置としては、例えば、記憶媒体を受け入れるか、かざすかして、記憶媒体に記憶された有価価値を特定可能な情報を読み出して、有価価値を特定可能な情報に基づいて特定される有価価値を現金として返金する精算機、会員用記憶媒体を受け入れて、遊技媒体を計数して、計数値を特定可能な情報を記憶した会員用記録媒体を返却する計数機、会員用記憶媒体やレシートに記憶された計数値を特定可能な情報を読み出し、計数値を特定可能な情報に基づき特定される計数値に応じて景品交換する景品払出機などが例示できる。
【００２１】
さらに、本発明の請求項５の発明は、暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、前記暗証入力装置が、前記入力部のうち、少なくとも１つに予め複数の暗証情報に対応する入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記入力部から時系列順に入力された所定の回における暗証情報のうちの１つが、前記暗証情報特定手段によって特定された前記所定の回に対応する暗証情報に一致するか否かを判定する認証情報判定手段とを具備し、前記処理装置が、入力部のうち、少なくとも１つに、前記暗証入力装置における入力部に設定された暗証情報とは異なる組み合わせの複数の暗証情報に対応する入力部を備えた第２の暗証入力部と、予め設定された暗証情報を特定可能な情報が記憶された記憶媒体から前記暗証情報を特定可能な情報を読み取る第２の暗証特定情報読取手段と、前記第２の暗証特定情報読取手段によって読み取られた暗証情報を特定可能な情報によって暗証情報を特定する第２の暗証情報特定手段と、前記第２の暗証入力部から時系列順に入力された所定の回における暗証情報のうちの１つが、前記第２の暗証情報特定手段によって特定された前記所定の回に対応する暗証情報に一致するか否かを判定する第２の認証情報判定手段とを具備することを特徴とする暗証入力システムである。
【００２２】
この発明によれば、入力部のうち、少なくとも１つに予め複数の暗証情報に対応する入力部を備えた暗証入力部を備えることで、暗証番号等の暗証情報の入力を他人に盗み見られても、他人は具体的な暗証番号等の暗証情報を特定することができない。例えば、暗証入力装置において、暗証番号等の暗証情報の入力を他人に盗み見られ、記憶媒体が盗まれても、暗証入力装置における入力部に設定された暗証情報とは異なる組み合わせの複数の暗証情報に対応する入力部を備えた第２の暗証入力部において、暗証番号等の暗証情報を入力しなければないらない処理装置においては、例えば、その記憶媒体を用いて、度数などを現金として払い出させることなどの行為を行うことはできない。
【００２３】
また、本発明の請求項６の発明は、前記暗証入力装置が、暗証情報を登録する際に、１つの入力部に１つの暗証情報が設定された時系列順に暗証情報を登録可能な暗証登録用入力部をさらに具備することを特徴とする請求項４または５記載の暗証入力システムである。
【００２４】
この発明によれば、１つの入力部に１つの暗証情報が設定された時系列順に暗証情報を登録可能な暗証登録用入力部を備えることで、例えば、テンキーとして用いることができ、例えば、暗証情報の登録を行うことができる。
【００２５】
また、本発明の請求項７の発明は、暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、前記暗証入力装置が、１つの入力部に１つの暗証情報が設定された複数の入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された情報が、前記暗証情報を特定可能な情報より特定された暗証情報に一致するか否かを判定する認証情報判定手段とを具備し、前記処理装置が、入力部のうち、少なくとも１つに予め複数の暗証情報に対応する入力部を備えた第２の暗証入力部と、予め設定された暗証情報を特定可能な情報が記憶された記憶媒体から前記暗証情報を特定可能な情報を読み取る第２の暗証特定情報読取手段と、前記第２の暗証特定情報読取手段によって読み取られた暗証情報を特定可能な情報によって暗証情報を特定する第２の暗証情報特定手段と、前記入力部から時系列順に入力された所定の回における暗証情報のうちの１つが、前記暗証情報特定手段によって特定された前記所定の回に対応する暗証情報に一致するか否かを判定する第２の認証情報判定手段とを具備することを特徴とする暗証入力システムである。
【００２６】
この発明によれば、処理装置において、入力部のうち、少なくとも１つに予め複数の暗証情報に対応する入力部を備えた第２の暗証入力部を備えることで、暗証番号等の暗証情報の入力を他人に盗み見られても、他人は具体的な暗証番号等の暗証情報を特定することができない。
【００２７】
また、本発明の請求項８の発明は、請求項１乃至３にいずれか１項記載の暗証入力装置と通信可能に接続され、記憶媒体から読み取った有価価値を特定可能な情報により特定された有価価値を現金に精算する精算機であって、１つの入力部に１つの暗証情報が設定され、時系列順に暗証情報を入力可能な複数の入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された情報が、前記暗証情報を特定可能な情報より特定された暗証情報に一致するか否かを判定する認証情報判定手段とを具備することを特徴とする精算機である。
【００２８】
この発明によれば、精算機において、入力部のうち、少なくとも１つに予め複数の暗証情報に対応する入力部を備えた暗証入力部を備えることで、暗証番号等の暗証情報の入力を他人に盗み見られても、他人は具体的な暗証番号等の暗証情報を特定することができない。例えば、暗証入力装置において、暗証番号等の暗証情報の入力を他人に盗み見られ、記憶媒体が盗まれても、１つの入力部に１つの暗証情報が設定された複数の入力部を備えた暗証入力部において、具体的な暗証番号等の暗証情報を入力しなければないらない精算機においては、例えば、その記憶媒体を用いて、度数などを現金として払い出させることなどの行為を行うことはできない。
【００２９】
また、本発明の請求項９の発明は、請求項１乃至３にいずれか１項記載の暗証入力装置と通信可能に接続され、記憶媒体から読み取った有価価値を特定可能な情報により特定された有価価値を現金に精算する精算機であって、入力部のうち、少なくとも１つに、前記暗証入力装置における入力部に設定された暗証情報とは異なる組み合わせの複数の暗証情報に対応する入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された所定の回における暗証情報のうちの１つが、前記暗証情報特定手段によって特定された前記所定の回に対応する暗証情報に一致するか否かを判定する認証情報判定手段とを具備することを特徴とする精算機である。
【００３０】
この発明によれば、精算機において、入力部のうち、少なくとも１つに予め複数の暗証情報に対応する入力部を備えた暗証入力部を備えることで、暗証番号等の暗証情報の入力を他人に盗み見られても、他人は具体的な暗証番号等の暗証情報を特定することができない。例えば、暗証入力装置において、暗証番号等の暗証情報の入力を他人に盗み見られ、記憶媒体が盗まれても、暗証入力装置における入力部に設定された暗証情報とは異なる組み合わせの複数の暗証情報に対応する入力部を備えた暗証入力部において、暗証番号等の暗証情報を入力しなければないらない精算機においては、例えば、その記憶媒体を用いて、度数などを現金として払い出させることなどの行為を行うことはできない。
【００３１】
また、本発明の請求項１０の発明は、請求項１乃至３にいずれか１項記載の暗証入力装置と通信可能に接続され、記憶媒体から読み取った獲得した遊技媒体数を特定可能な情報により特定された獲得した遊技媒体数に基づいて景品を払い出す景品払出機であって、１つの入力部に１つの暗証情報が設定され、時系列順に暗証情報を入力可能な複数の入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された情報が、前記暗証情報を特定可能な情報より特定された暗証情報に一致するか否かを判定する認証情報判定手段とを具備することを特徴とする景品払出機である。
【００３２】
この発明によれば、景品払出機において、入力部のうち、少なくとも１つに予め複数の暗証情報に対応する入力部を備えた暗証入力部を備えることで、暗証番号等の暗証情報の入力を他人に盗み見られても、他人は具体的な暗証番号等の暗証情報を特定することができない。例えば、暗証入力装置において、暗証番号等の暗証情報の入力を他人に盗み見られ、記憶媒体が盗まれても、１つの入力部に１つの暗証情報が設定された複数の入力部を備えた暗証入力部において、具体的な暗証番号等の暗証情報を入力しなければないらない景品払出機においては、例えば、その記憶媒体を用いて、度数などを景品に交換することなどの行為を行うことはできない。
【００３３】
また、本発明の請求項１１の発明は、請求項１乃至３にいずれか１項記載の暗証入力装置と通信可能に接続され、記憶媒体から読み取った獲得した遊技媒体数を特定可能な情報により特定された獲得した遊技媒体数に基づいて景品を払い出す景品払出機であって、入力部のうち、少なくとも１つに、前記暗証入力装置における入力部に設定された暗証情報とは異なる組み合わせの複数の暗証情報に対応する入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された所定の回における暗証情報のうちの１つが、前記暗証情報特定手段によって特定された前記所定の回に対応する暗証情報に一致するか否かを判定する認証情報判定手段とを具備することを特徴とする景品払出機である。
【００３４】
この発明によれば、景品払出機において、入力部のうち、少なくとも１つに、暗証入力装置における入力部に設定された暗証情報とは異なる組み合わせの複数の暗証情報に対応する入力部を備えた暗証入力部を備えることで、暗証番号等の暗証情報の入力を他人に盗み見られても、他人は具体的な暗証番号等の暗証情報を特定することができない。例えば、暗証入力装置において、暗証番号等の暗証情報の入力を他人に盗み見られ、記憶媒体が盗まれても、暗証入力装置における入力部に設定された暗証情報とは異なる組み合わせの複数の暗証情報に対応する入力部を備えた暗証入力部において、暗証番号等の暗証情報を入力しなければないらない景品払出機においては、例えば、その記憶媒体を用いて、度数などを景品に交換することなどの行為を行うことはできない。
【００３５】
さらに、本発明の請求項１２の発明は、請求項１乃至３にいずれか１項記載の暗証入力装置と通信可能に接続され、遊技媒体数を計数する計数機であって、１つの入力部に１つの暗証情報が設定され、時系列順に暗証情報を入力可能な複数の入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された情報が、前記暗証情報を特定可能な情報より特定された暗証情報に一致するか否かを判定する認証情報判定手段とを具備することを特徴とする計数機である。
【００３６】
この発明によれば、例えば、入力部のうち、少なくとも１つに予め複数の暗証情報に対応する入力部を備えた暗証入力部を備える暗証入力装置において、暗証番号等の暗証情報の入力を他人に盗み見られ、記憶媒体が盗まれても、１つの入力部に１つの暗証情報が設定された複数の入力部を備えた暗証入力部において、具体的な暗証番号等の暗証情報を入力しなければないらない計数機においては、例えば、その記憶媒体を用いて、計数処理などの行為を行うことはできない。
【００３７】
また、本発明の請求項１３の発明は、請求項１乃至３にいずれか１項記載の暗証入力装置と通信可能に接続され、遊技媒体数を計数する計数機であって、入力部のうち、少なくとも１つに、前記暗証入力装置における入力部に設定された暗証情報とは異なる組み合わせの複数の暗証情報に対応する入力部を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された所定の回における暗証情報のうちの１つが、前記暗証情報特定手段によって特定された前記所定の回に対応する暗証情報に一致するか否かを判定する認証情報判定手段とを具備することを特徴とする計数機である。
【００３８】
この発明によれば、計数機において、入力部のうち、少なくとも１つに、前記暗証入力装置における入力部に設定された暗証情報とは異なる組み合わせの複数の暗証情報に対応する入力部を備えた暗証入力部を備えることで、暗証番号等の暗証情報の入力を他人に盗み見られても、他人は具体的な暗証番号等の暗証情報を特定することができない。例えば、暗証入力装置において、暗証番号等の暗証情報の入力を他人に盗み見られ、記憶媒体が盗まれても、暗証入力装置における入力部に設定された暗証情報とは異なる組み合わせの複数の暗証情報に対応する入力部を備えた暗証入力部において、暗証番号等の暗証情報を入力しなければないらない計数機においては、例えば、その記憶媒体を用いて、計数処理などの行為を行うことはできない。
【００３９】
また、本発明の請求項１４の発明は、暗証情報を入力する入力部を複数備え、前記入力部の操作に応じて時系列順に暗証情報を入力して、前記入力された暗証情報の認証を行い、予め設定された暗証情報とすべてが一致する場合に所要の処理を実行する暗証入力方法であって、前記入力部のうち、少なくとも１つに予め複数の暗証情報に対応する入力部を備え、前記入力部から時系列順に暗証情報を入力する暗証入力ステップと、予め設定された暗証情報を特定可能な情報が記憶された記憶媒体から前記暗証情報を特定可能な情報を読み取る暗証特定情報読取ステップと、前記暗証特定情報読取ステップにおいて読み取られた暗証情報を特定可能な情報によって暗証情報を特定する暗証情報特定ステップと、前記入力部から時系列順に入力された所定の回における暗証情報のうちの１つが、前記暗証情報特定ステップにおいて特定された前記所定の回に対応する暗証情報に一致するか否かを判定する認証情報判定ステップとを具備することを特徴とする暗証入力方法である。
【００４０】
この発明によれば、入力部のうち、少なくとも１つに予め複数の暗証情報に対応する入力部を備えた暗証入力部を備え、これを用いて暗証入力ステップを実行することで、暗証情報の入力を他人に盗み見られても、他人は具体的な暗証番号等の暗証情報を特定することができない。なお、少なくとも１つに予め複数の暗証情報に対応する入力部を備えた暗証入力部であればよく、例えば、入力部のすべてが予め複数の暗証情報に対応する入力部であってもよい。ここで、記憶媒体は、カード形状、コイン形状などの形状を有し、記憶媒体に記憶された有価価値特定情報には、例えば、遊技者を識別するためのＩＤ、入金された金額を度数化した度数など情報が含まれる。例えば、このＩＤに基づいて、管理装置に記録された有価価値を読み出すことで有価価値を特定することなどができる。
【００４１】
また、本発明の請求項１５の発明は、前記暗証入力方法において、１つの入力部に１つの暗証情報が設定された時系列順に暗証情報を登録可能な暗証登録用入力部が備えられ、前記入力部から時系列順に暗証情報を入力する暗証登録用入力ステップをさらに具備することを特徴とする請求項１４記載の暗証入力方法である。
【００４２】
この発明によれば、１つの入力部に１つの暗証情報が設定された時系列順に暗証情報を登録可能な暗証登録用入力部を備え、暗証登録用入力ステップを実行することで、例えば、テンキーとして用いることができ、例えば、暗証番号等の暗証情報の登録を行うことができる。
【００４３】
さらに、本発明の請求項１６の発明は、暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置であって、押圧を検知する多数の検知部を有するタッチパネルと、前記タッチパネルの所定の複数の検知部毎に、入力領域が区分され、前記入力領域のうち、少なくとも１つに予め複数の暗証情報に対応する入力領域を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記入力領域から時系列順に入力された所定の回における暗証情報のうちの１つが、前記暗証情報特定手段によって特定された前記所定の回に対応する暗証情報に一致するか否かを判定する認証情報判定手段とを具備することを特徴とする暗証入力装置である。
【００４４】
この発明によれば、入力領域のうち、少なくとも１つに予め複数の暗証情報に対応する入力領域を備えた暗証入力部を備えることで、暗証番号等の暗証情報の入力を他人に盗み見られても、他人は具体的な暗証番号等の暗証情報を特定することができない。なお、少なくとも１つに予め複数の暗証情報に対応する入力領域を備えた暗証入力部であればよく、例えば、入力領域のすべてが予め複数の暗証情報に対応する入力領域であってもよい。また、押圧を検知する多数の検知部を有するタッチパネルを用いることで、任意の領域に入力領域を設定することも可能である。ここで、記憶媒体は、カード形状、コイン形状などの形状を有し、記憶媒体に記憶された有価価値特定情報には、例えば、遊技者を識別するためのＩＤ、入金された金額を度数化した度数など情報が含まれる。例えば、このＩＤに基づいて、管理装置に記録された有価価値を読み出すことで有価価値を特定することなどができる。
【００４５】
ここで、入力領域から時系列順に入力された所定の回における暗証情報のうち１つとは、入力領域に対応する暗証情報が１つの場合には、この単一の暗証情報を意味し、入力領域に対応する暗証情報が複数の場合には、複数の暗証情報のうちの１つの暗証情報を意味する。また、対応するとは、例えば、１つまたは複数の暗証情報を入力領域に予め割り当てる設定をすることなどが例示できる。
【００４６】
さらに、暗証情報とは、０〜９などの数字や、文字、記号、マークなどである。また、入力領域として、これら暗証情報を表面に表示したボタンなどが例示できる。
【００４７】
また、暗証入力装置としては、遊技台に対応して設けられた金銭の投入や挿入した非会員または会員用記憶媒体に記憶された有価価値を特定可能な情報に基づいて特定される有価価値の範囲内で遊技媒体の貸出指示や貸出を行う台間機、遊技ホールの空きスペースに設置された遊技機や会員の遊技データを公開するデータ公開機、投入された金銭を有価価値とし、記憶媒体に有価価値を特定可能な情報を記憶して発行する発券機などが例示できる。
【００４８】
また、本発明の請求項１７の発明は、暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置であって、押圧を検知する多数の検知部を有するタッチパネルと、前記タッチパネルの所定の複数の検知部毎に、入力領域が区分され、１つの前記入力領域に１つの暗証情報が設定された複数の入力領域を備え、複数の前記入力領域に亘って押圧を検知した場合に、前記押圧された複数の前記入力領域に設定された複数の暗証情報を入力可能な暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記入力領域から時系列順に入力された所定の回における暗証情報のうちの１つが、前記暗証情報特定手段によって特定された前記所定の回に対応する暗証情報に一致するか否かを判定する認証情報判定手段とを具備することを特徴とする暗証入力装置である。
【００４９】
この発明によれば、１つの入力領域に１つの暗証情報が設定された複数の入力領域を備え、複数の入力領域に亘って押圧を検知した場合に、押圧された複数の入力領域に設定された複数の暗証情報を入力可能な暗証入力部を備えることで、暗証番号等の暗証情報の入力を他人に盗み見られても、他人は具体的な暗証番号等の暗証情報を特定することができない。また、複数の入力領域に亘って押圧を検知した場合とは、１つの暗証情報が設定された入力領域を複数同時に押した場合を意味する。
【００５０】
また、押圧を検知する多数の検知部を有するタッチパネルを用いることで、任意の領域に入力領域を設定することも可能である。ここで、記憶媒体は、カード形状、コイン形状などの形状を有し、記憶媒体に記憶された有価価値特定情報には、例えば、遊技者を識別するためのＩＤ、入金された金額を度数化した度数など情報が含まれる。例えば、このＩＤに基づいて、管理装置に記録された有価価値を読み出すことで有価価値を特定することなどができる。
【００５１】
また、本発明の請求項１８の発明は、前記暗証入力部が、１つの暗証情報が設定された入力領域を含んで構成され、前記１つの暗証情報が設定された入力領域に係る情報が入力された場合において、前記認証情報判定手段が、前記暗証入力部において入力された情報が前記暗証情報を特定可能な情報より特定された暗証情報に一致するか否かを判定することを特徴とする請求項１６記載の暗証入力装置である。
【００５２】
この発明によれば、暗証入力部において、複数の暗証情報が設定された入力領域に加えて、１つの暗証情報が設定された入力領域を含んで構成することができる。
【００５３】
また、本発明の請求項１９の発明は、前記暗証入力部が、前記１つの暗証情報が設定された入力領域間に、それぞれの暗証情報を含む複数の暗証情報が設定された入力領域を有して構成されていることを特徴とする請求項１６乃至１８記載の暗証入力装置である。
【００５４】
この発明によれば、暗証入力部において、１つの暗証情報が設定された入力領域間に、それぞれの暗証情報を含む複数の暗証情報が設定された入力領域を構成することができる。
【００５５】
また、本発明の請求項２０の発明は、前記暗証入力部における各入力領域が、複数の暗証情報が設定されていることを特徴とする請求項１６記載の暗証入力装置である。
【００５６】
この発明によれば、暗証入力部を、複数の暗証情報が設定されている入力領域で構成することができる。
【００５７】
また、本発明の請求項２１の発明は、前記各入力領域に、その入力領域に設定された数値が表示されていることを特徴とする請求項１６乃至２０のいずれか１項記載の暗証入力装置である。
【００５８】
この発明によれば、入力領域に設定された数値が表示されているので、入力の際における誤入力などを防止することができる。
【００５９】
また、本発明の請求項２２の発明は、前記各入力領域に表示された数値は、変更可能であることを特徴とする請求項２１記載の暗証入力装置である。
【００６０】
この発明によれば、各入力領域に表示された数値を変更することができるので、他人に、入力部の位置を盗み見られても、他人が暗証番号等の暗証情報を特定することは困難である。
【００６１】
また、本発明の請求項２３の発明は、前記暗証入力装置が、暗証情報を登録する際に、１つの入力領域に１つの暗証情報が設定された時系列順に暗証情報を登録可能な暗証登録用入力部をさらに具備することを特徴とする請求項１６乃至２２のいずれか１項記載の暗証入力装置である。
【００６２】
この発明によれば、１つの入力領域に１つの暗証情報が設定された時系列順に暗証情報を登録可能な暗証登録用入力部を備えることで、例えば、テンキーとして用いることができ、例えば、暗証番号等の暗証情報の登録を行うことができる。
【００６３】
また、本発明の請求項２４の発明は、暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、前記暗証入力装置が、押圧を検知する多数の検知部を有するタッチパネルと、前記タッチパネルの所定の複数の検知部毎に、入力領域が区分され、前記入力領域のうち少なくとも１つに予め複数の暗証情報に対応する入力領域を備えた、または１つの前記入力領域に１つの暗証情報が設定された複数の入力領域を備え、複数の前記入力領域に亘って押圧を検知した場合に、前記押圧された複数の前記入力領域に設定された複数の暗証情報を入力可能な暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記入力領域から時系列順に入力された所定の回における暗証情報のうちの１つが、前記暗証情報特定手段によって特定された前記所定の回に対応する暗証情報に一致するか否かを判定する認証情報判定手段とを具備し、前記処理装置が、押圧を検知する多数の検知部を有する第２のタッチパネルと、前記第２のタッチパネルの所定の複数の検知部毎に、入力領域が区分され、１つの入力領域に１つの暗証情報が設定され、時系列順に暗証情報を入力可能な複数の入力領域を備えた第２の暗証入力部と、予め設定された暗証情報を特定可能な情報が記憶された記憶媒体から前記暗証情報を特定可能な情報を読み取る第２の暗証特定情報読取手段と、前記第２の暗証特定情報読取手段によって読み取られた暗証情報を特定可能な情報によって暗証情報を特定する第２の暗証情報特定手段と、前記第２の暗証入力部から時系列順に入力された情報が、前記暗証情報を特定可能な情報より特定された暗証情報に一致するか否かを判定する第２の認証情報判定手段とを具備することを特徴とする暗証入力システムである。
【００６４】
この発明によれば、入力領域のうち、少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な暗証入力部を備えることで、暗証番号等の暗証情報の入力を他人に盗み見られても、他人は具体的な暗証番号等の暗証情報を特定することができない。例えば、暗証入力装置において、暗証番号等の暗証情報の入力を他人に盗み見られ、記憶媒体が盗まれても、１つの入力部に１つの暗証情報が設定された複数の入力部を備えた第２の暗証入力部において、具体的な暗証番号等の暗証情報を入力しなければないらない処理装置においては、例えば、その記憶媒体を用いて、度数などを現金として払い出させることなどの行為を行うことはできない。
【００６５】
ここで、所要の処理とは、例えば、認証情報が一致したことに基づく、認証情報を外部に出力したり、または表示したりすることなどをいう。なお、所要の処理を行う処理装置が、例えば、台間機、発行機、計数機、景品払出機、データ公開機、精算機、再プレー受付機などの機器の場合には、所要の処理には、上記した機能の他に、それぞれの機器の機能を含むものとする。
【００６６】
また、本発明の請求項２５の発明は、暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、前記暗証入力装置が、押圧を検知する多数の検知部を有するタッチパネルと、前記タッチパネルの所定の複数の検知部毎に、入力領域が区分され、前記入力領域のうち、少なくとも１つに予め複数の暗証情報に対応する入力領域を備えた、または１つの前記入力領域に１つの暗証情報が設定された複数の入力領域を備え、複数の前記入力領域に亘って押圧を検知した場合に、前記押圧された複数の前記入力領域に設定された複数の暗証情報を入力可能な暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記入力領域から時系列順に入力された所定の回における暗証情報のうちの１つが、前記暗証情報特定手段によって特定された前記所定の回に対応する暗証情報に一致するか否かを判定する認証情報判定手段とを具備し、前記処理装置が、押圧を検知する多数の検知部を有する第２のタッチパネルと、前記第２のタッチパネルの所定の複数の検知部毎に、入力領域が区分され、前記入力領域のうち、少なくとも１つに、前記暗証入力装置における入力領域に設定された暗証情報とは異なる組み合わせの複数の暗証情報に対応する入力領域を備えた第２の暗証入力部と、予め設定された暗証情報を特定可能な情報が記憶された記憶媒体から前記暗証情報を特定可能な情報を読み取る第２の暗証特定情報読取手段と、前記第２の暗証特定情報読取手段によって読み取られた暗証情報を特定可能な情報によって暗証情報を特定する第２の暗証情報特定手段と、前記第２の暗証入力部から時系列順に入力された所定の回における暗証情報のうちの１つが、前記第２の暗証情報特定手段によって特定された前記所定の回に対応する暗証情報に一致するか否かを判定する第２の認証情報判定手段とを具備することを特徴とする暗証入力システムである。
【００６７】
この発明によれば、入力領域のうち少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な暗証入力部を備えることで、暗証番号等の暗証情報の入力を他人に盗み見られても、他人は具体的な暗証番号等の暗証情報を特定することができない。例えば、暗証入力装置において、暗証番号等の暗証情報の入力を他人に盗み見られ、記憶媒体が盗まれても、暗証入力装置における入力領域に設定された暗証情報とは異なる組み合わせの複数の暗証情報に対応する入力領域を備えた第２の暗証入力部において、暗証番号等の暗証情報を入力しなければないらない処理装置においては、例えば、その記憶媒体を用いて、度数などを現金として払い出させることなどの行為を行うことはできない。
【００６８】
また、本発明の請求項２６の発明は、前記暗証入力装置が、暗証情報を登録する際に、１つの入力領域に１つの暗証情報が設定された時系列順に暗証情報を登録可能な暗証登録用入力部をさらに具備することを特徴とする請求項２４または２５記載の暗証入力システムである。
【００６９】
この発明によれば、１つの入力領域に１つの暗証情報が設定された時系列順に暗証情報を登録可能な暗証登録用入力部を備えることで、例えば、テンキーとして用いることができ、例えば、暗証番号等の暗証情報の登録を行うことができる。
【００７０】
さらに、本発明の請求項２７の発明は、暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行可能な暗証入力装置と、前記暗証入力装置と通信可能に接続された所要の処理を行う処理装置とを有する暗証入力システムであって、前記暗証入力装置が、押圧を検知する多数の検知部を有するタッチパネルと、前記タッチパネルの所定の複数の検知部毎に、入力領域が区分され、１つの入力領域に１つの暗証情報が設定され、時系列順に暗証情報を入力可能な複数の入力領域を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された情報が、前記暗証情報を特定可能な情報より特定された暗証情報に一致するか否かを判定する認証情報判定手段とを具備し、前記処理装置が、押圧を検知する多数の検知部を有する第２のタッチパネルと、前記第２のタッチパネルの所定の複数の検知部毎に、入力領域が区分され、前記入力領域のうち、少なくとも１つに予め複数の暗証情報に対応する入力領域を備えた、または１つの前記入力領域に１つの暗証情報が設定された複数の入力領域を備え、複数の前記入力領域に亘って押圧を検知した場合に、前記押圧された複数の前記入力領域に設定された複数の暗証情報を入力可能な第２の暗証入力部と、予め設定された暗証情報を特定可能な情報が記憶された記憶媒体から前記暗証情報を特定可能な情報を読み取る第２の暗証特定情報読取手段と、前記第２の暗証特定情報読取手段によって読み取られた暗証情報を特定可能な情報によって暗証情報を特定する第２の暗証情報特定手段と、前記入力領域から時系列順に入力された所定の回における暗証情報のうちの１つが、前記第２の暗証情報特定手段によって特定された前記所定の回に対応する暗証情報に一致するか否かを判定する第２の認証情報判定手段とを具備することを特徴とする暗証入力システムである。
【００７１】
この発明によれば、処理装置において、入力領域のうち少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な第２の暗証入力部を備えることで、暗証番号等の暗証情報の入力を他人に盗み見られても、他人は具体的な暗証番号等の暗証情報を特定することができない。
【００７２】
また、本発明の請求項２８の発明は、前記処理装置が、少なくとも、記憶媒体から読み取った有価価値を特定可能な情報により特定された有価価値を現金に精算する精算機、記憶媒体から読み取った獲得した遊技媒体数を特定可能な情報により特定された獲得した遊技媒体数に基づいて景品を払い出す景品払出機、遊技媒体数を計数する計数機のいずれかであることを特徴とする請求項４乃至７、２４乃至２７のいずれか１項記載の暗証入力システムである。
【００７３】
この発明によれば、処理装置として、例えば、精算機、景品払出機、計数機などを使用することができるが、これらに限らず、例えば、再プレー受付機なども含めてもよい。
【００７４】
また、本発明の請求項２９の発明は、前記暗証入力システムにおいて、前記暗証入力装置および前記処理装置と通信可能に接続され、前記暗証入力装置および前記処理装置からの情報を管理可能な管理装置をさらに具備することを特徴とする請求項４乃至７、２４乃至２７のいずれか１項記載の暗証入力システムである。
【００７５】
この発明によれば、管理装置を、暗証入力装置および処理装置と通信可能に接続することで、例えば、暗証入力装置、処理装置などの情報を管理装置で管理することができる。
【００７６】
また、本発明の請求項３０の発明は、入金された範囲または記憶媒体から読み取った有価価値を特定可能な情報により特定された有価情報の範囲で、遊技媒体を貸し出し可能であり、所要の処理を行う処理装置と通信可能に接続された台間機であって、請求項１乃至３、１６乃至２３のいずれか１項記載の暗証入力装置を具備することを特徴とする台間機である。
【００７７】
この発明によれば、台間機に暗証入力装置を備えることができる。ここで、所要の処理とは、例えば、認証情報が一致したことに基づく、認証情報を外部に出力したり、または表示したりすることなどをいう。なお、所要の処理を行う処理装置が、例えば、発行機、計数機、景品払出機、データ公開機、精算機、再プレー受付機などの機器の場合には、所要の処理には、上記した機能の他に、それぞれの機器の機能を含むものとする。
【００７８】
また、本発明の請求項３１の発明は、前記処理装置が、少なくとも、特定された有価価値を現金に精算する精算機、獲得した遊技媒体数に基づいて景品を払い出す景品払出機、遊技媒体数を計数する計数機のいずれかであることを特徴とする請求項３０記載の台間機である。
【００７９】
この発明によれば、処理装置として、例えば、精算機、景品払出機、計数機などを使用することができるが、これらに限らず、例えば、再プレー受付機なども含めてもよい。
【００８０】
また、本発明の請求項３２の発明は、遊技に係る情報を検索可能であり、所要の処理を行う処理装置と通信可能に接続されたデータ公開機であって、請求項１乃至３、１６乃至２３のいずれか１項記載の暗証入力装置を具備することを特徴とするデータ公開機である。
【００８１】
この発明によれば、データ公開機に暗証入力装置を備えることができる。ここで、所要の処理とは、例えば、認証情報が一致したことに基づく、認証情報を外部に出力したり、または表示したりすることなどをいう。なお、所要の処理を行う処理装置が、例えば、台間機、発行機、計数機、景品払出機、精算機、再プレー受付機などの機器の場合には、所要の処理には、上記した機能の他に、それぞれの機器の機能を含むものとする。
【００８２】
また、本発明の請求項３３の発明は、前記処理装置が、少なくとも、記憶媒体から読み取った有価価値を特定可能な情報により特定された有価価値を現金に精算する精算機、記憶媒体から読み取った獲得した遊技媒体数を特定可能な情報により特定された獲得した遊技媒体数に基づいて景品を払い出す景品払出機、遊技媒体数を計数する計数機のいずれかであることを特徴とする請求項３２記載のデータ公開機である。
【００８３】
この発明によれば、処理装置として、例えば、精算機、景品払出機、計数機などを使用することができるが、これらに限らず、例えば、再プレー受付機なども含めてもよい。
【００８４】
また、本発明の請求項３４の発明は、請求項１６乃至２３にいずれか１項記載の暗証入力装置と通信可能に接続され、特定された有価価値を現金に精算する精算機であって、押圧を検知する多数の検知部を有するタッチパネルと、前記タッチパネルの所定の複数の検知部毎に、入力領域が区分され、１つの入力領域に１つの暗証情報が設定され、時系列順に暗証情報を入力可能な複数の入力領域を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された情報が、前記暗証情報を特定可能な情報より特定された暗証情報に一致するか否かを判定する認証情報判定手段とを具備することを特徴とする精算機である。
【００８５】
この発明によれば、入力領域のうち少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な暗証入力部を有する暗証入力装置において、暗証番号等の暗証情報の入力を他人に盗み見られ、記憶媒体が盗まれても、１つの入力領域に１つの暗証情報が設定された複数の入力領域を備えた暗証入力部において、具体的な暗証番号等の暗証情報を入力しなければないらない精算機においては、例えば、その記憶媒体を用いて、度数などを現金として払い出させることなどの行為を行うことはできない。
【００８６】
また、１つの入力領域に１つの暗証情報が設定された複数の入力領域を備えた精算機の暗証入力部において、複数の入力領域に亘って押圧を検知した場合に、押圧された複数の入力領域に設定された複数の暗証情報を入力可能としてもよい。この場合には、認証情報判定手段において、入力領域から時系列順に入力された所定の回における暗証情報のうちの１つが、暗証情報特定手段によって特定された所定の回に対応する暗証情報に一致するか否かを判定する。
【００８７】
また、本発明の請求項３５の発明は、請求項１６乃至２３にいずれか１項記載の暗証入力装置と通信可能に接続され、記憶媒体から読み取った有価価値を特定可能な情報により特定された有価価値を現金に精算する精算機であって、押圧を検知する多数の検知部を有するタッチパネルと、前記タッチパネルの所定の複数の検知部毎に、入力領域が区分され、前記入力領域のうち、少なくとも１つに、前記暗証入力装置における入力領域に設定された暗証情報とは異なる組み合わせの複数の暗証情報に対応する入力領域を備えた暗証入力部と、予め設定された暗証情報を特定可能な情報が記憶された記憶媒体から前記暗証情報を特定可能な情報を読み取る暗証特定情報読取手段と、前記第２の暗証特定情報読取手段によって読み取られた暗証情報を特定可能な情報によって暗証情報を特定する暗証情報特定手段と、前記暗証入力部から時系列順に入力された所定の回における暗証情報のうちの１つが、前記暗証情報特定手段によって特定された前記所定の回に対応する暗証情報に一致するか否かを判定する認証情報判定手段とを具備することを特徴とする精算機である。
【００８８】
この発明によれば、入力領域のうち少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な暗証入力部を有する暗証入力装置において、暗証番号等の暗証情報の入力を他人に盗み見られ、記憶媒体が盗まれても、暗証入力装置における入力領域に設定された暗証情報とは異なる組み合わせの複数の暗証情報に対応する入力領域を備えた暗証入力部において、暗証番号等の暗証情報を入力しなければないらない精算機においては、例えば、その記憶媒体を用いて、度数などを現金として払い出させることなどの行為を行うことはできない。
【００８９】
さらに、本発明の請求項３６の発明は、請求項１６乃至２３にいずれか１項記載の暗証入力装置と通信可能に接続され、記憶媒体から読み取った獲得した遊技媒体数を特定可能な情報により特定された獲得した遊技媒体数に基づいて景品を払い出す景品払出機であって、押圧を検知する多数の検知部を有するタッチパネルと、前記タッチパネルの所定の複数の検知部毎に、入力領域が区分され、１つの入力領域に１つの暗証情報が設定され、時系列順に暗証情報を入力可能な複数の入力領域を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された情報が、前記暗証情報を特定可能な情報より特定された暗証情報に一致するか否かを判定する認証情報判定手段とを具備することを特徴とする景品払出機である。
【００９０】
この発明によれば、入力領域のうち少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な暗証入力部を有する暗証入力装置において、暗証番号等の暗証情報の入力を他人に盗み見られ、記憶媒体が盗まれても、１つの入力領域に１つの暗証情報が設定された複数の入力領域を備えた暗証入力部において、具体的な暗証番号等の暗証情報を入力しなければないらない景品払出機においては、例えば、その記憶媒体を用いて、度数などを景品に交換することなどの行為を行うことはできない。
【００９１】
また、１つの入力領域に１つの暗証情報が設定された複数の入力領域を備えた景品払出機の暗証入力部において、複数の入力領域に亘って押圧を検知した場合に、押圧された複数の入力領域に設定された複数の暗証情報を入力可能としてもよい。この場合には、認証情報判定手段において、入力領域から時系列順に入力された所定の回における暗証情報のうちの１つが、暗証情報特定手段によって特定された所定の回に対応する暗証情報に一致するか否かを判定する。
【００９２】
また、本発明の請求項３７の発明は、請求項１６乃至２３にいずれか１項記載の暗証入力装置と通信可能に接続され、記憶媒体から読み取った獲得した遊技媒体数を特定可能な情報により特定された獲得した遊技媒体数に基づいて景品を払い出す景品払出機であって、押圧を検知する多数の検知部を有するタッチパネルと、前記タッチパネルの所定の複数の検知部毎に、入力領域が区分され、前記入力領域のうち、少なくとも１つに、前記暗証入力装置における入力領域に設定された暗証情報とは異なる組み合わせの複数の暗証情報に対応する入力領域を備えた暗証入力部と、予め設定された暗証情報を特定可能な情報が記憶された記憶媒体から前記暗証情報を特定可能な情報を読み取る暗証特定情報読取手段と、前記第２の暗証特定情報読取手段によって読み取られた暗証情報を特定可能な情報によって暗証情報を特定する暗証情報特定手段と、前記暗証入力部から時系列順に入力された所定の回における暗証情報のうちの１つが、前記暗証情報特定手段によって特定された前記所定の回に対応する暗証情報に一致するか否かを判定する認証情報判定手段とを具備することを特徴とする景品払出機である。
【００９３】
この発明によれば、入力領域のうち少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な暗証入力部を有する暗証入力装置において、暗証番号等の暗証情報の入力を他人に盗み見られ、記憶媒体が盗まれても、暗証入力装置における入力領域に設定された暗証情報とは異なる組み合わせの複数の暗証情報に対応する入力領域を備えた暗証入力部において、暗証番号等の暗証情報を入力しなければないらない景品払出機においては、例えば、その記憶媒体を用いて、度数などを景品に交換することなどの行為を行うことはできない。
【００９４】
また、本発明の請求項３８の発明は、請求項１６乃至２３にいずれか１項記載の暗証入力装置と通信可能に接続され、遊技媒体数を計数する計数機であって、押圧を検知する多数の検知部を有するタッチパネルと、前記タッチパネルの所定の複数の検知部毎に、入力領域が区分され、１つの入力領域に１つの暗証情報が設定され、時系列順に暗証情報を入力可能な複数の入力領域を備えた暗証入力部と、予め設定された暗証情報を特定可能な情報が記憶された記憶媒体から前記暗証情報を特定可能な情報を読み取る暗証特定情報読取手段と、前記暗証特定情報読取手段によって読み取られた暗証情報を特定可能な情報によって暗証情報を特定する暗証情報特定手段と、前記暗証入力部から時系列順に入力された情報が、前記暗証情報を特定可能な情報より特定された暗証情報に一致するか否かを判定する認証情報判定手段とを具備することを特徴とする計数機である。
【００９５】
この発明によれば、入力領域のうち少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な暗証入力部を有する暗証入力装置において、暗証番号等の暗証情報の入力を他人に盗み見られ、記憶媒体が盗まれても、１つの入力領域に１つの暗証情報が設定された複数の入力領域を備えた暗証入力部において、具体的な暗証番号等の暗証情報を入力しなければないらない計数機においては、例えば、その記憶媒体を用いて、計数処理などの行為を行うことはできない。
【００９６】
また、１つの入力領域に１つの暗証情報が設定された複数の入力領域を備えた計数機の暗証入力部において、複数の入力領域に亘って押圧を検知した場合に、押圧された複数の入力領域に設定された複数の暗証情報を入力可能としてもよい。この場合には、認証情報判定手段において、入力領域から時系列順に入力された所定の回における暗証情報のうちの１つが、暗証情報特定手段によって特定された所定の回に対応する暗証情報に一致するか否かを判定する。
【００９７】
また、本発明の請求項３９の発明は、請求項１６乃至２３にいずれか１項記載の暗証入力装置と通信可能に接続され、遊技媒体数を計数する計数機であって、押圧を検知する多数の検知部を有するタッチパネルと、前記タッチパネルの所定の複数の検知部毎に、入力領域が区分され、前記入力領域のうち、少なくとも１つに、前記暗証入力装置における入力領域に設定された暗証情報とは異なる組み合わせの複数の暗証情報に対応する入力領域を備えた暗証入力部と、予め設定された暗証情報を特定可能な情報が記憶された記憶媒体から前記暗証情報を特定可能な情報を読み取る暗証特定情報読取手段と、前記第２の暗証特定情報読取手段によって読み取られた暗証情報を特定可能な情報によって暗証情報を特定する暗証情報特定手段と、前記暗証入力部から時系列順に入力された所定の回における暗証情報のうちの１つが、前記暗証情報特定手段によって特定された前記所定の回に対応する暗証情報に一致するか否かを判定する認証情報判定手段とを具備することを特徴とする計数機である。
【００９８】
この発明によれば、入力領域のうち少なくとも１つに予め複数の暗証情報に対応する入力領域を備えた、または１つの入力領域に１つの暗証情報が設定された複数の入力領域を備え、複数の入力領域に亘って押圧を検知した場合に、押圧された複数の入力領域に設定された複数の暗証情報を入力可能な暗証入力部を有する暗証入力装置において、暗証番号等の暗証情報の入力を他人に盗み見られ、記憶媒体が盗まれても、暗証入力装置における入力領域に設定された暗証情報とは異なる組み合わせの複数の暗証情報に対応する入力領域を備えた暗証入力部において、暗証番号等の暗証情報を入力しなければないらない計数機においては、例えば、その記憶媒体を用いて、度数などを景品に交換することなどの行為を行うことはできない。
【００９９】
また、本発明の請求項４０の発明は、暗証情報を入力する入力領域を複数備え、前記入力領域の操作に応じて時系列順に暗証情報を入力して、前記入力された暗証情報の認証を行い、予め設定された暗証情報とすべてが一致する場合に所要の処理を実行する暗証入力方法であって、押圧を検知する多数の検知部を有するタッチパネルの所定の複数の検知部毎に、入力領域が区分され、前記入力領域のうち少なくとも１つに予め複数の暗証情報に対応する入力領域を備え、または１つの前記入力領域に１つの暗証情報が設定され、複数の前記入力領域に亘って押圧を検知した場合に、前記押圧された複数の前記入力領域に設定された複数の暗証情報を入力可能な入力領域を備え、前記入力領域から時系列順に暗証情報を入力する暗証入力ステップと、予め設定された暗証情報を特定可能な情報が記憶された記憶媒体から前記暗証情報を特定可能な情報を読み取る暗証特定情報読取ステップと、前記暗証特定情報読取ステップにおいて読み取られた暗証情報を特定可能な情報によって暗証情報を特定する暗証情報特定ステップと、前記入力領域から時系列順に入力された所定の回における暗証情報のうちの１つが、前記暗証情報特定ステップにおいて特定された前記所定の回に対応する暗証情報に一致するか否かを判定する認証情報判定ステップとを具備することを特徴とする暗証入力方法である。
【０１００】
この発明によれば、入力領域のうち少なくとも１つに予め複数の暗証情報に対応する入力領域を備えた、または１つの入力領域に１つの暗証情報が設定され、複数の入力領域に亘って押圧を検知した場合に、押圧された複数の入力領域に設定された複数の暗証情報を入力可能な入力領域を備え、これを用いて暗証入力ステップを実行することで、暗証番号等の暗証情報の入力を他人に盗み見られても、他人は具体的な暗証番号等の暗証情報を特定することができない。また、押圧を検知する多数の検知部を有するタッチパネルを用いることで、任意の領域に入力領域を設定することも可能である。ここで、記憶媒体は、カード形状、コイン形状などの形状を有し、記憶媒体に記憶された有価価値特定情報には、例えば、遊技者を識別するためのＩＤ、入金された金額を度数化した度数など情報が含まれる。例えば、このＩＤに基づいて、管理装置に記録された有価価値を読み出すことで有価価値を特定することなどができる。
【０１０１】
また、本発明の請求項４１の発明は、前記暗証入力方法において、押圧を検知する多数の検知部を有するタッチパネルの所定の複数の検知部毎に、入力領域が区分され、１つの入力領域に１つの暗証情報が設定された時系列順に暗証情報を登録可能な暗証登録用入力部が備えられ、前記入力領域から時系列順に暗証情報を入力する暗証登録用入力ステップをさらに具備することを特徴とする請求項４０記載の暗証入力方法である。
【０１０２】
この発明によれば、１つの入力領域に１つの暗証情報が設定された時系列順に暗証情報を登録可能な暗証登録用入力部を備え、暗証登録用入力ステップを実行することで、例えば、テンキーとして用いることができ、例えば、暗証番号等の暗証情報の登録を行うことができる。
【発明の効果】
【０１０３】
本発明の暗証入力装置、暗証入力方法、暗証入力システム、この暗証入力装置を備えた台間機、データ公開機、計数機、景品払出機、精算機によれば、暗証番号等の暗証情報を入力する際に盗み見られても、他人に具体的な暗証番号等の暗証情報が特定できず、盗難などの犯罪を防止することができる。
【発明を実施するための最良の形態】
【０１０４】
以下、本発明に係る暗証入力システム１の一実施の形態を図面を参照して説明する。
【０１０５】
図１に、本発明の一実施の形態の暗証入力システム１の概要図を示す。なお、ここでは、暗証入力装置は、暗証入力システム１を構成する、例えば、台間機３、４、６、データ公開機２２などの機器に備えられた一例を示している。
【０１０６】
この一実施の形態の暗証入力システム１では、複数のパチンコ機２および複数のパチンコ機２のそれぞれに接続された遊技媒体排出機として機能する台間機３、４、複数のスロットマシーン５のそれぞれに接続された遊技媒体排出機として機能する台間機６が島コンピュータ７を介してネットワーク８に接続されている。
【０１０７】
また、ネットワーク８には、例えば、受け入れた会員用ＩＣカードまたは非会員用ＩＣカードの度数（有価価値）残高を現金で返却する精算機１０、受け入れた会員用ＩＣカードや貯玉数の情報が記録されたレシートから貯玉数を参照し、貯玉数とその貯玉数により交換される景品種別と数量の表示を行い、景品払出機１８が併設される場合、景品払出機１８へ払い出す景品の種別と数量を指示する景品管理機（ＰＯＳ）１１などが接続されている。また、遊技媒体であるパチンコ玉やメダルの数量を計数して貯玉数とする計数機９がネットワーク８に接続される。
【０１０８】
さらに、会員用ＩＣカードに記憶されたＩＤに基づいて管理装置１３に記憶された貯玉数があれば再プレー用貯玉数の情報を書き換える旨の要求信号を、ネットワーク８を介して管理装置１３に送信し、再プレーを行える状態にする再プレー受付機１２、受け入れた紙幣額に対して購入度数ボタンで選択された金額に対応する度数を、会員用ＩＣカードに更新したり、その金額に対応する度数が記憶された非会員用ＩＣカードの発行を行う発行機２０、各遊技機の上部に取り付けられ、各遊技機における、例えば、スランプグラフ、スタート回数、大当たり回数などの情報を表示するデータ表示機２１、各遊技機の、例えば、スランプグラフ、スタート回数、大当たり回数などの情報を検索可能であり、その検索情報を表示部に表示して遊技者に提供するデータ公開機２２などが接続されている。
【０１０９】
これらの機器からの情報は、ネットワーク８を介して管理装置１３に出力され、さらに、プロトコルコンバータ１４、モデム１５を介してカードセンタ１６に送信される。なお、モデム１５からカードセンタ１６への情報の通信は、一般通信回線を介して行われる。
【０１１０】
管理装置１３は、例えば、管理装置１３の情報を参照する機能を含んだパーソナルコンピュータ１７などとも接続されている。また、管理装置１３からの情報は、ネットワーク８を介して各機器に出力される。なお、管理装置１３は、１つまたは複数の管理装置で構成することができる。複数の管理装置の場合として、度数などの有価価値情報を処理するカードシステム用管理装置、遊技機の稼働情報に基づいて、遊技機の釘やスロットマシーンの出メダル率を変更するための設定を調整するために集計するホールコンピュータ、景品の在庫数や出庫数を管理するための景品管理用管理装置、貯玉数などの会員管理用管理装置などが例示でき、これら管理装置をネットワークにより接続して相互にデータ通信させることで管理装置１３を構成することができる。
【０１１１】
以下に、本発明に係る暗証入力システム１を構成する各機器や記憶媒体について説明する。
【０１１２】
（会員用ＩＣカード３０および非会員用ＩＣカード３１）
図２（ａ）に会員の遊技者が使用するカード形状記憶媒体である会員用ＩＣカード３０の斜視図、図２（ｂ）に非会員の遊技者が使用するカード形状記憶媒体である非会員用ＩＣカード３１の斜視図を示す。
【０１１３】
ここで、会員の遊技者とは、住所、氏名、年齢、性別、好きな台、連絡先、暗証番号等の暗証情報などの属性情報が会員の遊技者を互いに識別するＩＤに基づいて管理装置に登録され、会員用ＩＣカード３０を有する遊技者をいう。また、非会員の遊技者とは、会員登録されていない一般の遊技者をいう。
【０１１４】
図２（ａ）、（ｂ）に示すように、会員用ＩＣカード３０および非会員用ＩＣカード３１は、従来から遊技システムで使用されていたＩＣチップを有する記憶媒体であり、カード形状を有している。非会員用ＩＣカード３１は、例えば、会員用ＩＣカード３０よりもカードの縦および横の長さが短く、さらに、厚さが薄く構成されている。
【０１１５】
これらの会員用ＩＣカード３０や非会員用ＩＣカード３１は、ＩＣチップと、そのＩＣチップを取り巻くアンテナ部とを有する非接触型の記憶媒体であり、アンテナ部を介してＩＣチップに情報の読み書きをすることができる。
【０１１６】
会員用ＩＣカード３０または非会員用ＩＣカード３１を用いた管理システムにおいては、それぞれについて、次に示した管理システムの内のいずれか１つを採用することができる。
【０１１７】
会員用ＩＣカード３０は、（１）ＩＤだけの記録情報を有し、その他の情報は管理装置１３において管理されるシステム、または、（２）ＩＤ以外に度数などの有価情報などの情報を有し、さらに、その情報は管理装置１３においても管理されるシステムを採用することができる。
【０１１８】
ここで、会員用ＩＣカード３０を用いた場合の情報とは、ＩＤ、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー手数料、ポイント、遊技台種別などの情報、これらの情報を履歴情報、日毎情報、週毎情報とした情報、住所、氏名、年齢、性別、好きな台、連絡先、暗証番号等の暗証情報などの会員情報などをいう。また、これらに限るものではなく、遊技管理を行う上で必要な情報であれば管理することができる。さらに、これらの情報は、会員用ＩＣカード３０を用いた場合の会員として処理される情報である。
【０１１９】
また、上記ポイントには、来店ポイント（台間機に会員用ＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、会員用ＩＣカード３０を用いた場合の管理装置１３によって管理される情報は、これらに限るものではなく、遊技管理を行う上で必要な情報であれば管理することができる。
【０１２０】
非会員用ＩＣカード３１は、（３）ＩＤだけの記録情報を有し、その他の情報は管理装置１３において管理されるシステム、（４）度数などの有価情報などの情報を有し、管理装置１３においてはその情報を管理しないシステム、（５）ＩＤ以外に度数などの有価情報などの情報を有し、さらに、その情報は管理装置１３においても管理されるシステムを採用することができる。（４）は、管理装置１３において情報の管理をする必要がある会員用ＩＣカード３０には採用されない。
【０１２１】
ここで、非会員用ＩＣカード３１を用いた場合の情報とは、度数、貸玉、入金、追加入金、貸玉数などの情報、これらの情報を所定の期間に限って管理する情報などをいう。これらの情報は、非会員用ＩＣカード３１を用いた場合の非会員として処理される情報である。また、これらの情報には、アウト（発射玉）、セーフ（遊技機への供給玉、つまり遊技の上皿への供給玉：遊技者の獲得玉）、勝敗（セーフからアウトを減じたもの）、貯玉数、再プレー用貯玉数、再プレー手数料、ポイント、遊技台種別などが含まれない点で会員用ＩＣカード３０を用いた場合の会員として処理される情報と異なる。また、非会員用ＩＣカード３１を用いた場合の管理装置１３によって管理されている情報は、これらに限るものではなく、遊技管理を行う上で必要な情報であれば管理することができる。
【０１２２】
なお、ここでは、会員用と同様に非会員用にもＩＣカードを用いた例を示したが、非会員用のＩＣチップを有する記憶媒体として、コイン形状のＩＣコインを用いることもできる。この場合には、台間機３、４、６には、このＩＣコインを受け入れるための受入部が構成される。
【０１２３】
なお、本発明の一実施の形態の暗証入力システム１において、上述した（１）会員用ＩＣカード３０は、ＩＤだけの記録情報を有し、その他の情報は管理装置１３において管理される場合について説明するが、勿論、上述した他の管理システム（２）も採用することができる。また、遊技媒体排出システム１において、上述した（３）非会員用ＩＣカード３１は、ＩＤだけの記録情報を有し、その他の情報は管理装置１３において管理される場合について説明するが、勿論、上述した他の管理システム（４）、（５）も採用することができる。
【０１２４】
（暗証入力装置における暗証入力部）
次に、暗証入力装置における暗証入力部について、図３〜図６を参照して説明する。
【０１２５】
図３〜図６には、暗証入力装置における４種類の暗証入力部４０の一例が示され、それぞれに暗証入力部４０の平面図が示されている。
【０１２６】
図３および図４に示された暗証入力部４０は、「１と６」、「２と７」、「３と８」、「４と９」、「５と０」の表示がなされた入力部４１が設けられている。例えば、暗証番号等の暗証情報が「２９０１」の場合には、「２と７」、「４と９」、「５と０」、「１と６」の入力部４１を順に押して、暗証番号等の暗証情報を入力する。また、図５に示すように、各入力部４１に表示されている数値を７セグメントＬＥＤ４２で表示してもよい。これによって、各入力部４１に表示されている数値を任意に変更することができ、上記した数値の組み合わせ以外の組み合わせを有する入力部４１を構成することができる。なお、数値の組み合わせには、「０〜９」までの１０種類の数値が含まれていることが好ましい。
【０１２７】
また、図６に示された暗証入力部４０は、押圧を検知する多数の検知部を有するタッチパネル４５を、領域Ｓ０〜領域Ｓ９、領域Ｙ１〜領域Ｙ１３、領域Ｔ１〜領域Ｔ４の入力領域に区分されている。領域Ｓ０〜領域Ｓ９は、１つの入力領域が１つの暗証情報に対応した、つまり１つの数値が設定された領域であり、領域Ｙ１〜領域Ｙ１３は、複数の暗証情報に対応した、つまり、２つの数値が設定された領域であり、さらに、領域Ｔ１〜領域Ｔ４は、複数の暗証情報に対応した、つまり、４つの数値が設定された領域である。
【０１２８】
領域Ｙ１〜領域Ｙ１３は、その領域を挟む２つの領域Ｓ０〜領域Ｓ９の数値が設定されている。例えば、領域Ｙ１は、領域Ｓ１「１」と領域Ｓ２「６」に挟まれているので、その設定値は、「１と６」となる。また、領域Ｔ１〜領域Ｔ４は、その領域を囲む４つの領域Ｓ０〜領域Ｓ９の数値が設定されている。例えば、領域Ｔ１は、領域Ｓ１「１」、領域Ｓ２「６」、領域Ｓ３「２」および領域Ｓ４「７」に囲まれているので、その設定値は、「１、２、６、７」となる。なお、領域Ｓ０〜領域Ｓ９には、「０〜９」までの１０種類の数値が含まれていることが好ましい。
【０１２９】
また、暗証入力部４０は、EL（Electro Luminescence）ディスプレイ上にタッチパネル４５を貼付して構成されている。EL（Electro Luminescence）ディスプレイには、領域Ｓ０〜領域Ｓ９、領域Ｙ１〜領域Ｙ１３、領域Ｔ１〜領域Ｔ４における数値を表示するための発光表示部が形成されている。また、タッチパネル４５は、例えば、遊技者が触れると、その触れた領域の抵抗値が変化して、遊技者が触れた領域を検知することができる。この検知によって、遊技者が、区分されたどの領域を選択したかを特定することができる。また、領域Ｓ０〜領域Ｓ９における発光表示部の数値を任意に変更することができる。
【０１３０】
図６に示された暗証入力部４０では、例えば、暗証番号等の暗証情報が「２９０１」の場合には、２を含む「領域Ｙ２、領域Ｙ４、領域Ｙ５、領域Ｓ３、領域Ｔ１、領域Ｔ２のいずれか１つの領域」、９を含む「領域Ｙ９、領域Ｙ１０、領域Ｙ１２、領域Ｓ８、領域Ｔ３、領域Ｔ４のいずれか１つの領域」、０を含む「領域Ｙ１２、領域Ｙ１３、領域Ｓ０、領域Ｔ４のいずれか１つの領域」、１を含む「領域Ｙ１、領域Ｙ２、領域Ｓ１、領域Ｔ１のいずれか１つの領域」を順に押して、暗証番号等の暗証情報を入力する。
【０１３１】
ここで、図６に示された暗証入力部４０では、例えば、１つの入力領域が１つの暗証情報に対応した入力領域のみを構成することもできる。具体的には、領域Ｓ０〜領域Ｓ９のみを選択可能領域とし、他の領域である領域Ｙ１〜領域Ｙ１３、領域Ｔ１〜領域Ｔ４が選択された場合には、選択数値なし、つまり無効とすることで、１つの入力領域が１つの暗証情報に対応した入力領域のみを構成することができる。
【０１３２】
なお、図６に示された暗証入力部４０では、例えば、遊技者が手で暗証入力部４０の全面を押圧するような場合も想定できるが、このような場合には、入力を無効とする処理がなされる。具体的には、最多の暗証情報に対応する領域Ｔ１〜領域Ｔ４における暗証情報数の４種より多い暗証情報を同時に検知した場合などに、入力を無効とする処理がなされる。
【０１３３】
また、１つの入力領域が１つの暗証情報に対応した入力領域のみを構成するタイプの暗証入力部４０として、従来の入力領域や入力部４１にテンキーを用いるタイプを採用することもできる。暗証入力部４０がタッチパネルにおいては、０〜９の１０個の入力領域に分割し１つの入力領域が１つの暗証情報に対応する入力領域のみを構成するタイプの場合、複数の入力領域を同時に押圧した場合、記憶媒体に記憶された暗証情報を特定可能な情報（暗証情報自体、ＩＤ）を読み込み、暗証情報を特定可能な情報に基づいて暗証情報を特定し、同時に押圧した場合に検知される複数の暗証情報のうち一致するものを選択するようにしてもよい。
【０１３４】
ここで、以降の記載では、上記した暗証入力部４０において、１つの入力部が複数の暗証情報に対応可能に構成されているものをタイプＡと示し、１つの入力部が１つの暗証情報に対応可能に構成されているものをタイプＢと示す。さらに、タイプＡにおいて、図６に示すタイプの暗証入力部４０をタイプＡ−１とし、図３〜図５に示すタイプの暗証入力部４０をタイプＡ−２とする。また、タイプＢにおいて、図６に示すタイプの暗証入力部４０をタイプＢ−１とし、図示していないテンキーを用いるタイプの暗証入力部４０をタイプＢ−２とする。
【０１３５】
（発行機２０）
図７は、発行機２０を正面から見た平面図、図８は、発行機２０の構成部を示す図、図９は、発行機２０における動作の流れを示す図である。
【０１３６】
まず、図７を参照して、発行機２０の構成について説明する。
【０１３７】
図７に示すように、発行機２０の正面側には、カード挿入口２０ａ、紙幣挿入口２０ｂ、購入度数ボタン２０ｃ、表示部２０ｅ、暗証入力部４０が構成されている。
【０１３８】
発行機２０は、紙幣挿入口２０ｂから挿入された紙幣額に対して購入度数ボタン２０ｃで選択された、１００００円、５０００円、３０００円、１０００円、投入された金額全部をあらわす「１００００」「５０００」「３０００」「１０００」「全部」の表示の中から金額に対応する度数を会員用ＩＣカード３０に更新したり、会員用ＩＣカード３０が用いられない場合には、その金額に対応する度数が記録された非会員用ＩＣカード３１の発行を行うものである。
【０１３９】
ここで、度数とは、入金された金額を度数化したもので、例えば、１万円を度数化すると１００度数となる。また、発行機２０では、会員用ＩＣカード３０を利用する場合に、来店ポイントが付与される。付与された来店ポイントは、管理装置１３において、会員用ＩＣカード３０のＩＤに基づいて管理されているポイント数に加算される。
【０１４０】
暗証入力部４０は、１つの入力部が１つの暗証情報に対応可能に構成され、そのような入力部を複数有して構成されている。発行機２０の暗証入力部４０には、上記した、１つの入力部が１つの暗証情報に対応可能に構成されたタイプＢ（タイプＢ−１またはタイプＢ−２）が備えられている。
【０１４１】
図８に示すように、発行機２０は、制御部１００、カード処理部１０１、非会員用カード発行部１０２、選択ボタン検知部１０３、貨幣識別部１０４、暗証入力検知部１０５から構成されている。
【０１４２】
制御部１００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１００では、カード処理部１０１、非会員用カード発行部１０２、選択ボタン検知部１０３、貨幣識別部１０４、暗証入力検知部１０５の各機部間の信号の出入力、および、ネットワーク８を介して管理装置１３との間の信号の出入力を制御している。また、制御部１００では、ＲＯＭやＲＡＭに格納された、例えば、暗証情報判定プログラムなどに基づいて、入力された暗証情報と、予め設定された暗証情報とが一致するか否かを判定する。
【０１４３】
カード処理部１０１は、会員カード処理部として機能し、カード挿入口２０ａから挿入された会員用ＩＣカード３０に記録された、例えば、ＩＤやそのＩＤで管理されている有価情報などの読み取り、その読み取った情報の制御部１００への出力、制御部１００からの更新された有価情報などの会員用ＩＣカード３０への書き込みなどを行うもので、例えば、リーダライタなどで構成される。
【０１４４】
非会員用カード発行部１０２は、非会員カード処理部として機能し、非会員用ＩＣカード３１にＩＤを付与して発行を行うもので、例えば、リーダライタなどで構成される。また、非会員用カード発行部１０２は、紙幣挿入口２０ｂから挿入された紙幣額に対して購入度数ボタン２０ｃで選択された金額に対応する度数や預り消費税の情報などを非会員用ＩＣカード３１のＩＤとともに制御部１００への出力するものである。
【０１４５】
選択ボタン検知部１０３は、購入度数ボタン２０ｃ、取消／釣りボタン２０ｄが押されたことを検知し、その押された信号に基づいて、制御部１００に信号を出力するものである。
【０１４６】
貨幣識別部１０４は、紙幣挿入口２０ｂから挿入される４種類の紙幣を識別し、識別した紙幣の情報を制御部１００に出力するものである。また、制御部１００からの情報に基づいて、紙幣返却口２０ｆから紙幣を、また硬貨返却口２０ｈから硬貨を返却する。
【０１４７】
暗証入力検知部１０５は、暗証入力部４０において選択された入力部４１や、領域Ｓ０〜領域Ｓ９、領域Ｙ１〜領域Ｙ１３、領域Ｔ１〜領域Ｔ４などの入力領域を検知し、その検知した情報を制御部１００に出力するものである。
【０１４８】
そして、制御部１００によって制御される、カード処理部１０１、非会員用カード発行部１０２、選択ボタン検知部１０３、貨幣識別部１０４、暗証入力検知部１０５の各機器部は、次のように動作する（図９）。
【０１４９】
以下に、図９を参照してその動作を説明する。
【０１５０】
貨幣識別部１０４は、紙幣挿入口２０ｂからの入金を待機しており、紙幣挿入口２０ｂにおける紙幣の挿入を検知すると、それに応じた処理を実行する。
【０１５１】
制御部１００は、貨幣識別部１０４からの情報に基づいて、紙幣が入金された否かを判定する（ステップＳ１１０）。
【０１５２】
ステップＳ１１０の判定で、紙幣が入金されていないと判定した場合（ステップＳ１１０のＮｏ）には、ステップＳ１２５の処理を実行する。
【０１５３】
ステップＳ１１０の判定で、紙幣が入金されたと判定した場合（ステップＳ１１０のＹｅｓ）には、貨幣識別部１０４は、入金された紙幣の識別を行い、その識別情報を制御部１００に出力する（ステップＳ１１１）。また、貨幣識別部１０４で識別された紙幣は、発行機２０内の紙幣回収部（図示しない）に回収される（ステップＳ１１１）。
【０１５４】
続いて、制御部１００は、入力した識別情報に基づいて、入金額を表示させるための表示情報を表示部２０ｅに出力し、表示部２０ｅでは、その表示情報に基づいて入金額を表示する（ステップＳ１１２）。
【０１５５】
続いて、制御部１００は、選択ボタン検知部１０３からの情報に基づいて、購入度数ボタン２０ｃ（１００００円ボタン、５０００円ボタン、３０００円ボタン、１０００円ボタン、全部ボタン）が押されたか否かを判定する（ステップＳ１１３）。
【０１５６】
ステップＳ１１３の判定で、購入度数ボタン２０ｃが押されていないと判定した場合（ステップＳ１１３の「ＯＦＦのまま」）には、ステップＳ１２５の処理を実行する。
【０１５７】
一方、ステップＳ１１３の判定で、購入度数ボタン２０ｃが押されたと判定した場合（ステップＳ１１３の「ＯＮ」）には、例えば、購入度数ボタン２０ｃが連続して押されていても同じ動作を繰り返さないようにするために、購入度数ボタン２０ｃのＯＮ履歴がクリアされる（ステップＳ１１４）。そして、選択された購入度数ボタン２０ｃの情報は、選択ボタン検知部１０３から制御部１００に出力される。
【０１５８】
続いて、制御部１００は、識別された紙幣の金額が、購入度数に対応する金額以上か否かを判定する（ステップＳ１１５）。
【０１５９】
ステップＳ１１５の判定で、識別された紙幣の金額が、購入度数ボタン２０ｃの金額より小さいと判定した場合（ステップＳ１１５のＮｏ）には、ステップＳ１２５の処理を実行する。
【０１６０】
一方、ステップＳ１１５の判定で、識別された紙幣の金額が、購入度数ボタン２０ｃの金額以上であると判定した場合（ステップＳ１１５のＹｅｓ）には、制御部１００は、カード処理部１０１からの情報に基づいて、会員用ＩＣカード３０が挿入されているか否かを判定する（ステップＳ１１６）。
【０１６１】
ステップＳ１１６の判定で、会員用ＩＣカード３０が挿入されていると判定した場合（ステップＳ１１６のＹｅｓ）には、カード処理部１０１は、会員用ＩＣカード３０に記録されたＩＤを読み取り、読み取ったＩＤ、貨幣識別部１０４で識別された紙幣の金額、選択された購入度数ボタン２０ｃの金額などをネットワーク８を介して管理装置１３に送信する（ステップＳ１１７）。また、会員用ＩＣカード３０を利用した場合に付与される来店ポイントが付与され、付与された来店ポイントは、管理装置１３において、会員用ＩＣカード３０のＩＤに基づいて管理されているポイント数に加算される（ステップＳ１１７）。管理装置１３は、読み取られたＩＤの度数残高に、購入した度数を追加し、その更新された情報をネットワーク８を介して制御部１００に出力する（ステップＳ１１７）。
【０１６２】
そして、制御部１００は、管理装置１３から出力された、例えば、度数残高などの情報を表示するための表示情報を表示部２０ｅに出力し、表示部２０ｅは、例えば、その表示情報に基づいて度数残高などを表示する（ステップＳ１１８）。
【０１６３】
続いて、制御部１００は、カード処理部１０１に会員用ＩＣカード３０を返却するための情報を出力し、カード処理部１０１は、その情報に基づいてカード挿入口２０ａから会員用ＩＣカード３０を返却する（ステップＳ１１９）。
【０１６４】
続いて、制御部１００において、貨幣識別部１０４で識別された紙幣の金額から選択された購入度数ボタン２０ｃの金額を減じ、残金額に対応する情報を表示部２０ｅに出力する（ステップＳ１２０）。そして、制御部１００から出力された残金額に対応する情報に基づいて、表示部２０ｅでは、その残金額を表示する（ステップＳ１２０）。
【０１６５】
ステップＳ１１６の判定で、会員用ＩＣカード３０が挿入されていないと判定した場合（ステップＳ１１６のＮｏ）には、Ｂタイプの暗証入力部４０を用いた場合の暗証入力処理が実行される（ステップＳ１２１）。なお、このＢタイプの暗証入力処理については、後に詳細に説明する。
【０１６６】
続いて、非会員用カード発行部１０２は、貯留された非会員用ＩＣカード３１にＩＤを付与し、その情報を制御部１００に出力する（ステップＳ１２２）。
【０１６７】
さらに、制御部１００は、そのＩＤ情報、貨幣識別部１０４で識別された紙幣の金額、選択された購入度数ボタン２０ｃの金額などをネットワーク８を介して管理装置１３に送信する（ステップＳ１２３）。
【０１６８】
また、非会員用カード発行部１０２は、付与されたＩＤを非会員用ＩＣカード３１に記録する。そして、制御部１００は、非会員用カード発行部１０２に非会員用ＩＣカード３１を返却するための情報を出力し、非会員用カード発行部１０２は、その情報に基づいてカード挿入口２０ａから非会員用ＩＣカード３１を発行する（ステップＳ１２４）。
【０１６９】
続いて、制御部１００において、貨幣識別部１０４で識別された紙幣の金額から選択された購入度数ボタン２０ｃの金額を減じ、残金額に対応する情報を表示部２０ｅに出力する（ステップＳ１２０）。そして、制御部１００から出力された残金額に対応する情報に基づいて、表示部２０ｅでは、その残金額を表示する（ステップＳ１２０）。
【０１７０】
続いて、制御部１００は、選択ボタン検知部１０３からの情報に基づいて、取消／釣りボタン２０ｄが押されたか否かを判定する（ステップＳ１２５）。
【０１７１】
ステップＳ１２５の判定で、取消／釣りボタン２０ｄが押されたと判定した場合（ステップＳ１２５のＹｅｓ）には、制御部１００は、貨幣識別部１０４に残金を返却するための情報を出力する。貨幣識別部１０４は、その情報に基づいて、残金を紙幣返却口２０ｆまたは硬貨返却口２０ｈから返却する（ステップＳ１２６）。
【０１７２】
一方、ステップＳ１２５の判定で、取消／釣りボタン２０ｄが押されていないと判定した場合（ステップＳ１２５のＮｏ）には、リターンしスタートへ戻る。
【０１７３】
（再プレー受付機１２）
図１０は、再プレー受付機１２を正面から見た平面図、図１１は、再プレー受付機１２の構成部を示す図、図１２は、再プレー受付機１２における動作の流れを示す図である。
【０１７４】
まず、図１０を参照して、再プレー受付機１２の構成について説明する。
【０１７５】
図６に示すように、再プレー受付機１２の正面側には、カード挿入口１２ａ、暗証入力部４０、端玉／端メダル返却ボタン１２ｃ、カード返却ボタン１２ｄ、再プレー受付ボタン１２ｅ、端玉／端メダル受取口１２ｆ、表示部１２ｇが構成されている。
【０１７６】
再プレー受付機１２は、会員用ＩＣカード３０に記憶されたＩＤと共に、管理装置１３の再プレーＦＬＧ、貯玉数および再プレー用貯玉数の情報を書き換えるための要求信号を、ネットワーク８を介して管理装置１３に送信し、再プレーを行える状態にするものである。
【０１７７】
再プレーＦＬＧは、管理装置１３に書き込まれている情報で、再プレーを可能にしたり、不可能にしたりするものであり、例えば、「１」が書き込まれていれば再プレー可能、「０」が書き込まれていれば再プレー不可能になる。ここで、再プレーとは、計数機９において計数され貯玉された貯玉数のうち所定の金額（例えば１万円）に相当する玉数を再プレー用貯玉数とし、その再プレー用貯玉数分の貸玉の貸し出しによって、遊技をすることをいう。また、再プレー受付機１２では、会員用ＩＣカード３０の利用によって付与されるポイントを、例えば、再プレー用貯玉数に還元することもできる。
【０１７８】
暗証入力部４０は、１つの入力部が複数の暗証情報に対応可能に構成され、そのような入力部を複数有して構成されている。再プレー受付機１２の暗証入力部４０には、上記した、１つの入力部が複数の暗証情報に対応可能に構成されたタイプＡ（タイプＡ−１またはタイプＡ−２）が備えられている。ここで、端玉／端メダル返却ボタン１２ｃ、カード返却ボタン１２ｄ、再プレー受付ボタン１２ｅは、再プレー受付機１２の正面に設けれられているが、暗証入力部４０の一部に構成されてもよい。
【０１７９】
図１１に示すように、再プレー受付機１２は、制御部１５０、カード処理部１５１、端玉返却部１５２、選択ボタン検知部１５３、暗証入力検知部１５４から構成されている。
【０１８０】
制御部１５０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１５０では、カード処理部１５１、端玉返却部１５２、選択ボタン検知部１５３、暗証入力検知部１５４の各機部間の信号の出入力、および、ネットワーク８を介して管理装置１３との間の信号の出入力を制御している。
【０１８１】
カード処理部１５１は、カード挿入口１２ａから挿入された会員用ＩＣカード３０に記憶された、例えば、ＩＤやそのＩＤで管理されている有価情報などの読み取り、その読み取った情報の制御部１５０への出力、制御部１５０からの更新された有価情報を特定可能なＩＤなどを会員用ＩＣカード３０に書き込みするなどを行うもので、例えば、リーダライタなどで構成される。
【０１８２】
選択ボタン検知部１５３は、端玉／端メダル返却ボタン１２ｃ、カード返却ボタン１２ｄ、再プレー受付ボタン１２ｅが押されたことを検知し、その押された信号に基づいて、制御部１５０に信号を出力するものである。
【０１８３】
暗証入力検知部１５４は、暗証入力部４０において選択された入力部４１や、領域Ｓ０〜領域Ｓ９、領域Ｙ１〜領域Ｙ１３、領域Ｔ１〜領域Ｔ４などの入力領域を検知し、その検知した情報を制御部１５０に出力するものである。
【０１８４】
そして、制御部１５０によって制御される、カード処理部１５１、端玉返却部１５２、選択ボタン検知部１５３、暗証入力検知部１５４の各機器部は、次のように動作する（図１２）。
【０１８５】
以下に、図１２を参照してその動作を説明する。
【０１８６】
カード処理部１５１は、カード挿入口１２ａからの会員用ＩＣカード３０の挿入を待機しており、会員用ＩＣカード３０の挿入を検知すると、それに応じた処理を実行する。
【０１８７】
制御部１５０は、カード処理部１５１からの情報に基づいて、会員用ＩＣカード３０が挿入されているか否かを判定する（ステップＳ１６０）。
【０１８８】
ステップＳ１６０の判定で、会員用ＩＣカード３０が挿入されていないと判定した場合（ステップＳ１６０のＮｏ）には、リターンして、スタートに戻る。
【０１８９】
一方、ステップＳ１６０の判定で、会員用ＩＣカード３０が挿入されていると判定した場合（ステップＳ１６０のＹｅｓ）には、カード処理部１５１は、会員用ＩＣカード３０に記憶されたＩＤおよび暗証番号等の暗証情報を読み取り、制御部１５０に出力する（ステップＳ１６１）。
【０１９０】
続いて、Ａタイプの暗証入力部４０を用いた場合の暗証認証処理が実行される（ステップＳ１６２）。なお、このＡタイプの暗証認証処理については、後に詳細に説明する。
【０１９１】
ステップＳ１６２の暗証認証処理において、暗証番号等の暗証情報が一致しないと判定した場合（ステップＳ１６２の「ＮＧ」）には、カード処理部１５１によって、会員用ＩＣカード３０をカード挿入口１２ａから返却する（ステップＳ１６３）。そして、リターンして、スタートに戻る。
【０１９２】
一方、ステップＳ１６２の暗証認証処理において、暗証番号等の暗証情報が一致すると判定した場合（ステップＳ１６２の「ＯＫ」）には、カード処理部１５１は、読み取ったＩＤを、制御部１５０に出力し、さらに制御部１５０は、そのＩＤをネットワーク８を介して管理装置１３に送信する（ステップＳ１６４）。そして、管理装置１３は、そのＩＤで管理されている貯玉数などを読み取る（ステップＳ１６４）。
【０１９３】
次に、制御部１５０は、選択ボタン検知部１５３からの情報に基づいて、端玉／端メダル返却ボタン１２ｃ、カード返却ボタン１２ｄ、再プレー受付ボタン１２ｅのいずれかのボタンが押されたか否かを検知し、押されたボタンを判定する（ステップＳ１６５）。
【０１９４】
ステップＳ１６５の判定で、端玉／端メダル返却ボタン１２ｃが押されたと判定した場合（ステップＳ１６５の「端玉／端メダル返却ボタン」）には、制御部１５０は、その情報をネットワーク８を介して管理装置１３に出力する。そして、管理装置１３から端玉分の返却信号が、制御部１５０を介して端玉返却部１５２に出力され、端玉返却部１５２によって、端玉が端玉／端メダル受取口１２ｆから返却される（ステップＳ１６６）。ここで、端玉／端メダル返却ボタン１２ｃは、貯玉数が少数で、その貯玉を再プレー受付をせずに返却したい場合に押されるもので、それによって、端玉／端メダル受取口１２ｆから返却されるのが端玉である。
【０１９５】
続いて、制御部１５０は、返却する遊技媒体数の情報を表示部１２ｇに出力し、表示部１２ｇは、その情報に基づいて返却する遊技媒体数を表示する（ステップＳ１６７）。
【０１９６】
ステップＳ１６５の判定で、カード返却ボタン１２ｄが押されたと判定した場合（ステップＳ１６５の「カード返却ボタン」）には、カード処理部１５１は、会員用ＩＣカード３０をカード挿入口１２ａから返却する（ステップＳ１６８）。そして、リターンして、スタートに戻る。
【０１９７】
ステップＳ１６５の判定で、再プレー受付ボタン１２ｅが押されたと判定した場合（ステップＳ１６５の「再プレー受付ボタン」）には、制御部１５０は、その情報をネットワーク８を介して管理装置１３に出力する。そして、制御部１５０は、管理装置１３から、ステップＳ１６４の処理でＩＤに基づいて読み取られた貯玉数（Ｘ１）が次の式（１）（パチンコの場合）の関係を満たすか否かを判定する（ステップＳ１６９）。
Ｘ１  ≧  ２５００＋２５００×（手数料レート）  …式（１）
【０１９８】
ステップＳ１６９の判定で、式（１）（パチンコの場合）の関係を満たさないと判定した場合（ステップＳ１６９のＮｏ）の場合には、再プレー用貯玉数（Ｙ１）が次の式（２）から算出される（ステップＳ１７０）。
Ｙ１  ＝  Ｘ１  −  Ｘ１×（手数料レート）  …式（２）
ここで、手数料レートは、例えば、０．３７５などであり、この値は任意に変更される。
【０１９９】
そして、管理装置１３において、ＩＤに基づいて再プレー用貯玉数（Ｙ１）が登録され（ステップＳ１７０）、貯玉数は０と書き換えられる（ステップＳ１７１）。
【０２００】
続いて、再プレー用貯玉数が登録されると、管理装置１３において、ＩＤに基づいて管理装置１３の再プレーＦＬＧを１に書き換え、再プレー可能な状態にする（ステップＳ１７２）。
【０２０１】
ステップＳ１６９の判定で、式（１）（パチンコの場合）の関係を満たすと判定した場合（ステップＳ１６９のＹｅｓ）の場合には、管理装置１３において、貯玉数（Ｘ２）は次の式（３）の値に書き換えられ（ステップＳ１７３）、再プレー用貯玉数が２５００に登録される（ステップＳ１７４）。
Ｘ２  ＝  Ｘ１−２５００−２５００×（手数料レート）  …式（３）
【０２０２】
続いて、再プレー用貯玉数が登録されると、管理装置１３において、ＩＤに基づいて管理装置１３の再プレーＦＬＧを１に書き換え、再プレー可能な状態にする（ステップＳ１７２）。
【０２０３】
また、上記式（１）、式（２）、式（３）は、パチンコ機を対象としたものであるが、スロットマシーンのを対象とする場合、２５００玉に代えて１万円分の５００メダルとすることができる。再プレー受付機１２に切替ボタンなどを設け、その切替ボタンで、パチンコ機およびスロットマシーンのどちらの再プレー受付をするかを選択できるようにすることもできる。また、それぞれ、別体式の再プレー受付機１２として設けられてもよい。
【０２０４】
（台間機３、４、６）
次に、台間機３、４、６について、図１３〜図１７を参照して説明する。
【０２０５】
ここで、図１３〜図１５には、台間機３、４、６の平面図、図１６には、台間機３の表示部３ｅの一部拡大正面図を示す。また、図１７には、台間機３、４、６の内部構成図を示す。
【０２０６】
図１３〜図１５には、３種類の台間機３、４、６を正面から見た図が示されており、図３に示した台間機３（ユニット）および図４に示した台間機４（サンド）は、パチンコ用であり、図５に示した台間機６（台間メダル貸し機）は、スロットマシーン用である。
【０２０７】
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。一方、台間機４（サンド）は、パチンコ機２と情報通信ができないので、パチンコ玉は、サンドのノズル４ｍよりパチンコ機２の上皿へ供給される。
【０２０８】
また、台間機６（台間メダル貸し機）は、台間機４（サンド）と同様に、遊技機と情報通信ができないので、メダルは、台間機６（台間メダル貸し機）のメダル払出口に供給され、遊技者によってスロットマシーン５に移動される。なお、台間機６（台間メダル貸し機）のメダル払出口にノズルを取り付け、自動的にメダルがスロットマシーン５のメダル払出口に供給されるようにしてもよい。
【０２０９】
また、各台間機３、４、６には、カード挿入口３ａ、４ａ、６ａ、貸玉ボタン３ｂ、４ｂ（遊技機に貸玉ボタンを有しているので台間機３（ユニット）にはない場合もある。）、再プレー用排出ボタン３ｃ、４ｃ、貸メダルボタン６ｂ、再プレー用貸メダルボタン６ｃ、返却ボタン３ｄ、４ｄ、６ｄ、表示部３ｅ、４ｅ、６ｅ、状態表示ランプ３ｆ、４ｆ、６ｆ、カード回収部３ｇ、４ｇ、６ｇ、リモコン受光部３ｈ、４ｈ、６ｈ、カード種別表示部３ｉ、４ｉ、６ｉ、紙幣挿入口３ｊ、４ｊ、６ｊ、暗証入力部４０、メダル払出口６ｋなどが設けられている。
【０２１０】
また、図１７に示すように、台間機３、４、６内には、制御部３５、カード処理機２００、電源回路３６、貯留機構付き紙幣識別装置（ビルバリ）３７などが設置されている。
【０２１１】
カード処理機２００は、カード挿入口３ａ、４ａ、６ａから挿入された会員用ＩＣカード３０または非会員用ＩＣカード３１からＩＤなどの情報を読み取るものであり、例えば、リーダライタなどで構成される。また、カード処理機２００は、カード処理機２００内に設けられた度数が０となった非会員用カードを貯留するカード貯留部から非会員用カードを取り出し、例えば、ＩＤなどを記録してカード挿入口３ａ、４ａ、６ａから再発行することもできる。
【０２１２】
ここで、１枚の会員用ＩＣカード３０または非会員用ＩＣカード３１がカード挿入口３ａ、４ａ、６ａから挿入されると、例えば、ソレノイドなどの機械的手段によって、カード挿入口３ａ、４ａ、６ａが封鎖されるので、他の会員用ＩＣカード３０または非会員用ＩＣカード３１を挿入することはできなくなる。これによって、複数の会員用ＩＣカード３０または非会員用ＩＣカード３１がカード挿入口３ａ、４ａ、６ａに挿入されることで生じるカード詰りなどを防止することができる。また、ソレノイドなどの機械的手段を用いずに、他の方法でカード詰りなどを防止してもよい。
【０２１３】
貸玉ボタン３ｂ、４ｂは、遊技者がパチンコ玉の貸し出しを要求するときに、押されるボタンである。例えば、貸玉ボタン３ｂ、４ｂが１回押されると５００円分のパチンコ玉が貸し出しされる。なお、パチンコ玉の貸し出しは、標準的には５００円単位で行われ、１００円分（２５玉）づつ５回に分けて貸し出される。
【０２１４】
貸メダルボタン６ｂは、遊技者がメダルの貸し出しを要求するときに押されるボタンである。例えば、貸メダルボタン６ｂが１回押されると１０００円分のメダルが貸し出しされる。なお、メダルの貸し出しは、１０００円単位で行われる。
【０２１５】
再プレー用排出ボタン３ｃ、４ｃおよび再プレー用排出メダルボタン６ｃは、再プレー受付機１２において再プレー手続が行われた会員用ＩＣカード使用時にのみ利用され、再プレー用に利用することができるパチンコ玉またはメダルを排出するときに押される。ここで、再プレーとは、計数機９において計数され貯玉された貯玉数のうち所定の金額（例えば１万円）に相当する玉数を再プレー用貯玉数とし、その再プレー用貯玉数分の遊技媒体の排出によって、遊技をすることをいう。
【０２１６】
また、再プレー受付機１２は、会員用ＩＣカード３０に記憶されたＩＤと共に、管理装置１３の再プレーＦＬＧ、貯玉数および再プレー用貯玉数の情報を書き換えるための要求信号を、ネットワーク８を介して管理装置１３に送信し、再プレーを行える状態にするものである。再プレーＦＬＧは、管理装置１３に書き込まれている情報で、再プレーを可能にしたり、不可能にしたりするものであり、例えば、１が書き込まれていれば再プレー可能、０が書き込まれていれば再プレー不可能になる。
【０２１７】
返却ボタン３ｄ、４ｄ、６ｄは、カード挿入口３ａ、４ａ、６ａから挿入された会員用ＩＣカード３０または非会員用ＩＣカード３１を排出させるための操作ボタンで、特に、遊技終了時などに押されるものである。
【０２１８】
表示部３ｅ、４ｅ、６ｅは、例えば、実際に利用可能な度数残高などを表示するものである。また、表示部３ｅ、４ｅ、６ｅにおける表示は、複数の表示情報を同時に行ったり、また、交互に行うことなどができる。これによって、度数を確認でき、入金のタイミングを図ることができ、実際に利用可能な度数残高を知ることができる。また、表示部３ｅ、４ｅ、６ｅには、度数以外の情報を表示してもよい。例えば、図６に示した台間機３の表示部３ｅの一部拡大正面図に示されるように、「１０００円のみ入金可」、「会員」、「再プレー」、「○○万○○○．○」などの表示がなされる。
【０２１９】
状態表示ランプ３ｆ、４ｆ、６ｆは、台間機３、４、６の状態を視覚的に識別するためのもので、例えば、エラー発生時は赤色点滅、正常動作時には緑色点灯する。電源がＯＦＦ状態とされ、オフライン動作中は消灯される。
【０２２０】
カード回収部３ｇ、４ｇ、６ｇは、カード処理機２００の非会員用カードを貯留するカード貯留部において、非会員用カードの貯留限度量に達した場合に、非会員用カードを回収するものである。カード回収部３ｇ、４ｇ、６ｇに回収された非会員用カードは、従業員などによって、例えば、営業終了後などに回収される。
【０２２１】
リモコン受光部３ｈ、４ｈ、６ｈは、遊技ホールの従業員が使用するリモコンを受光する部分である。
【０２２２】
カード種別表示３ｉ、４ｉ、６ｉは、例えば、緑点灯、赤点灯、青点灯の３種類の点灯が可能である。緑点灯では、キャッシュオン、すなわち直接紙幣が使用されカードが挿入されていないことを示し、赤点灯では、非会員用ＩＣカード３１が使用されていることを示し、青点灯では、会員用ＩＣカード３０が使用されていることを示す。
【０２２３】
暗証入力部４０は、１つの入力部が複数の暗証情報に対応可能に構成され、そのような入力部を複数有して構成されている。台間機３、４、６の暗証入力部４０には、上記した、１つの入力部が複数の暗証情報に対応可能に構成されたタイプＡ（タイプＡ−１またはタイプＡ−２）が備えられている。
【０２２４】
制御部３５は、台間機３、４、６内の各構成機器の制御、台間機３、４、６以外の、例えば、島コンピュータ７などとの情報通信を行うものであり、インターフェース回路３５ａ、ＣＰＵ３５ｂ、ＲＯＭ３５ｃ、ＲＡＭ３５ｄから主に構成される。
【０２２５】
電源回路は、台間機３、４、６内の各構成機器を駆動するための電力を各構成機器に供給するものである。
【０２２６】
貯留機構付き紙幣識別装置（ビルバリ）３７は、紙幣挿入口３ｊ、４ｊ、６ｊから挿入される４種類の紙幣に対応できるコンパクトサイズの紙幣識別機であり、台間機３、４、６内に搭載され、台間機３、４、６および島コンピュータ７と情報通信ができるように接続されている。また、ここでは、貯留機構付き紙幣識別装置（ビルバリ）３７は、台間機３、４、６内に搭載された構成が示されているが、例えば、２台の台間機３、４、６に対し１台の割合で、台間機３、４、６の上部の固定されたランプ板部に、貯留機構付き紙幣識別装置（ビルバリ）３７を設置してもよい。この場合、貯留機構付き紙幣識別装置３７は、２台のパチンコ機２またはスロットマシーン５に対して１台の割合で設けられているため、貯留機構付き紙幣識別装置３７の紙幣挿入口１９ａに入金されたときには、２台のパチンコ機２またはスロットマシーン５の内どちらのパチンコ機２またはスロットマシーン５への入金かを判定する必要がある。そこで、貯留機構付き紙幣識別装置３７に２個の遊技機指定ボタンを設け、入金された側の遊技機指定ボタンを押すことによって、入金された側のパチンコ機２またはスロットマシーン５の指定を行うようにしてもよい。
【０２２７】
次に、上述したカード処理機２００を備える台間機３、４、６の動作について、図１８〜図２１を参照して説明する。
【０２２８】
各台間機３、４、６における基本的な動作は同じであるので、ここでは、一例として台間機３（ユニット）における動作について説明する。図１８は、台間機３の構成部を示す図、図１９〜図２１は、台間機３における動作の流れを示す図である。
【０２２９】
また、ここでは、会員用ＩＣカード３０または非会員用ＩＣカード３１は、ＩＤだけを有し、その他の情報は管理装置１３において管理されるシステムにおける動作の説明をする。さらに、この説明では、会員用ＩＣカード３０を利用する場合には、再プレー受付機１２で再プレー受付された後においては、再プレーＦＬＧが１、再プレーに利用可能な玉数を再プレー用貯玉数として管理装置１３が有しているシステムであることを前提とする。
【０２３０】
図１８に示すように、台間機３は、制御部３００、カード処理部３０１、カード貯留処理部３０２、カード位置検知部３０３、選択ボタン検知部３０４、貨幣識別部３０５、暗証入力検知部３０６から構成されている。
【０２３１】
制御部３００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて、例えば、暗証番号等の暗証情報の照合などの各種の演算処理を実行する。この制御部３００では、カード処理部３０１、カード貯留処理部３０２、カード位置検知部３０３、選択ボタン検知部３０４、貨幣識別部３０５、暗証入力検知部３０６の各機部間の信号の出入力、および、島コンピュータ７、ネットワーク８を介して管理装置１３との間の信号の出入力を制御している。ここで、島コンピュータ７は、パチンコ機２、スロットマシーン５および台間機３、４、６と、ネットワーク８との間の情報の通信を行うもので、データロガなどで構成されている。
【０２３２】
カード処理部３０１は、カード挿入口３ａから挿入された会員用ＩＣカード３０または非会員用ＩＣカード３１に記録された、例えば、ＩＤやそのＩＤで管理されている有価情報などの読み取り、その読み取った情報の制御部３００への出力、制御部３００からの更新された有価情報などの会員用ＩＣカード３０または非会員用ＩＣカード３１への書き込みなどを行うもので、例えば、リーダライタなどで構成される。また、カード処理部３０１は、非会員用ＩＣカード３１を発行する場合に、非会員用ＩＣカード３１にＩＤなどを記録する。さらに、カード処理部３０１内には、搬送ベルトなどによるカード搬送手段（図示しない）を有し、カード挿入口３ａから挿入された会員用ＩＣカード３０または非会員用ＩＣカード３１は、このカード搬送手段によって、例えば、カード挿入口３ａからリーダライタ部と通信可能な位置に移動される。
【０２３３】
カード貯留処理部３０２は、カード挿入口３ａから挿入された非会員用ＩＣカード３１のカード貯留部への貯留、カード貯留部からの取り出しまたはカード回収部への搬送を行うものである。また、カード貯留処理部３０２は、カード貯留部が、貯留できる非会員用ＩＣカード３１の貯留限界量に達したか否かを判定する機能も有している。
【０２３４】
カード位置検知部３０３は、会員用ＩＣカード３０または非会員用ＩＣカード３１の搬送が、適切に行われたか否かを検知するもので、例えば、会員用ＩＣカード３０または非会員用ＩＣカード３１の挿入を検知する挿入検知センサ、会員用ＩＣカード３０または非会員用ＩＣカード３１が所定の位置にセットされたことを検知する位置セット検知センサ、非会員用ＩＣカード３１がカード回収部へ移動されたことを検知する落下検知センサなどで構成される。
【０２３５】
選択ボタン検知部３０４は、貸玉ボタン３ｂ、再プレー用排出ボタン３ｃ、返却ボタン３ｄが押されたことを検知し、その押された信号に基づいて、制御部３００に信号を出力するものである。
【０２３６】
貨幣識別部３０５は、貯留機構付き紙幣識別装置３７からの信号に基づき４種類の紙幣を識別し、識別した紙幣の情報を制御部３００に出力するものである。ここでは、貨幣識別部３０５は、台間機３に一体的に構成されている。
【０２３７】
暗証入力検知部３０６は、暗証入力部４０において選択された入力部４１や、領域Ｓ０〜領域Ｓ９、領域Ｙ１〜領域Ｙ１３、領域Ｔ１〜領域Ｔ４などの入力領域を検知し、その検知した情報を制御部３００に出力するものである。
【０２３８】
そして、制御部３００によって制御される、カード処理部３０１、カード貯留処理部３０２、カード位置検知部３０３、選択ボタン検知部３０４、貨幣識別部３０５、暗証入力検知部３０６の各機器部は、次のように動作する（図１９〜図２１）。
【０２３９】
以下に、図１９〜図２１を参照して、その動作を説明する。
【０２４０】
カード処理部３０１は、カード挿入口３ａからの会員用ＩＣカード３０または非会員用ＩＣカード３１の挿入を待機しており、会員用ＩＣカード３０または非会員用ＩＣカード３１の挿入を検知すると、それに応じた処理を実行する。また、貨幣識別部３０５は、紙幣挿入口３ｊからの紙幣の挿入を待機しており、紙幣の挿入を検知すると、それに応じた処理を実行する。
【０２４１】
制御部３００は、貨幣識別部３０５からの情報に基づいて、紙幣の受け入れがされたか否かを判定する（ステップＳ３１０）。
【０２４２】
ステップＳ３１０の判定で、紙幣の受け入れがされたと判定した場合（ステップＳ３１０のＹｅｓ）には、貨幣識別部３０５は、その情報を制御部３００に出力し、制御部３００は、紙幣挿入口３ｊの近傍に設けられた入金可ランプ（図示しない）を消灯させ、それ以上の入金を禁止することを遊技者に示す（ステップＳ３１１）。
【０２４３】
続いて、制御部３００は、例えば、カード挿入防止手段（図示しない）を作動させ、カード挿入口３ａから会員用ＩＣカード３０または非会員用ＩＣカード３１が挿入されるのを防止する（ステップＳ３１２）。
【０２４４】
続いて、貨幣識別部３０５は、紙幣の入金額に対応する情報を制御部３００に出力する。カード処理部３０１またはカード位置検知部３０３は、常に会員用ＩＣカード３０または非会員用ＩＣカード３１が挿入されたか否かを判定している。そして、カード処理部３０１またはカード位置検知部３０３によって、会員用ＩＣカード３０または非会員用ＩＣカード３１がカード処理部３０１に挿入されていることが判定された場合、カード処理部３０１で会員用ＩＣカード３０または非会員用ＩＣカード３１のＩＤが読み取られ、制御部３００に出力される。制御部３００は、貨幣識別部３０５からの紙幣の入金額に対応する度数とカード処理部３０１からのＩＤの情報を島コンピュータ７、ネットワーク８を介して管理装置１３に送信する（ステップＳ３１３）。管理装置１３に送信された情報は、管理装置１３に記録される（ステップＳ３１３）。ここで挿入された会員用ＩＣカード３０または非会員用ＩＣカード３１が読み取りまたは書き込みが不可能な場合は、カード処理部３０１は、会員用ＩＣカード３０または非会員用ＩＣカード３１を返却する。
【０２４５】
一方、カード処理部３０１またはカード位置検知部３０３によって、会員用ＩＣカード３０または非会員用ＩＣカード３１がカード処理部３０１に挿入されていないと判定された場合、カード貯留処理部３０２は、非会員用ＩＣカード３１をカード貯留部から取り出す。そして、取り出された非会員用ＩＣカード３１は、カード処理部３０１に搬送される（ステップＳ３１４）。そして、カード処理部３０１は、搬送された非会員用ＩＣカード３１にＩＤが与え、制御部３００は、そのＩＤを管理装置１３に出力する（ステップＳ３１４）。
【０２４６】
また、非会員用ＩＣカード３１の挿入がなく、新たに非会員用ＩＣカード３１を発行する場合には、１つの入力部が１つの暗証情報に対応可能に構成されたタイプＢの暗証入力部４０を構成し、タイプＢの暗証入力処理を実行する（ステップＳ３１５）。
【０２４７】
ここで、例えば、暗証入力部４０として、図６に示すタイプの暗証入力部４０が使用されている場合には、制御の切替によって、タイプＡ−１、タイプＢ−１の双方を機能させることができる。一方、暗証入力部４０として、図３〜図４に示すタイプの暗証入力部４０が使用されている場合には、タイプＢの暗証入力処理をするために、１つの入力部が１つの暗証情報に対応可能に構成されたタイプＢ−２の暗証入力部４０を並設する必要がある。
【０２４８】
続いて、制御部３００は、入金処理が完了したか否かを貨幣識別部３０５からの信号に基づいて判定する（ステップＳ３１６）。
【０２４９】
ステップＳ３１６の判定で、入金処理が完了していないと判定した場合（ステップＳ３１６のＮｏ）には、リターンして、スタートへ戻る。
【０２５０】
一方、ステップＳ３１６の判定で、入金処理が完了したと判定した場合（ステップＳ３１６のＹｅｓ）には、制御部３００は、表示部３ｅに、入金額に対応する度数、使用可能度数などを表示するための表示情報を出力する。表示部３ｅは、その表示情報に基づいて入金額に対応する度数、使用可能度数などを、例えば、ＬＥＤなどを発光させて表示する（ステップＳ３１７）。なお、入金処理の完了は、非会員用ＩＣカード３１のＩＤに基づいて、度数などが制御部３００に適正に記録されたか確認（ベリファイ）することでなされ、それが確認できるまで制御部３００は待機状態となる。
【０２５１】
続いて、制御部３００の入金履歴がクリアされる（ステップＳ３１８）。
【０２５２】
さらに、制御部３００は、紙幣挿入口３ｊの近傍に設けられた入金可ランプ（図示しない）を点灯させ、入金が可能であることを遊技者に示す（ステップＳ３１９）。
【０２５３】
続いて、制御部３００は、例えば、カード挿入防止手段を作動させ、カード挿入口３ａから会員用ＩＣカード３０または非会員用ＩＣカード３１が挿入可能にする（ステップＳ３２０）。そして、リターンし、スタートに戻る。
【０２５４】
ステップＳ３１０の判定で、貨幣識別部３０５が紙幣を受け入れていないと判定した場合（ステップＳ３１０のＮｏ）には、貨幣識別部３０５は、その情報を制御部３００に出力する。続いて、制御部３００は、カード位置検知部３０３からの情報に基づいて、会員用ＩＣカード３０または非会員用ＩＣカード３１が挿入されているか否かを判定する（ステップＳ３２１）。
【０２５５】
ステップＳ３２１の判定で、会員用ＩＣカード３０または非会員用ＩＣカード３１が挿入されていないと判定した場合（ステップＳ３２１のＮｏ）には、制御部３００は、貯留用の非会員用ＩＣカード３１の補充要求に関する情報を管理装置１３に出力し、管理装置１３は、その情報を受信すると、例えば、場内放送などによって、その台番号と補充指示を従業員に通知する（ステップＳ３２２）。
【０２５６】
続いて、制御部３００は、紙幣挿入口３ｊの近傍に設けられた入金可ランプ（図示しない）を点灯させ、入金が可能であることを遊技者に示す（ステップＳ３２３）。
【０２５７】
続いて、制御部３００は、例えば、カード挿入防止手段を作動させ、カード挿入口３ａから会員用ＩＣカード３０または非会員用ＩＣカード３１を挿入可能にする（ステップＳ３２４）。そして、リターンし、スタートに戻る。
【０２５８】
一方、ステップＳ３２１の判定で、会員用ＩＣカード３０または非会員用ＩＣカード３１が挿入されていると判定した場合（ステップＳ３２１のＹｅｓ）には、制御部３００は、その情報に基づいて、挿入された会員用ＩＣカード３０または非会員用ＩＣカード３１をリーダライタ部に移動させるための情報をカード処理部３０１に出力する。そして、カード処理部３０１のカード搬送手段が駆動され、挿入された会員用ＩＣカード３０または非会員用ＩＣカード３１は、リーダライタ部２０３と通信可能な所定の位置に移動される（ステップＳ３２５）。
【０２５９】
続いて、制御部３００は、例えば、カード挿入防止手段を作動させ、カード挿入口３ａから会員用ＩＣカード３０または非会員用ＩＣカード３１が挿入されるのを防止する（ステップＳ３２６）。
【０２６０】
続いて、制御部３００は、カード処理部３０１からの情報に基づいて、会員用ＩＣカード３０または非会員用ＩＣカード３１の情報の読み取りおよび／または書き込みが可能か否かを判定する（ステップＳ３２７）。
【０２６１】
ステップＳ３２７の判定で、会員用ＩＣカード３０または非会員用ＩＣカード３１の情報の読み取りおよび／または書き込みが可能でないと判定した場合（ステップＳ３２７のＮｏ）には、制御部３００は、情報の読み取りまたは書き込みが不可能な不良のカードを返却させる情報をカード処理部３０１に出力する。そして、カード処理部３０１は、カード搬送手段を駆動し、不良のカードをカード挿入口３ａから返却する（ステップＳ３２８）。
【０２６２】
続いて、制御部３００は、表示部３ｅに、挿入されたカードが読み取りおよび／または書き込みができない不良カードであることを表示するための表示情報を表示部３ｅに出力し、表示部３ｅに、例えば、「エラーコード○○○」、「不良カード」、「読み取りおよび／または書き込み不可能」などの表示をする（ステップＳ３２９）。
【０２６３】
また、制御部３００は、島コンピュータ７、ネットワーク８を介して管理装置１３に、これらのエラー情報を出力する。さらに、制御部３００は、状態表示ランプ３ｆにエラー発生中を示す赤点滅表示させる（ステップＳ３３０）。また、ブザー、場内放送などでエラーが発生したことを報知することも可能である。
【０２６４】
さらに、制御部３００は、紙幣挿入口３ｊの近傍に設けられた入金可ランプ（図示しない）を消灯させ、それ以上の入金を禁止することを遊技者に示す（ステップＳ３３１）。
【０２６５】
続いて、制御部３００は、例えば、カード挿入防止手段を作動させ、カード挿入口３ａから会員用ＩＣカード３０または非会員用ＩＣカード３１が挿入されるのを防止する（ステップＳ３３２）。
【０２６６】
続いて、制御部３００は、カード処理部３０１からの情報に基づいて、情報の読み取りおよび／または書き込みが不能であるためカード搬送不良の原因となるカードが取り除かれるなど、エラーが解除されたか否かを判定する（ステップＳ３３３）。
【０２６７】
ステップＳ３３３の判定で、エラーが解除されていないと判定した場合（ステップＳ３３３のＮｏ）には、再びステップＳ３３３の処理を実行する。
【０２６８】
一方、ステップＳ３３３の判定で、エラーが解除されたと判定した場合（ステップＳ３３３のＹｅｓ）には、エラー履歴がクリアされ（ステップＳ３３４）、ステップＳ３１９の処理を実行する。
【０２６９】
ステップＳ３２７の判定で、会員用ＩＣカード３０または非会員用ＩＣカード３１の情報の読み取りおよび／または書き込みが可能であると判定した場合（ステップＳ３２７のＹｅｓ）には、続いて、制御部３００は、カード搬送部３０６からの情報に基づいて、搬送不良などのその他の不良がないか否かを判定する（ステップＳ３３５）。
【０２７０】
ステップＳ３３５の判定で、その他の不良があると判定した場合（ステップＳ３３５のＹｅｓ）には、上記したステップＳ３２８からの処理を実行する。
【０２７１】
一方、ステップＳ３３５の判定で、その他の不良がないと判定した場合（ステップＳ３３５のＮｏ）には、制御部３００は、状態表示ランプ３ｆに正常動作中を示す緑色点灯表示させる（ステップＳ３３６）。
【０２７２】
さらに、制御部３００は、紙幣挿入口３ｊの近傍に設けられた入金可ランプ（図示しない）を点灯させ、入金可能であることを遊技者に示す（ステップＳ３３７）。
【０２７３】
続いて、Ａタイプの暗証入力部４０を用いた場合の暗証認証処理が実行される（ステップＳ３３８）。なお、このＡタイプの暗証認証処理については、後に詳細に説明する。
【０２７４】
ステップＳ３３８の暗証認証処理において、暗証番号等の暗証情報が一致しないと判定した場合（ステップＳ３３８の「ＮＧ」）には、リターンして、スタートに戻る。
【０２７５】
一方、ステップＳ３３８の暗証認証処理において、暗証番号等の暗証情報が一致すると判定した場合（ステップＳ３３８の「ＯＫ」）には、図２０に示す「１」からの処理を実行する。
【０２７６】
次に、図２０を参照して、「１」からの処理について説明する。
【０２７７】
制御部３００は、選択ボタン検知部３０４からの情報に基づいて、貸玉ボタン３ｂが押されたか否かを判定する（ステップＳ３５０）。
【０２７８】
ステップＳ３５０の判定で、貸玉ボタン３ｂが押されたと判定した場合（ステップＳ３５０のＹｅｓ）には、使用可能度数を表示するための情報を表示部３ｅに出力する。表示部３ｅでは、その情報に基づいて、貸玉して消費した度数を差し引いた残りの使用可能度数を表示する（ステップＳ３５１）。
【０２７９】
続いて、制御部３００は、会員用ＩＣカード３０または非会員用ＩＣカード３１のＩＤと、減算された度数残高を管理装置１３へ送信する。管理装置１３は、これらの情報をＩＤ毎に書き込む。（ステップＳ３５３）。
【０２８０】
さらに、会員用ＩＣカード３０が利用されている場合には、管理装置１３では、貸玉要求信号に相当する度数に応じて付与されるポイントをＩＤに基づいて加算する（ステップＳ３５３）。
【０２８１】
ステップＳ３５０の判定で、貸玉ボタン３ｂが押されていないと判定した場合（ステップＳ３５０のＮｏ）には、続いて、制御部３００は、選択ボタン検知部３０４からの情報に基づいて、再プレー用貸玉ボタン３ｃが押されたか否かを判定する（ステップＳ３５４）。
【０２８２】
ステップＳ３５４の判定で、再プレー用貸玉ボタン３ｃが押されたと判定した場合（ステップＳ３５４のＹｅｓ）には、制御部３００は、再プレー用貸玉要求信号をＩＤに基づいて、管理装置１３に出力する。管理装置１３は、ＩＤに基づいて管理されている再プレーＦＬＧの値を制御部３００に出力する。続いて、制御部３００では、管理装置１３からの再プレーＦＬＧの値を判定する（ステップＳ３５５）。ここで、再プレー受付機１２で受付されたときには、管理装置１３内の記録値である再プレーＦＬＧが「１」となり、受付されていないときには、再プレーＦＬＧが「０」となっている。
【０２８３】
ステップＳ３５５の判定で、再プレーＦＬＧが「１」であると判定した場合（ステップＳ３５５の「１」）には、制御部３００は、再プレー可能貯玉数に対応する度数を表示するための情報を表示部３ｅに出力する。表示部３ｅでは、その情報に基づいて再プレー可能貯玉数に対応する度数を表示する（ステップＳ３５６）。
【０２８４】
また、制御部３００は、再プレー用貸玉要求信号をパチンコ機２の制御部に出力する（ステップＳ３５７）。パチンコ機２の制御部は、パチンコ機２から所定数のパチンコ玉の貸し出しを行わせる（ステップＳ３５７）。また、制御部３００は、再プレー用貸玉要求信号に相当する玉数の情報を管理装置１３に出力する。そして、管理装置１３では、再プレー用貯玉数から再プレー用貸玉要求信号に相当する玉数が減算され、減算後の再プレー用貯玉数がＩＤ毎に書き込まれる（ステップＳ３５７）。
【０２８５】
ステップＳ３５５の判定で、再プレーＦＬＧが「０」であると判定した場合（ステップＳ３５５の「０」）には、パチンコ玉の貸し出しは行われず、図２１の「２」からの処理を実行する。このときには、例えば、制御部３００は、表示部３ｅに「再プレーできません。」などの表示をさせることもできる。
【０２８６】
ステップＳ３５４の判定で、再プレー用貸玉ボタン３ｃが押されていないと判定した場合（ステップＳ３５４のＮｏ）、ステップＳ３５７またはステップＳ３５３の処理後、制御部３００は、管理装置１３から再プレー用貯玉数の情報を受信し、その情報に基づいて再プレー用貯玉数が「０」か否かを判定する（ステップＳ３５８）。
【０２８７】
ステップＳ３５８の判定で、再プレー用貯玉数が「０」であると判定した場合（ステップＳ３５８のＹｅｓ）には、制御部３００は、再プレーＦＬＧの数値を０に書き換える情報を管理装置１３に出力する（ステップＳ３５９）。そして、管理装置１３では、ＩＤに基づいて再プレーＦＬＧの数値が０に書き換える（ステップＳ３５９）。そして、図２１の「２」からの処理を実行する。
【０２８８】
一方、ステップＳ３５８の判定で、再プレー用貯玉数が「０」でないと判定した場合（ステップＳ３５８のＮｏ）には、図２１の「２」からの処理を実行する。
【０２８９】
次に、図２１を参照して、「２」からの処理について説明する。
【０２９０】
制御部３００は、選択ボタン検知部３０４からの情報に基づいて、返却ボタン３ｄが押されたか否かを判定する（ステップＳ３７０）。
【０２９１】
ステップＳ３７０の判定で、返却ボタン３ｄが押されたと判定した場合（ステップＳ３７０のＹｅｓ）には、Ａタイプの暗証入力部４０を用いた場合の暗証認証処理が実行される（ステップＳ３７１）。なお、このＡタイプの暗証認証処理については、後に詳細に説明する。
【０２９２】
ステップＳ３７１の暗証認証処理において、暗証番号等の暗証情報が一致しないと判定した場合（ステップＳ３７１の「ＮＧ」）には、リターンしてスタートに戻る。
【０２９３】
一方、ステップＳ３７１の暗証認証処理において、暗証番号等の暗証情報が一致すると判定した場合（ステップＳ３７１の「ＯＫ」）には、続いて、制御部３００は、カード処理部３０１またはカード位置検知部３０３からの情報に基づいて、非会員用ＩＣカード３１があるか否かを判定する（ステップＳ３７２）。
【０２９４】
ステップＳ３７２の判定で、非会員用ＩＣカード３１がないと判定した場合（ステップＳ３７２のＮｏ）には、制御部３００は、カード処理部３０１に、カード挿入口３ａより会員用ＩＣカード３０を返却する情報を出力する。カード処理部３０１は、その情報に基づいて会員用ＩＣカード３０を返却し（ステップＳ３７３）、リターンしてスタートに戻る。
【０２９５】
一方、ステップＳ３７２の判定で、非会員用ＩＣカード３１があると判定した場合（ステップＳ３７２のＹｅｓ）には、続いて、制御部３００は、カード処理部３０１からの情報に基づいて、非会員用ＩＣカード３１に度数残高があるか否かを判定する（ステップＳ３７４）。
【０２９６】
ステップＳ３７４の判定において、非会員用ＩＣカード３１に度数残高があると判定した場合（ステップＳ３７４のＹｅｓ）には、制御部３００は、カード処理部３０１に、カード挿入口３ａより非会員用ＩＣカード３１を返却する情報を出力する。そして、カード処理部３０１は、その情報に基づいて非会員用ＩＣカード３１を返却する（ステップＳ３７５）。
【０２９７】
続いて、制御部３００は、例えば、カード挿入防止手段を作動させ、カード挿入口３ａから会員用ＩＣカード３０または非会員用ＩＣカード３１が挿入できるようにする（ステップＳ３７６）。
【０２９８】
また、制御部３００は、返却ボタンのＯＮ履歴をクリアする（ステップＳ３７７）。
【０２９９】
ステップＳ３７４の判定において、非会員用ＩＣカード３１に度数残高がないと判定した場合（ステップＳ３７４のＮｏ）には、続いて、制御部３００は、カード貯留処理部３０２からの情報に基づいて、カード貯留部における貯留量が限界か否かを判定する（ステップＳ３７８）。
【０３００】
ステップＳ３７８の判定で、カード貯留部における貯留量が限界であると判定した場合（ステップＳ３７８のＹｅｓ）には、制御部３００は、非会員用ＩＣカード３１のカード排出部への誘導動作を行わせる情報をカード貯留処理部３０２に出力する。そして、カード貯留処理部３０２は、非会員用ＩＣカード３１をカード回収部３ｇへ搬送する（ステップＳ３７９）。そして、ステップＳ３７６の処理を実行する。
【０３０１】
一方、ステップＳ３７８の判定で、カード貯留部における貯留量が限界でないと判定した場合（ステップＳ３７８のＮｏ）には、制御部３００は、非会員用ＩＣカード３１のカード貯留部への貯留動作を行わせる情報をカード貯留処理部３０２に出力する。そして、カード貯留処理部３０２は、非会員用ＩＣカード３１をカード貯留部に貯留する（ステップＳ３８０）。そして、ステップＳ３７６の処理を実行する。
【０３０２】
ステップＳ３７０の判定で、返却ボタン３ｄが押されていないと判定した場合（ステップＳ３７０のＮｏ）には、続いて、制御部３００は、カード処理部３０１またはカード位置検知部３０３からの情報に基づいて、会員用ＩＣカード３０が挿入されているか否かを判定する（ステップＳ３８１）。
【０３０３】
ステップＳ３８１の判定で、会員用ＩＣカード３０が挿入されていると判定した場合（ステップＳ３８１のＹｅｓ）には、制御部３００は、状態ランプ３ｆに青色を点灯させ（ステップＳ３８２）、ソレノイドでカード挿入口３ａを封鎖させる（ステップＳ３８３）。そして、リターンしてスタートに戻る。
【０３０４】
一方、ステップＳ３８１の判定で、会員用ＩＣカード３０が挿入されていないと判定した場合（ステップＳ３８１のＮｏ）には、続いて、制御部３００は、カード処理部３０１またはカード位置検知部３０３からの情報に基づいて、非会員用ＩＣカード３１が挿入されているか否かを判定する（ステップＳ３８４）。
【０３０５】
ステップＳ３８４の判定において、非会員用ＩＣカード３１が挿入されていると判定した場合（ステップＳ３８４のＹｅｓ）には、制御部３００は、状態ランプ３ｆに赤色を点灯させ（ステップＳ３８５）、ソレノイドでカード挿入口３ａを封鎖させる（ステップＳ３８３）。そして、リターンしてスタートに戻る。
【０３０６】
一方、ステップＳ３８４の判定において、非会員用ＩＣカード３１が挿入されていないと判定した場合（ステップＳ３８４のＮｏ）には、リターンしてスタートに戻る。
【０３０７】
（計数機９）
図２２は、計数機９の外観を示す斜視図、図２３は、計数機９の構成部を示す図、図２４は、計数機９における動作の流れを示す図である。
【０３０８】
まず、図２２を参照して、計数機９の構成について説明する。
【０３０９】
図２２には、計数機９の斜視図が示されており、カード挿入口９ａ、遊技媒体投入部９ｂ、全部ボタン９ｃ、計数結果表示部９ｄ、返却ボタン９ｅ、レシート発券口９ｆ、暗証入力部４０から主に構成されている。
【０３１０】
計数機９は、パチンコ玉またはメダルの数量を計数するものである。会員用ＩＣカード３０、非会員用ＩＣカード３１などを受け入れるカード挿入口９ａに、例えば、会員用ＩＣカード３０または非会員用ＩＣカード３１が挿入された場合には、会員用ＩＣカード３０または非会員用ＩＣカード３１に記憶されたＩＤを読み取り、計数された計数値が貯玉数としてそのＩＤに基づき管理装置１３に記憶される。また、計数機９では、会員用ＩＣカード３０の利用によって付与されるポイントを、例えば、玉数として還元し、計数機９によって計数された玉数にその還元された玉数を加算することもできる。
【０３１１】
また、計数機９は、例えば、会員用ＩＣカード３０、非会員用ＩＣカード３１のいずれか１つのカードが挿入されないと動作しないようにすることができる。
【０３１２】
ここで、会員用ＩＣカード３０、非会員用ＩＣカード３１がカード挿入口９ａに挿入さた場合には、各カードに計数情報を、それぞれの記録して返却することもできれば、バーコードとしてレシートに記録してレシート発券口９ｆから発行することもできる。
【０３１３】
なお、レシートを発行する場合には、レシートには、簡易管理用ＩＤが記録され、その簡易管理用ＩＤは、そのレシートを用いて景品交換されるまで、管理装置１３で計数機９で計数された玉数とともに管理される。
【０３１４】
暗証入力部４０は、１つの入力部が１つの暗証情報に対応可能に構成され、そのような入力部を複数有して構成されている。計数機９の暗証入力部４０には、上記した、１つの入力部が１つの暗証情報に対応可能に構成されたタイプＢ（タイプＢ−１またはタイプＢ−２）が備えられている。
【０３１５】
図２３に示すように、計数機９は、制御部５００、カード処理部５０１、簡易記録媒体処理部５０２、選択ボタン検知部５０３、計数処理部５０４、暗証入力検知部５０５から構成されている。
【０３１６】
制御部５００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５００では、カード処理部５０１、簡易記録媒体処理部５０２、選択ボタン検知部５０３、計数処理部５０４、暗証入力検知部５０５の各機部間の信号の出入力、および、ネットワーク８を介して管理装置１３との間の信号の出入力を制御している。
【０３１７】
カード処理部５０１は、カード挿入口９ａから挿入された会員用ＩＣカード３０または非会員用ＩＣカード３１に記憶された、例えば、ＩＤ、そのＩＤで管理されている有価情報などの読み取り、その読み取った情報の制御部５００への出力、制御部５００からの更新された有価情報などの各カードへの書き込みなどを行うもので、例えば、リーダライタなどで構成される。
【０３１８】
簡易記録媒体処理部５０２は、制御部５００によって、計数処理部５０４で計数された玉数に対応する情報および簡易管理用ＩＤをレシートに、例えば、バーコードとして記録し、その記録されたレシートをレシート発券口９ｆから発券するものである。
【０３１９】
選択ボタン検知部５０３は、全部ボタン９ｃ、返却ボタン９ｅが押されたことを検知し、その押された信号に基づいて、制御部５００に信号を出力するものである。
【０３２０】
計数処理部５０４は、遊技媒体投入部９ｂに投入された玉数を計数し、その計数した情報を制御部５００へ出力するものである。計数処理部５０４で計数された結果は、例えば、計数結果表示部９ｄに表示することもできる。
【０３２１】
暗証入力検知部５０５は、暗証入力部４０において選択された入力部４１や、領域Ｓ０〜領域Ｓ９、領域Ｙ１〜領域Ｙ１３、領域Ｔ１〜領域Ｔ４などの入力領域を検知し、その検知した情報を制御部５００に出力するものである。
【０３２２】
そして、制御部５００によって制御される、カード処理部５０１、簡易記録媒体処理部５０２、選択ボタン検知部５０３、計数処理部５０４、暗証入力検知部５０５の各機器部は、次のように動作する（図２４）。
【０３２３】
以下に、図２４を参照してその動作を説明する。
【０３２４】
カード処理部５０１は、カード挿入口９ａからの会員用ＩＣカード３０または非会員用ＩＣカード３１などのカードの挿入を待機しており、カードの挿入を検知すると、それに応じた処理を実行する。また、計数処理部５０４は、遊技媒体投入部９ｂに、例えば、パチンコ玉などの遊技媒体が投入されるのを待機しており、遊技媒体投入部９ｂに遊技媒体が投入されると、それに応じた処理を実行する。
【０３２５】
制御部５００は、カード処理部５０１からの情報に基づいて、カード挿入口９ａから会員用ＩＣカード３０が挿入されたか否かを判定する（ステップＳ５１０）。
【０３２６】
ステップＳ５１０の判定で、会員用ＩＣカード３０が挿入されていないと判定した場合（ステップＳ５１０のＮｏ）には、ステップＳ５１３の処理を実行する。
【０３２７】
一方、ステップＳ５１０の判定で、会員用ＩＣカード３０が挿入されたと判定した場合（ステップＳ５１０のＹｅｓ）には、Ｂタイプの暗証入力部４０を用いた場合の暗証認証処理が実行される（ステップＳ５１１）。なお、このＢタイプの暗証認証処理については、後に詳細に説明する。
【０３２８】
ステップＳ５１１の暗証認証処理において、暗証番号等の暗証情報が一致しないと判定した場合（ステップＳ５１１の「ＮＧ」）には、制御部５００は、カード処理部５０１に、カード挿入口９ａより会員用ＩＣカード３０を返却する情報を出力する。カード処理部５０１は、その情報に基づいて会員用ＩＣカード３０を返却する（ステップＳ５１２）。そして、リターンしてスタートに戻る。
【０３２９】
一方、ステップＳ５１１の暗証認証処理で、暗証番号等の暗証情報が一致すると判定した場合（ステップＳ５１１の「ＯＫ」）において、遊技媒体投入部９ｂに遊技媒体が投入されると、計数処理部５０４は、投入された遊技媒体の計数を行い、その計数情報を制御部５００に出力する（ステップＳ５１３）。制御部５００は、その計数結果を、例えば、計数結果表示部９ｄに表示するための情報を計数結果表示部９ｄに出力することもできる。
【０３３０】
続いて、制御部５００は、選択ボタン検知部５０３からの情報に基づいて、全部ボタン９ｃが押されたが否かを判定する（ステップＳ５１４）。
【０３３１】
ステップＳ５１４の判定で、全部ボタン９ｃが押されていないと判定した場合（ステップＳ５１４のＮｏ）には、リターンしスタートに戻る。
【０３３２】
一方、ステップＳ５１４の判定で、全部ボタン９ｃが押されたと判定した場合（ステップＳ５１４のＹｅｓ）には、続いて、制御部５００は、カード処理部５０１からの情報に基づいて、カード挿入口９ａから会員用ＩＣカード３０が挿入されているか否かを判定する（ステップＳ５１５）。
【０３３３】
ステップＳ５１５の判定で、会員用ＩＣカード３０が挿入されていると判定した場合（ステップＳ５１５のＹｅｓ）には、カード処理部５０１は、会員用ＩＣカード３０に記憶されたＩＤを読み取り、読み取ったＩＤを制御部５００に出力する（ステップＳ５１６）。
【０３３４】
続いて、制御部５００は、選択ボタン検知部５０３からの情報に基づいて、返却ボタン９ｅが押されたが否かを判定する（ステップＳ５１７）。
【０３３５】
ステップＳ５１７の判定で、返却ボタン９ｅが押されていないと判定した場合（ステップＳ５１７のＮｏ）には、リターンしスタートに戻る。
【０３３６】
一方、ステップＳ５１７の判定で、返却ボタン９ｅが押されたと判定した場合（ステップＳ５１７のＹｅｓ）、またはステップＳ５１５の判定で、会員用ＩＣカード３０が挿入されていないと判定した場合（ステップＳ５１５のＮｏ）には、制御部５００は、計数処理部５０４からの情報に基づいて、計数した総遊技媒体数を算出する（ステップＳ５１８）。
【０３３７】
続いて、制御部５００は、算出した総遊技媒体数を、計数結果表示部９ｄに表示させる（ステップＳ５１９）。
【０３３８】
続いて、制御部５００は、カード挿入口９ａから挿入された会員用ＩＣカード３０を返却する情報をカード処理部５０１に出力し、カード処理部５０１は、その情報に基づいて会員用ＩＣカード３０を返却する（ステップＳ５２１）。また、会員用ＩＣカード３０が挿入されていない場合には、制御部５００は、計数結果に対応した情報を簡易記録媒体処理部５０２に出力し、簡易記録媒体処理部５０２は、その情報を、例えば、レシートなどにバーコードとして記録して発行する（ステップＳ５２０）。なお、会員用ＩＣカード３０が使用されている場合でも、計数結果に対応した情報をレシートなどにバーコードとして記録して発行してもよい。
【０３３９】
また、制御部５００は、会員用ＩＣカード３０、レシートなどのＩＤに基づいて、計数結果に基づく情報をネットワーク８を介して管理装置１３に出力する。そして、管理装置１３では、それらの情報をＩＤ毎に記録する（ステップＳ５２１）。
【０３４０】
（景品管理機（ＰＯＳ）１１）
図２５は、景品管理機（ＰＯＳ）１１の外観を示す平面図、図２６は、景品管理機（ＰＯＳ）１１の構成部を示す図、図２７は、景品管理機（ＰＯＳ）１１における動作の流れを示す図である。
【０３４１】
なお、景品管理機（ＰＯＳ）１１では、計数機９において、会員の遊技者の場合のみ、会員用ＩＣカード３０に、獲得した遊技媒体数に対応した情報が記録され、会員用ＩＣカード３０を有しない遊技者には、獲得した遊技媒体数に対応した情報を記録したレシートが発行される場合について説明する。
【０３４２】
まず、図２５を参照して、景品管理機（ＰＯＳ）１１の構成について説明する。
【０３４３】
図２５に示すように、景品管理機（ＰＯＳ）１１には、カード挿入口１１ａ、暗証入力部４０、バーコードリーダ１１ｃ、表示部１１ｄ、キー選択ボタン１１ｅ、一般景品選択部１１ｆが構成されている。
【０３４４】
景品管理機（ＰＯＳ）１１は、カード挿入口１１ａより挿入された会員用ＩＣカード３０より、ＩＤに基づき貯玉数を参照し、貯玉数とその貯玉数により交換される景品種別と数量の表示を行い、景品払出機１８が併設される場合、景品払出機１８へ払い出す景品の種別と数量を指示するものである。また、計数機９で発券されたレシートを用いる場合には、バーコードリーダ１１ｃでレシートに記録された情報を読み取り、その情報に基づく貯玉数の範囲で貯玉数と景品との交換を行うものである。
【０３４５】
キー選択ボタン１１ｅには、例えば、特殊景品無しキー、一般景品キー（たばこ、チョコレート、ジュース、時計、ＣＤ、ゲーム機器等を複数のキーに任意に設定）、終了キー、  戻しキーがある。特殊景品無しキーは、貯玉数を特殊景品以外の景品と交換する場合に押され、一般景品キーは、一般景品との交換を行うときに押される。また、終了キーは、貯玉数と景品との交換を終了する場合に押され、戻しキーは、選択した景品をキャンセルする場合に押されるものである。
【０３４６】
特殊景品には、例えば、「５０００円」の特殊景品、「２５００円」の特殊景品、「１０００円」の特殊景品などがあり、これらの特殊景品と交換する場合には、貯玉数より端玉（景品と交換後の残り玉）を最小にするよう計算されて、例えば、景品払出機１８が併設されている場合には、景品払出機１８から特殊景品が自動的に払い出される。景品払出機１８が併設されていない場合には、表示された交換される景品の種別と数量の表示に基づいて、店員などによって景品が払い出される。また、例えば、タバコ、ジュースなどの一般景品と交換する場合には、一般景品キーを押し、さらに一般景品選択部１１ｆにより、交換したい景品や個数を選択し、景品交換を行う。一般景品と交換する場合には、店員などが景品を払い出すことが多いが、景品払出機などで自動的に景品を払い出すこともできる。
【０３４７】
また、景品管理機（ＰＯＳ）１１では、会員用ＩＣカード３０の利用によって付与されるポイントと、例えば、タバコ、ジュースなどの賞品と交換することができるようにしてもよい。
【０３４８】
暗証入力部４０は、１つの入力部が１つの暗証情報に対応可能に構成され、そのような入力部を複数有して構成されている。計数機９の暗証入力部４０には、上記した、１つの入力部が１つの暗証情報に対応可能に構成されたタイプＢ（タイプＢ−１またはタイプＢ−２）が備えられている。なお、図２５には、タイプＢ−２の暗証入力部４０が示されている。
【０３４９】
図２６に示すように、景品管理機（ＰＯＳ）１１は、制御部６００、カード処理部６０１、記録媒体処理部６０２、選択ボタン検知部６０３、景品払出処理部６０４、暗証入力検知部６０５から構成されている。
【０３５０】
制御部６００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部６００では、カード処理部６０１、記録媒体処理部６０２、選択ボタン検知部６０３、景品払出処理部６０４、暗証入力検知部６０５の各機部間の信号の出入力、および、ネットワーク８を介して管理装置１３との間の信号の出入力を制御している。
【０３５１】
カード処理部６０１は、カード挿入口１１ａから挿入された会員用ＩＣカード３０に記憶された、例えば、ＩＤやそのＩＤで管理されている有価情報などの読み取り、その読み取った情報の制御部６００への出力、制御部６００からの更新された有価情報などの会員用ＩＣカード３０への書き込みなどを行うもので、例えば、リーダライタなどで構成される。
【０３５２】
記録媒体処理部６０２は、バーコードリーダ１１ｃなどによって、レシートに記録された玉数および簡易管理用ＩＤを読み取り、その読み取った情報を制御部６００に出力するものである。
【０３５３】
また、カード処理部６０１や記録媒体処理部６０２で読み取られた、例えば、計数された玉数などの情報は、表示部１１ｄに表示される。また、表示部１１ｄには、景品交換される景品の種類や個数なども表示させる。
【０３５４】
選択ボタン検知部６０３は、特殊景品ボタン１１ｅ、一般景品選択部１１ｆの選択ボタンが押されたことを検知し、その押された信号に基づいて、制御部６００に信号を出力するものである。
【０３５５】
景品払出処理部６０４は、選択ボタン検知部６０３で検知された信号に基づいて、例えば、表示部１１ｄや景品払出機１８に払い出される特殊景品の種類や個数などの景品払出情報を出力するものである。
【０３５６】
暗証入力検知部６０５は、暗証入力部４０において選択された入力部４１や、領域Ｓ０〜領域Ｓ９、領域Ｙ１〜領域Ｙ１３、領域Ｔ１〜領域Ｔ４などの入力領域を検知し、その検知した情報を制御部６００に出力するものである。
【０３５７】
そして、制御部６００によって制御される、カード処理部６０１、記録媒体処理部６０２、選択ボタン検知部６０３、景品払出処理部６０４、暗証入力検知部６０５の各機器部は、次のように動作する（図２７）。
【０３５８】
以下に、図２７を参照してその動作を説明する。
【０３５９】
カード処理部６０１は、カード挿入口１１ａからの会員用ＩＣカード３０の挿入を待機しており、会員用ＩＣカード３０の挿入を検知すると、それに応じた処理を実行する。
【０３６０】
制御部６００は、カード処理部６０１からの情報に基づいて、会員用ＩＣカード３０が挿入されているか否かを判定する（ステップＳ６１０）。
【０３６１】
ステップＳ６１０の判定で、会員用ＩＣカード３０が挿入されていないと判定した場合（ステップＳ６１０のＮｏ）には、記録媒体処理部６０２は、バーコードリーダなどによって読み取られた、レシートに記録された玉数および簡易管理用ＩＤを制御部６００に出力する（ステップＳ６１１）。さらに、これらの情報は、制御部６００からネットワーク８を介して管理装置１３に出力される（ステップＳ６１１）。そして、管理装置１３に記憶されている簡易管理用ＩＤに基づく玉数を管理装置からネットワーク８を介して制御部５００に出力する（ステップＳ６１１）。
【０３６２】
続いて、制御部６００は、レシートに記録された簡易管理用ＩＤに基づく玉数と管理装置１３から出力された簡易管理用ＩＤに基づく玉数とを比較し、それぞれが一致するか否かを判定する（ステップＳ６１２）。
【０３６３】
ステップＳ６１２の判定で、簡易管理用ＩＤに基づく玉数と管理装置１３から出力された簡易管理用ＩＤに基づく玉数とが一致しないと判定した場合（ステップＳ６１２のＮｏ）には、リターンしてスタートに戻る。
【０３６４】
一方、ステップＳ６１２の判定で、簡易管理用ＩＤに基づく玉数と管理装置１３から出力された簡易管理用ＩＤに基づく玉数とが一致すると判定した場合（ステップＳ６１２のＹｅｓ）には、ステップＳ６１９の処理を実行する。
【０３６５】
ステップＳ６１０の判定で、会員用ＩＣカード３０が挿入されていると判定した場合（ステップＳ６１０のＹｅｓ）には、カード処理部６０１は、会員用ＩＣカード３０に記憶されたＩＤおよび暗証番号等の暗証情報を読み取り、読み取ったＩＤおよび暗証番号等の暗証情報を制御部６００に出力する（ステップＳ６１３）。
【０３６６】
続いて、Ｂタイプの暗証入力部４０を用いた場合の暗証認証処理が実行される（ステップＳ６１４）。なお、このＢタイプの暗証認証処理については、後に詳細に説明する。
【０３６７】
ステップＳ６１４の暗証認証処理において、暗証番号等の暗証情報が一致しないと判定した場合（ステップＳ６１４の「ＮＧ」）には、制御部６００は、カード処理部６０１に、カード挿入口１１ａより会員用ＩＣカード３０を返却する情報を出力する。カード処理部６０１は、その情報に基づいて会員用ＩＣカード３０を返却する（ステップＳ６１５）。ただし、ここで、会員用ＩＣカード３０を返却せずに、店員に暗証番号等の暗証情報が一致しない旨を報知し、店員がその会員用ＩＣカード３０を利用した遊技者に、例えば、生年月日や電話番号などを質問し、遊技者による回答が、実際に登録されているものと一致すれば、忘れた暗証番号等の暗証情報の変更手続きを取れるようにしてもよい。そして、リターンしてスタートに戻る。
【０３６８】
一方、ステップＳ６１４の暗証認証処理で、暗証番号等の暗証情報が一致すると判定した場合（ステップＳ６１４の「ＯＫ」）には、制御部６００は、ステップＳ６１３で読み取られたＩＤをネットワーク８を介して管理装置１３に送信する（ステップＳ６１６）。そして、管理装置１３は、そのＩＤで管理されている貯玉数などを読み取る（ステップＳ６１６）。
【０３６９】
また、ステップＳ６１０の判定で、カード処理部６０１において会員用ＩＣカード３０が挿入されていないと判定され、さらに、会員登録ボタン（図示しない）が押され、会員登録するための所定の手続操作がなされた場合（ステップＳ６１０のＮｏかつ発行要求）には、Ｂタイプの暗証入力部４０を用いた場合の暗証入力処理が実行される（ステップＳ６１７）。なお、このＢタイプの暗証入力処理については、後に詳細に説明する。
【０３７０】
続いて、制御部６００は、カード処理部６０１に、例えば、景品管理機（ＰＯＳ）１１に貯留された会員用ＩＣカード３０から会員用ＩＣカード３０を取り出し、ＩＤなどの必要事項を記録しを発行するための情報を出力する。カード処理部６０１では、その情報に基づいて、ＩＤなどの必要事項を記録し会員用ＩＣカード３０を発行する（ステップＳ６１８）。そして、リターンしてスタートに戻る。
【０３７１】
ステップＳ６１２の判定で、簡易管理用ＩＤに基づく玉数と管理装置１３から出力された簡易管理用ＩＤに基づく玉数とが一致すると判定した場合（ステップＳ６１２のＹｅｓ）、またはステップＳ６１７の処理後、制御部６００は、会員用ＩＣカード３０またはレシートから読み取られた交換遊技媒体数を表示するための情報を表示部１１ｄに出力し、表示部１１ｄは、その情報に基づいて、その遊技媒体数を表示する（ステップＳ６１９）。
【０３７２】
続いて、制御部６００は、特殊景品に交換するか否かの情報であるＦＬＧを「０」として、交換遊技媒体数を特殊景品に交換するモードに設定する（ステップＳ６２０）。
【０３７３】
続いて、制御部６００は、景品交換時における各特殊景品数を算出するときに用いられる係数（Ｔ１）を特殊景品交換レート（Ｕ１）とし、この係数（Ｔ１）を用いて、「５０００円」の特殊景品数（Ｂ１）、「２５００円」の特殊景品数（Ｃ１）、「１０００円」の特殊景品数（Ｄ１）を次に示す式（４）を用いて算出する（ステップＳ６２１）。なお、Ｕ１は、特殊景品交換レートであり、例えば、パチンコ玉のように１玉４円で貸し出されたものを２．５円で交換する場合には、特殊景品交換レートは１．６（４／２．５）となる。また、１玉４円で貸し出されたものを４円で交換する場合には、特殊景品交換レートは１（４／４）となる。
Ａ１  ＝  Ｒ１×４−（５０００×Ｂ１＋２５００×Ｃ１＋１０００×Ｄ１）×Ｔ１  …式（４）
【０３７４】
ここで、Ａ１は、交換遊技媒体数（Ｒ１）に対応する金額から各特殊景品の合計額に係数を乗じた金額を差し引いた端数分に相当する金額である。ここで、「５０００円」の特殊景品数（Ｂ１）、「２５００円」の特殊景品数（Ｃ１）、「１０００円」の特殊景品数（Ｄ１）は、この端数分に相当する金額が最小になるような組み合わせにより決定される。なお、「Ｒ１×４」の「４」とは、交換遊技媒体がパチンコ玉の場合における１玉の貸し出し単価４円の「４」である。したがって、スロットマシーン５に用いられるメダルの場合には、「４」の代わりに、１枚のメダルが２０円なので「２０」を用いる。
【０３７５】
次に、景品管理機（ＰＯＳ）１１に設けられたキー選択ボタン１１ｅは、特殊景品無しキー、一般景品キー、終了キー、戻しキーのなどで構成され、これらのキーが押されることによってそれぞれ異なる動作を行う。制御部６００は、選択ボタン検知部６０３からの情報に基づいて、上記したいずれかのボタンが押されたか否かを判定し、さらに、いずれのボタンが押されたかを判定する（ステップＳ６２２）。
【０３７６】
ステップＳ６２２の判定で、いずれのボタンも押されていないと判定した場合（ステップＳ６２２のＮｏ）には、ステップＳ６２２の処理を再び実行する。
【０３７７】
ステップＳ６２２の判定で、特殊景品無しキーが押されたと判定した場合（ステップＳ６２２の「特殊景品無しキー」）には、制御部６００は、ＦＬＧを特殊景品との交換を行わないことを示す「１」に書き換る（ステップＳ６２３）。さらに、制御部６００は、式（４）の演算パラメータであるＢ１、Ｃ１、Ｄ１を「０」に書き換える。そして、ステップＳ６２１の処理によって、交換遊技媒体数（Ｒ１）に対応する金額を算出する。
【０３７８】
ステップＳ６２２の判定で、一般景品キーが押されたと判定した場合（ステップＳ６２２の「一般景品キー」）には、選択ボタン検知部６０３は、一般景品選択部１１ｆにより選択された、例えば、タバコ、ジュースなどの一般景品の情報を制御部６００に出力する（ステップＳ６２４）。
【０３７９】
続いて、制御部６００は、交換遊技媒体数（Ｒ１）から一般景品額に対応する遊技媒体数を差し引いた残りの交換遊技媒体数（Ｒ２）を算出する（ステップＳ６２５）。
【０３８０】
続いて、制御部６００は、在庫管理の情報から交換された一般景品数を減じて、一般景品の在庫数を更新する（ステップＳ６２６）。そして、再び、ステップＳ６２１の処理を実行する。
【０３８１】
ステップＳ６２２の判定で、終了キーが押されたと判定した場合（ステップＳ６２２の「終了キー」）には、続いて、制御部６００は、非会員（会員用ＩＣカード３０が挿入されていない）かつ交換遊技媒体数（Ｒ１）または残りの交換遊技媒体数（Ｒ２）が、一般景品の最小単価に対応する遊技媒体数以上であるか否かを判定する（ステップＳ６２７）。
【０３８２】
ステップＳ６２７の判定で、非会員かつ交換遊技媒体数（Ｒ１）または残りの交換遊技媒体数（Ｒ２）が一般景品の最小単価に対応する遊技媒体数以上であると判定した場合（ステップＳ６２７のＹｅｓ）には、制御部６００は、さらに景品交換を要求する表示をするための情報を表示部１１ｄに出力し、表示部１１ｄは、その情報に基づいて、例えば、「更に景品交換して下さい」などの表示をする（ステップＳ６２８）。
【０３８３】
ステップＳ６２７の判定で、非会員かつ交換遊技媒体数（Ｒ１）または残りの交換遊技媒体数（Ｒ２）が一般景品の最小単価に対応する遊技媒体数以上でないと判定した場合（ステップＳ６２７のＮｏ）には、続いて、制御部６００は、景品払出処理部６０４からの情報に基づいて、景品払出機１８が併設されているか否かを判定する（ステップＳ６２９）。
【０３８４】
ステップＳ６２９の判定で、景品払出機１８が併設されていると判定した場合（ステップＳ６２９のＹｅｓ）には、制御部６００は、ＩＤまたは簡易管理ＩＤに基づいて管理装置１３から読み取られた交換遊技媒体数（Ｒ１）または残りの交換遊技媒体数（Ｒ２）の情報から、払い出される景品の種類およびその個数などの情報を景品払出処理部６０４に出力するとともに、表示部１１ｄに表示する（ステップＳ６３０）。景品払出処理部６０４では、その情報を景品払出機１８に出力し、景品払出機１８から景品を払い出させる（ステップＳ６３０）。
【０３８５】
ステップＳ６２９の判定で、景品払出機１８が併設されていないと判定した場合（ステップＳ６２９のＮｏ）には、制御部６００は、ＩＤまたは簡易管理ＩＤに基づいて管理装置１３から読み取られた貯玉数の情報から、払い出される景品の種類およびその個数などの情報を景品払出処理部６０４に出力する。そして、景品払出処理部６０４は、その情報を表示部１１ｄに表示する（ステップＳ６３１）。この場合には、店員などによって、その表示部１１ｄの表示に基づいて、景品が払い出される。
【０３８６】
そして、制御部６００において、特殊景品在庫数から払い出された特殊景品の数量を差し引き、その情報を景品払出処理部６０４に出力し、景品払出処理部６０４では特殊景品在庫数の情報を更新する（ステップＳ６３２）。
【０３８７】
続いて、制御部６００は、ＦＬＧが「１」か「０」かを判定する（ステップＳ６３３）。
【０３８８】
ステップＳ６３３の判定で、ＦＬＧが「０」であると判定された場合（ステップＳ６３３の「＝０」）には、次の式（５）で算出される更新交換遊技媒体数（Ｒ３）を算出し、交換遊技媒体数（Ｒ１）に相当する値を更新する（ステップＳ６３４）。
Ｒ３  ＝  Ｒ１（またはＲ２）  −  Ａ１  ／  ４  …式（５）
【０３８９】
一方、ステップＳ６３３の判定で、ＦＬＧが「１」であると判定された場合（ステップＳ６３３の「＝１」）またはステップＳ６３４の処理後、制御部６００は、更新交換遊技媒体数（Ｒ３）を表示するための情報を表示部１１ｄに出力し、表示部１１ｄは、更新交換遊技媒体数（Ｒ３）を表示する（ステップＳ６３５）。
【０３９０】
次に、制御部６００は、カード処理部６０１からの情報に基づいて、会員用ＩＣカード３０が挿入されているか否かを判定する（ステップＳ６３６）。
【０３９１】
ステップＳ６３６の判定で、会員用ＩＣカード３０が挿入されていないと判定した場合（ステップＳ６３６のＮｏ）には、簡易管理ＩＤに基づいて、景品と交換された玉数および払い出された景品の種類や個数は、景品払出処理部６０４に記憶される（ステップＳ６３７）。なお、景品払出処理部６０４に記憶されたこれらの情報は、所定期間記憶されている。また、管理装置１３に記憶されていた簡易管理ＩＤと玉数の情報は消去される（ステップＳ６３７）。
【０３９２】
一方、ステップＳ６３６の判定で、会員用ＩＣカード３０が挿入されていると判定した場合（ステップＳ６３６のＹｅｓ）には、景品と交換された玉数および払い出された景品の種類や個数などの情報は、ＩＤに基づいて、制御部６００からネットワーク８を介して管理装置１３に送信され、管理装置１３でＩＤ毎に記憶される（ステップＳ６３８）。
【０３９３】
ステップＳ６２２の判定で、戻しキーが押されたと判定した場合（ステップＳ６２２の「戻しキー」）には、制御部６００は、これまで選択された情報を消去し、再度、ステップＳ６２０の処理を実行する。
【０３９４】
（精算機１０）
図２８は、精算機１０を正面から見た平面図、図２９は、精算機１０の構成部を示す図、図３０は、精算機１０における動作の流れを示す図である。
【０３９５】
まず、図２８を参照して、精算機１０の構成について説明する。
【０３９６】
図２８に示すように、精算機１０の正面側には、カード挿入口１０ａ、暗証入力部４０、紙幣返却口１０ｃ、釣銭受１０ｄ、精算ボタン１０ｅ、取消ボタン１０ｆ、表示部１０ｇ、端玉受１０ｉなどが構成されている。
【０３９７】
精算機１０は、カード挿入口１０ａより挿入された会員用ＩＣカード３０または非会員用ＩＣカード３１の度数残高を現金で返却するものである。ここで、度数とは、入金された金額を度数化したもので、例えば、１万円を度数化すると１００度数となる。度数残高とは、度数から使用した度数分を差し引いた残りの度数である。
【０３９８】
また、精算機１０では、会員用ＩＣカード３０の利用によって付与されるポイントを、例えば、現金化によって還元してもよい。
【０３９９】
会員用ＩＣカード３０が挿入された場合は、精算機１０に設けられた暗証入力部４０によって暗証番号等の暗証情報が入力されると、会員用ＩＣカード３０に記憶された暗証番号等の暗証情報と入力された暗証番号等の暗証情報との照合が行われ、それらが一致すれば精算動作を行う。これによって、会員の遊技者の場合には、例えば、会員用ＩＣカード３０を落として、第三者に会員用ＩＣカード３０が渡っても、暗証番号等の暗証情報がわからない限りは、度数残高が現金化されることはない。このようにすると遊技者が、例えば、トイレに行くためなどで離席した場合、会員用ＩＣカードを盗まれても度数残高を現金化されることはない。
【０４００】
また、第三者に会員用ＩＣカード３０が渡った場合、第三者に度数残高分を遊技に使用されることが考えられるが、台間機と管理装置１３とが連携して、例えば、台間機にて入力した会員番号や暗証番号に基づいて、その会員用ＩＣカード３０を各機器に使用できないように制御することなどもできる。
【０４０１】
非会員用ＩＣカード３１を用いる場合には、度数残高として保持できる期間が、例えば、１日などのように限られているため、その期間内でなければ、精算機１０で度数残高を精算し、現金化することができない。これによって、非会員用ＩＣカード３１が、パチンコホールやスロットマシーンホールの外部に持ち出され、紛失したり、傷つけられたりするのを防止することができる。
【０４０２】
端玉受１０ｉは、例えば、精算時において、１００円に満たない金額が存在する場合には、その１００円に満たない金額に対応する遊技媒体が払い出されるところである。なお、この端玉に対する処理機能は、設けられることが好ましいが、設けなくても精算機１０を構成することができる。
【０４０３】
なお、この精算機１０の紙幣返却口１０ｃから払い出される紙幣は、千円札であり、釣銭受１０ｄから払い出される硬貨は百円硬貨としているが、他の紙幣および硬貨を払い出せる構成を採ってもよい。
【０４０４】
暗証入力部４０は、１つの入力部が１つの暗証情報に対応可能に構成され、そのような入力部を複数有して構成されている。計数機９の暗証入力部４０には、上記した、１つの入力部が１つの暗証情報に対応可能に構成されたタイプＢ（タイプＢ−１またはタイプＢ−２）が備えられている。なお、図２８には、タイプＢ−２の暗証入力部４０が示されている。
【０４０５】
図２９に示すように、精算機１０は、制御部７００、カード処理部７０１、貨幣処理部７０２、選択ボタン検知部７０３、暗証入力検知部７０４から構成されている。
【０４０６】
制御部７００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部７００では、カード処理部７０１、貨幣処理部７０２、選択ボタン検知部７０３、暗証入力検知部７０４の各機部間の信号の出入力、および、ネットワーク８を介して管理装置１３との間の信号の出入力を制御している。
【０４０７】
カード処理部７０１は、カード挿入口１０ａから挿入された会員用ＩＣカード３０または非会員用ＩＣカード３１に記憶された、例えば、ＩＤやそのＩＤで管理されている有価情報などの読み取り、その読み取った情報の制御部７００への出力、制御部７００からの更新された有価情報などの会員ＩＣカード３０または非会員用ＩＣカード３１への書き込みなどを行うもので、例えば、リーダライタなどで構成される。
【０４０８】
貨幣処理部７０２は、カード処理部７０１で読み取られたＩＤに基づいて、管理装置１３から読み取った有価情報の度数に対応する金額を紙幣返却口１０ｃ、釣銭受１０ｄから返金するものである。
【０４０９】
選択ボタン検知部７０３は、精算ボタン１０ｅまたは取消ボタン１０ｆが押されたことを検知し、その押された信号に基づいて、制御部７００に信号を出力するものである。
【０４１０】
暗証入力検知部７０４は、暗証入力部４０において選択された入力部４１や、領域Ｓ０〜領域Ｓ９、領域Ｙ１〜領域Ｙ１３、領域Ｔ１〜領域Ｔ４などの入力領域を検知し、その検知した情報を制御部７００に出力するものである。
【０４１１】
そして、制御部７００によって制御される、カード処理部７０１、貨幣処理部７０２、選択ボタン検知部７０３、暗証入力検知部７０４の各機器部は、次のように動作する（図３０）。
【０４１２】
以下に、図３０を参照してその動作を説明する。
【０４１３】
カード処理部７０１は、カード挿入口１０ａからの会員用ＩＣカード３０、非会員用ＩＣカード３１のカードの挿入を待機しており、カードの挿入を検知すると、それに応じた処理を実行する。
【０４１４】
制御部７００は、カード処理部７０１からの情報に基づいて、非会員ＩＣカード３１が挿入されているか否かを判定する（ステップＳ７１０）。
【０４１５】
ステップＳ７１０の判定で、非会員ＩＣカード３１が挿入されていると判定した場合（ステップＳ７１０のＹｅｓ）には、続いて、制御部７００は、カード処理部７０１で読み取った非会員ＩＣカード３１に記憶されている日付情報が有効か否かを判定する（ステップＳ７１１）。
【０４１６】
ステップＳ７１１の判定で、日付情報が有効でないと判定した場合（ステップＳ７１１のＮｏ）には、制御部７００は、カード処理部７０１に非会員ＩＣカード３１を返却する情報を出力する。その情報を受けたカード処理部７０１は、非会員ＩＣカード３１をカード挿入口１０ａから返却してリターンする（ステップＳ７１２）。
【０４１７】
一方、ステップＳ７１１の判定で、日付情報が有効であると判定した場合（ステップＳ７１１のＹｅｓ）には、制御部７００は、カード処理部７０１において読み取られた、非会員ＩＣカード３１に記憶されたＩＤを、ネットワーク８を介して管理装置１３に出力さする（ステップＳ７１３）。そして、管理装置１３は、記憶している非会員ＩＣカード３１のＩＤに基づく度数残高などの情報をネットワーク８を介して制御部７００に出力する（ステップＳ７１３）。
【０４１８】
ステップＳ７１０の判定で、非会員ＩＣカード３１が挿入されていないと判定した場合（ステップＳ７１０のＮｏ）には、続いて、制御部７００は、カード処理部７０１からの情報に基づいて、会員用ＩＣカード３０が挿入されているか否かを判定する（ステップＳ７１４）。
【０４１９】
ステップＳ７１４の判定で、会員用ＩＣカード３０が挿入されていないと判定した場合（ステップＳ７１４のＮｏ）には、リターンしてスタートに戻る。
【０４２０】
一方、ステップＳ７１４の判定で、会員用ＩＣカード３０が挿入されていると判定した場合（ステップＳ７１４のＹｅｓ）には、制御部７００は、カード処理部７０１において読み取られた、会員用ＩＣカード３０に記憶されたＩＤおよび暗証番号を入力する。また、制御部７００は、入力したＩＤをネットワーク８を介して管理装置１３に出力する（ステップＳ７１５）。そして、管理装置１３は、記憶している会員用ＩＣカード３０のＩＤに基づく度数残高などの情報をネットワーク８を介して制御部７００に出力する（ステップＳ７１５）。
【０４２１】
ステップＳ７１３またはステップＳ７１５の処理後、Ｂタイプの暗証入力部４０を用いた場合の暗証認証処理が実行される（ステップＳ７１６）。なお、このＢタイプの暗証認証処理については、後に詳細に説明する。
【０４２２】
ステップＳ７１６の暗証認証処理において、暗証番号が一致しないと判定した場合（ステップＳ７１６の「ＮＧ」）には、制御部５００は、カード処理部７０１に、カード挿入口１０ａより会員用ＩＣカード３０を返却する情報を出力する。カード処理部７０１は、その情報に基づいて会員用ＩＣカード３０を返却する（ステップＳ７１７）。なお、非会員用ＩＣカード３１の場合も、暗証番号が一致しないと判定した場合（ステップＳ７１６の「ＮＧ」）には、返却される。
【０４２３】
一方、ステップＳ７１６の暗証認証処理で、暗証番号が一致すると判定した場合（ステップＳ７１６の「ＯＫ」）には、制御部７００に出力された度数残高の情報は、制御部７００から貨幣処理部７０２に出力される。さらに、その度数残高などの情報は、表示部１０ｇに出力され、度数残高が表示部１０ｇに表示される（ステップＳ７１９）。
【０４２４】
続いて、制御部７００は、選択ボタン検知部７０３からの情報に基づいて、精算ボタン１０ｅが押されたが否かを判定する（ステップＳ７１９）。
【０４２５】
ステップＳ７１９の判定で、精算ボタン１０ｅが押されていないと判定した場合（ステップＳ７１９のＮｏ）には、続いて、制御部７００は、選択ボタン検知部７０３からの情報に基づいて、取消ボタン１０ｆが押されたが否かを判定する（ステップＳ７２０）。
【０４２６】
ステップＳ７２０の判定で、取消ボタン１０ｆが押されていないと判定した場合（ステップＳ７２０のＮｏ）には、リターンしてスタートに戻る。
【０４２７】
一方、ステップＳ７２０の判定で、取消ボタン１０ｆが押されたと判定した場合（ステップＳ７２０のＹｅｓ）には、制御部７００は、カード処理部７０１に、会員用ＩＣカード３０または非会員用ＩＣカード３１を返却する情報を出力する。その情報を受けたカード処理部７０１は、会員用ＩＣカード３０または非会員用ＩＣカード３１をカード挿入口１０ａから返却する（ステップＳ７２１）。
【０４２８】
ステップＳ７１９の判定で、精算ボタン１０ｅが押されたと判定した場合（ステップＳ７１９のＹｅｓ）には、制御部７００は、度数残高より支払額を算出し、精算可能な１００円単位以上の単位に対応する度数に対応する金額を支払うための情報を貨幣処理部７０２に出力する。貨幣処理部７０２は、その情報に基づいて、紙幣返却口１０ｃから紙幣を、釣銭受１０ｄから硬貨を支払う（ステップＳ７２２）。また、制御部７００は、支払額に対応する度数残高情報を消去する。
【０４２９】
続いて、制御部７００は、支払金額、度数残高などの情報を、会員ＩＣカード３０または非会員ＩＣカード３１のＩＤに基づいて、管理装置１３に出力する。管理装置１３では、各情報をＩＤ毎に更新または記録する（ステップＳ７２３）。
【０４３０】
ステップＳ７２３の処理が終わると、会員ＩＣカード３０は、カード処理部７０１によって、カード挿入口１０ａから返却される（ステップＳ７１７）。
【０４３１】
一方、非会員用ＩＣカード３１は、度数残高のすべてが精算され、度数残高が０となるので、カード処理部７０１から精算機１０に設けられた貯留部（図示しない）に移動され、回収される（ステップＳ７２４）。
【０４３２】
（データ公開機２２）
図３１は、データ公開機２２を正面から見た平面図、図３２は、データ公開機２２の構成部を示す図、図３３は、データ公開機２２における動作の流れを示す図である。
【０４３３】
まず、図３１を参照して、データ公開機２２の構成について説明する。
【０４３４】
図３１に示すように、データ公開機２２の正面側には、カード挿入口２２ａ、暗証入力部４０、表示部２２ｂなどが構成されている。
【０４３５】
データ公開機２２は、カード挿入口２２ａより挿入された会員用ＩＣカード３０のＩＤに基づいて、その会員遊技者の過去の各種遊技データなどを表示部２２ｂに表示して提供するとともに、各遊技機の、例えば、スランプグラフ、スタート回数、大当たり回数などの情報を検索可能であり、その検索情報を表示部２２ｂに表示して提供するものである。
【０４３６】
暗証入力部４０は、１つの入力部が複数の暗証情報に対応可能に構成され、そのような入力部を複数有して構成されている。データ公開機２２の暗証入力部４０には、上記した、１つの入力部が複数の暗証情報に対応可能に構成されたタイプＡ（タイプＡ−１またはタイプＡ−２）が備えられている。
【０４３７】
図３２に示すように、データ公開機２２は、制御部７５０、カード処理部７５１、選択ボタン検知部７５２、暗証入力検知部７５３から構成されている。
【０４３８】
制御部７５０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部７５０では、カード処理部７５１、選択ボタン検知部７５２、暗証入力検知部７５３の各機部間の信号の出入力、および、ネットワーク８を介して管理装置１３との間の信号の出入力を制御している。
【０４３９】
カード処理部７５１は、カード挿入口２２ａから挿入された会員用ＩＣカード３０に記憶された、例えば、ＩＤなどの読み取り、その読み取った情報の制御部７５０への出力などを行うもので、例えば、リーダライタなどで構成される。
【０４４０】
選択ボタン検知部７５２は、例えば、表示部２２ｂに表示された、希望情報ボタン（図示しない）や情報公開項目ボタン（図示しない）が押されたことを検知し、その押された信号に基づいて、制御部７５０に信号を出力するものである。
【０４４１】
暗証入力検知部７５３は、暗証入力部４０において選択された入力部４１や、領域Ｓ０〜領域Ｓ９、領域Ｙ１〜領域Ｙ１３、領域Ｔ１〜領域Ｔ４などの入力領域を検知し、その検知した情報を制御部７５０に出力するものである。
【０４４２】
そして、制御部７５０によって制御される、カード処理部７５１、選択ボタン検知部７５２、暗証入力検知部７５３の各機器部は、次のように動作する（図３３）。
【０４４３】
以下に、図３３を参照してその動作を説明する。
【０４４４】
カード処理部７５１は、カード挿入口２２ａからの会員用ＩＣカード３０のカードの挿入を待機しており、カードの挿入を検知すると、それに応じた処理を実行する。
【０４４５】
制御部７５０は、カード処理部７５１からの情報に基づいて、会員ＩＣカード３０が挿入されているか否かを判定する（ステップＳ７６０）。
【０４４６】
ステップＳ７６０の判定で、会員ＩＣカード３０が挿入されていないと判定した場合（ステップＳ７６０のＮｏ）には、リターンしてスタートに戻る。
【０４４７】
一方、ステップＳ７６０の判定で、会員ＩＣカード３０が挿入されていると判定した場合（ステップＳ７６０のＹｅｓ）には、Ａタイプの暗証入力部４０を用いた場合の暗証認証処理が実行される（ステップＳ７６１）。なお、このＡタイプの暗証認証処理については、後に詳細に説明する。
【０４４８】
ステップＳ７６１の暗証認証処理において、暗証番号が一致しないと判定した場合（ステップＳ７６１の「ＮＧ」）には、制御部７５０は、カード処理部７５１に、カード挿入口２２ａより会員用ＩＣカード３０を返却する情報を出力する。カード処理部７５１は、その情報に基づいて会員用ＩＣカード３０を返却する（ステップＳ７６２）。
【０４４９】
一方、ステップＳ７６１の暗証認証処理で、暗証番号が一致すると判定した場合（ステップＳ７６１の「ＯＫ」）には、制御部７５０は、選択ボタン検知部７５２からの情報に基づいて、希望する情報を選択する希望情報ボタンが押されたか否かを判定する（ステップＳ７６３）。
【０４５０】
ステップＳ７６３の判定で、希望情報ボタンが押されていないと判定した場合（ステップＳ７６３のＮｏ）には、再びステップＳ７６３の処理を実行する。
【０４５１】
一方、ステップＳ７６３の判定で、希望情報ボタンが押されたと判定した場合（ステップＳ７６３のＹｅｓ）には、制御部７５０は、表示部２２ｂに選択された希望情報ボタンに伴う情報公開項目を表示する（ステップＳ７６４）。
【０４５２】
続いて、制御部７５０は、ステップＳ７６４において表示した情報公開項目の選択によって、表示部２２ｂに、例えば、「空台ｏｒ全台出玉ランキング」、「空台ｏｒ全台ベースランキング」、「指定台ベースおよび出玉」などの選択項目を表示する（ステップＳ７６５）。そして、上記した一例で示した選択項目のいずれかが選択されると、制御部７５０は、それに伴う情報を表示部２２ｂに表示する。
【０４５３】
続いて、制御部７５０は、選択ボタン検知部７５２からの情報に基づいて、次の情報表示として選択された項目を判定する（ステップＳ７６６）。
【０４５４】
ステップＳ７６６の判定で、「終了」の項目が選択されたと判定した場合（ステップＳ７６６の「終了」）には、制御部７５０は、カード処理部７５１に、カード挿入口２２ａより会員用ＩＣカード３０を返却する情報を出力する。カード処理部７５１は、その情報に基づいて会員用ＩＣカード３０を返却する（ステップＳ７６７）。
【０４５５】
一方、ステップＳ７６６の判定で、「終了」以外の項目が選択されたと判定した場合（ステップＳ７６６の「その他の項目」）には、ステップＳ７６４の処理を実行する。
【０４５６】
（Ａタイプの暗証認証処理）
次に、Ａタイプの暗証認証処理について、図３４を参照して説明する。図３４は、Ａタイプの暗証認証処理の動作の流れを示す図である。
【０４５７】
このＡタイプの暗証認証処理は、Ａタイプの暗証入力部４０から暗証情報、つまり暗証番号が入力されたときの認証処理である。このＡタイプの暗証認証処理は、前述した、再プレー受付機１２の動作におけるステップＳ１６２の処理（図１２参照）、台間機３、４、６の動作におけるステップＳ３３８、ステップＳ３７１の処理（図１９、図２１参照）、データ公開機２２の動作におけるステップＳ７６１の処理（図３３参照）で実行される。
【０４５８】
Ａタイプの暗証入力部４０は、１つの入力部が複数の暗証情報に対応可能に構成されているものである。また、Ａタイプの暗証入力部４０は、タイプＡ−１の場合や、タイプＡ−２でも入力部４１の数値を７セグメントＬＥＤ４２で表示するような場合、制御部は、各数値の表示部に、ランダムに、例えば、０〜９までの数値を割り当てる（ステップＳ８００）。ここで、制御部は、再プレー受付機１２、台間機３、４、６、データ公開機２２におけるそれぞれの制御部のことである。
【０４５９】
続いて、制御部は、例えば、暗証番号が４桁の場合には、１桁目の暗証番号に「ｉ＝３」を割り当てる（ステップＳ８０１）。
【０４６０】
続いて、制御部は、「ｉ」が「０」より小さいか否かを判定する（ステップＳ８０２）。
【０４６１】
ステップＳ８０２の判定で、「ｉ」が「０」より小さいと判定した場合（ステップＳ８０２のＹｅｓ）には、入力された番号と、予め登録された暗証番号とがすべて一致したと認定する。ここで、「ｉ」が「０」より小さいということは、４桁の数値のそれぞれがすべて予め登録された暗証番号と一致した状態であることを意味している。
【０４６２】
一方、ステップＳ８０２の判定で、「ｉ」が「０」以上であると判定した場合（ステップＳ８０２のＮｏ）には、制御部は、暗証入力検知部からの情報に基づいて、入力部４１や入力領域に遊技者が手などで接触したか否かを判定する（ステップＳ８０３）。なお、タイプＡ−２の場合には、入力部４１が押されたか否かを判定する。ここで、暗証入力検知部は、再プレー受付機１２、台間機３、４、６、データ公開機２２におけるそれぞれの暗証入力検知部のことである。
【０４６３】
ステップＳ８０３の判定で、接触していないと判定した場合（ステップＳ８０３のＮｏ）には、再びステップＳ８０３の処理を実行する。
【０４６４】
一方、ステップＳ８０３の判定で、接触したと判定した場合（ステップＳ８０３のＹｅｓ）において、タイプＡ−１を使用しているときには、接触した箇所に基づいて、接触した入力領域を特定し、押された数値を特定し、その特定された数値の中から、会員ＩＣカード３０または非会員ＩＣカード３１から読み出されたＩＤに基づいて、管理装置１３において特定される予め登録された暗証番号の「ｉ」番目（ステップＳ８０２で判定される「ｉ」と同じ「ｉ」）の数値と一致するものを選択する（ステップＳ８０４）。また、タイプＡ−２を使用しているときにも同様に、押された入力部４１を特定し、押された数値を特定し、その特定された数値の中から、会員ＩＣカード３０または非会員ＩＣカード３１から読み出されたＩＤに基づいて、管理装置１３において特定される予め登録された暗証番号の「ｉ」番目（ステップＳ８０２で判定される「ｉ」と同じ「ｉ」）の数値と一致するものを選択する。
【０４６５】
ここで、タイプＡ−１、タイプＡ−２における押された数値の特定方法について説明する。
【０４６６】
（Ａ−１）タイプＡ−１の場合
タイプＡ−１の場合には、タッチパネル４５に設けられた押圧を検知する多数の検知部からの信号に基づいて、検知された領域を特定する。この特定方法として、例えば、タッチパネル４５の横方向をＸ、タッチパネル４５の縦方向をＹとすると、検知された領域において、Ｘの最小値をＸｍｉｎ、最大値をＸｍａｘ、Ｙの最小値をＹｍｉｎ、最大値をＹｍａｘとし、（Ｘｍｉｎ，Ｙｍｉｎ）、（Ｘｍｉｎ，Ｙｍａｘ）、（Ｘｍａｘ，Ｙｍｉｎ）、（Ｘｍａｘ，Ｙｍａｘ）の長方形状の領域を特定し、接触された領域を特定する。そして、その特定された領域が、図７に示す、領域Ｓ０〜領域Ｓ９、領域Ｙ１〜領域Ｙ１３、領域Ｔ１〜領域Ｔ４のどの入力領域であるのか、または、どの入力領域に多く含まれるのかを判定し、その入力領域を特定し、その特定された入力領域に設定された数値を特定する。したがって、特定される数値は、最大、領域Ｔ１〜領域Ｔ４が設定する４種となる。そして、特定された数値の中から、会員ＩＣカード３０または非会員ＩＣカード３１から読み出されたＩＤに基づいて、管理装置１３において特定される予め登録された暗証番号の「ｉ」番目（ステップＳ８０２で判定される「ｉ」と同じ「ｉ」）の数値と一致するものを選択する。
【０４６７】
ここで、暗証入力部４０がタッチパネルにおいては０〜９の１０個の入力領域に等分に分割し、１つの入力領域が１つの暗証情報に対応する入力領域のみを構成するタイプの場合、タッチパネル４５に設けられた押圧を検知する多数の検知部からの信号に基づいて、検知された領域を特定する。この特定方法として、例えば、タッチパネル４５の横方向をＸ、タッチパネル４５の縦方向をＹとすると、検知された領域において、Ｘの最小値をＸｍｉｎ、最大値をＸｍａｘ、Ｙの最小値をＹｍｉｎ、最大値をＹｍａｘとし、（Ｘｍｉｎ，Ｙｍｉｎ）、（Ｘｍｉｎ，Ｙｍａｘ）、（Ｘｍａｘ，Ｙｍｉｎ）、（Ｘｍａｘ，Ｙｍａｘ）の長方形状の領域を特定し、接触された領域を特定する。そして、その特定された領域が、複数の入力領域を同時に押圧した場合、記憶媒体に記憶された暗証情報を特定可能な情報（暗証情報自体、ＩＤ）を読み込み、暗証情報を特定可能な情報に基づいて暗証情報を特定し、同時に押圧した場合に検知される複数の暗証情報のうち一致するものを選択するようにしてもよい。
【０４６８】
（Ａ−２）タイプＡ−２の場合
タイプＡ−２の場合には、図３〜図５に示すように、５種の入力部４１のいずれが押されたかを検知し、押された入力部４１の数値を特定する。そして、特定された数値の中から、会員ＩＣカード３０または非会員ＩＣカード３１から読み出されたＩＤに基づいて、管理装置１３において特定される予め登録された暗証番号の「ｉ」番目（ステップＳ８０２で判定される「ｉ」と同じ「ｉ」）の数値と一致するものを選択する。
【０４６９】
続いて、制御部は、ステップＳ８０４の処理に基づいて、特定された数値の中に、会員ＩＣカード３０または非会員ＩＣカード３１から読み出されたＩＤに基づいて、管理装置１３において特定される予め登録された暗証番号の「ｉ」番目（ステップＳ８０２で判定される「ｉ」と同じ「ｉ」）の数値と一致するものがあるか否かを判定する（ステップＳ８０５）。
【０４７０】
ステップＳ８０５の判定で、一致するものがないと判定した場合（ステップＳ８０５のＮｏ）には、入力された番号と、予め登録された暗証番号とは一致しないと認定する。
【０４７１】
一方、ステップＳ８０５の判定で、一致するものがあると判定した場合（ステップＳ８０５のＹｅｓ）には、表示部に示された、入力した暗証番号の個数を示すために表示される８マーク（暗証番号の４桁に対応して表示される８８８８）を追加表示する（ステップＳ８０６）。ここで、表示部は、再プレー受付機１２、台間機３、４、６、データ公開機２２におけるそれぞれの表示部のことである。
【０４７２】
続いて、制御部は、「ｉ」から１を減じて、「ｉ」を更新する（ステップＳ８０７）。
【０４７３】
続いて、更新された「ｉ」についてステップＳ８０２からの処理を実行する。
【０４７４】
（Ｂタイプの暗証入力処理）
次に、Ｂタイプの暗証入力処理について、図３５を参照して説明する。図３５は、Ｂタイプの暗証入力処理の動作の流れを示す図である。
【０４７５】
このＢタイプの暗証入力処理は、Ｂタイプの暗証入力部４０から暗証情報、つまり暗証番号が入力されたときの入力処理である。このＢタイプの暗証入力処理は、前述した、発行機２０の動作におけるステップＳ１２１の処理（図９参照）、台間機３、４、６の動作におけるステップＳ３１５の処理（図１９参照）、景品管理機（ＰＯＳ）１１の動作におけるステップＳ６１７の処理（図２７参照）で実行される。
【０４７６】
Ｂタイプの暗証入力部４０は、１つの入力部が１つの暗証情報に対応可能に構成されているものである。また、Ｂタイプの暗証入力部４０は、領域Ｓ０〜領域Ｓ９のみを選択可能領域とし、他の領域である領域Ｙ１〜領域Ｙ１３、領域Ｔ１〜領域Ｔ４が選択された場合には、選択数値なし、つまり無効とすることで、１つの入力領域が１つの暗証情報に対応した入力領域のみを構成することができる。また、タイプＢ−１の場合には、制御部は、領域Ｓ０〜領域Ｓ９の各数値の表示部に、ランダムに、例えば、０〜９までの数値を割り当てる（ステップＳ８２０）。ここで、制御部は、発行機２０、台間機３、４、６、景品管理機（ＰＯＳ）１１におけるそれぞれの制御部のことである。
【０４７７】
続いて、制御部は、例えば、暗証番号が４桁の場合には、１桁目の暗証番号に「ｉ＝３」を割り当てる（ステップＳ８２１）。
【０４７８】
続いて、制御部は、「ｉ」が「０」より小さいか否かを判定する（ステップＳ８２２）。
【０４７９】
ステップＳ８２２の判定で、「ｉ」が「０」より小さいと判定した場合（ステップＳ８２２のＹｅｓ）には、４桁の入力が完了したことになるので、リターンしてスタートに戻る。
【０４８０】
一方、ステップＳ８２２の判定で、「ｉ」が「０」以上であると判定した場合（ステップＳ８２２のＮｏ）には、制御部は、暗証入力検知部からの情報に基づいて、入力部や入力領域に遊技者が手などで接触したか否かを判定する（ステップＳ８２３）。なお、タイプＢ−２の場合には、入力部が押されたか否かを判定する。ここで、暗証入力検知部は、発行機２０、台間機３、４、６、景品管理機（ＰＯＳ）１１におけるそれぞれの暗証入力検知部のことである。
【０４８１】
ステップＳ８２３の判定で、接触していないと判定した場合（ステップＳ８２３のＮｏ）には、再びステップＳ８２３の処理を実行する。
【０４８２】
一方、ステップＳ８２３の判定で、接触したと判定した場合（ステップＳ８２３のＹｅｓ）において、タイプＢ−１を使用しているときには、接触した箇所に基づいて、接触した入力領域を特定し、その領域が領域Ｓ０〜領域Ｓ９に対応する領域であれば、選択数値ありとする（ステップＳ８２４）。また、他の領域である領域Ｙ１〜領域Ｙ１３、領域Ｔ１〜領域Ｔ４が選択された場合には、選択数値なし、つまり無効とする。タイプＢ−２を使用しているときには、押されたテンキー（入力部）を特定し、それに対応する数値を選択数値とする。        
【０４８３】
ここで、タイプＢ−１における押された数値の特定方法は、上記した（Ａ−１）タイプＡ−１の場合で説明した特定方法を同じである。また、タイプＢ−２の場合には、上記したように、押されたテンキーで選択された数値は特定される。
【０４８４】
続いて、制御部は、ステップＳ８２４の処理に基づいて、選択数値があるか否かを判定する（ステップＳ８２５）。
【０４８５】
ステップＳ８２５の判定で、選択数値がないと判定した場合（ステップＳ８２５のＮｏ）には、ステップＳ８２３の処理を実行する。
【０４８６】
一方、ステップＳ８２５の判定で、選択数値があると判定した場合（ステップＳ８２５のＹｅｓ）には、表示部に示された、入力した暗証番号の個数を示すために表示される８マーク（暗証番号の４桁に対応して表示される８８８８）を追加表示する（ステップＳ８２６）。ここで、表示部は、発行機２０、台間機３、４、６、景品管理機（ＰＯＳ）１１におけるそれぞれの表示部のことである。
【０４８７】
続いて、制御部は、「ｉ」から１を減じて、「ｉ」を更新する（ステップＳ８２７）。
【０４８８】
続いて、更新された「ｉ」についてステップＳ８２２からの処理を実行する。
【０４８９】
（Ｂタイプの暗証認証処理）
次に、Ｂタイプの暗証認証処理について、図３６を参照して説明する。図３６は、Ｂタイプの暗証認証処理の動作の流れを示す図である。
【０４９０】
このＢタイプの暗証認証処理は、Ｂタイプの暗証入力部４０から暗証情報、つまり暗証番号が入力されたときの認証処理である。このＢタイプの暗証認証処理は、前述した、計数機９の動作におけるステップＳ５１１の処理（図２４参照）、景品管理機（ＰＯＳ）１１の動作におけるステップＳ６１４の処理（図２７参照）、精算機１０の動作におけるステップＳ７１６の処理（図３０参照）で実行される。
【０４９１】
Ｂタイプの暗証入力部４０は、１つの入力部が１つの暗証情報に対応可能に構成されているものである。また、Ｂタイプの暗証入力部４０は、領域Ｓ０〜領域Ｓ９のみを選択可能領域とし、他の領域である領域Ｙ１〜領域Ｙ１３、領域Ｔ１〜領域Ｔ４が選択された場合には、選択数値なし、つまり無効とすることで、１つの入力領域が１つの暗証情報に対応した入力領域のみを構成することができる。また、タイプＢ−１の場合には、制御部は、領域Ｓ０〜領域Ｓ９の各数値の表示部に、ランダムに、例えば、０〜９までの数値を割り当てる（ステップＳ８４０）。ここで、制御部は、計数機９、景品管理機（ＰＯＳ）１１、精算機１０におけるそれぞれの制御部のことである。
【０４９２】
続いて、制御部は、例えば、暗証番号が４桁の場合には、１桁目の暗証番号に「ｉ＝３」を割り当てる（ステップＳ８４１）。
【０４９３】
続いて、制御部は、「ｉ」が「０」より小さいか否かを判定する（ステップＳ８４２）。
【０４９４】
ステップＳ８４２の判定で、「ｉ」が「０」より小さいと判定した場合（ステップＳ８４２のＹｅｓ）には、入力された番号と、予め登録された暗証番号とがすべて一致したと認定する。ここで、「ｉ」が「０」より小さいということは、４桁の数値のそれぞれがすべて予め登録された暗証番号と一致した状態であることを意味している。
【０４９５】
一方、ステップＳ８４２の判定で、「ｉ」が「０」以上であると判定した場合（ステップＳ８４２のＮｏ）には、制御部は、暗証入力検知部からの情報に基づいて、入力部や入力領域に遊技者が手などで接触したか否かを判定する（ステップＳ８４３）。なお、タイプＢ−２の場合には、入力部が押されたか否かを判定する。ここで、暗証入力検知部は、計数機９、景品管理機（ＰＯＳ）１１、精算機１０におけるそれぞれの暗証入力検知部のことである。
【０４９６】
ステップＳ８４３の判定で、接触していないと判定した場合（ステップＳ８４３のＮｏ）には、再びステップＳ８４３の処理を実行する。
【０４９７】
一方、ステップＳ８４３の判定で、接触したと判定した場合（ステップＳ８４３のＹｅｓ）において、タイプＢ−１を使用しているときには、接触した箇所に基づいて、接触した入力領域を特定し、その領域が領域Ｓ０〜領域Ｓ９に対応する領域であれば選択数値とし、「ＦＬＧＴ＝１」とする（ステップＳ８４４）。また、他の領域である領域Ｙ１〜領域Ｙ１３、領域Ｔ１〜領域Ｔ４が選択された場合には、選択数値なし、つまり無効とし、「ＦＬＧＴ＝０」とする（ステップＳ８４４）。タイプＢ−２の場合には、押されたテンキー（入力部）を特定し、それに対応する数値を選択数値とする。
【０４９８】
ここで、タイプＢ−１における押された数値の特定方法は、上記した（Ａ−１）タイプＡ−１の場合で説明した特定方法を同じである。また、タイプＢ−２の場合には、上記したように、押されたテンキーで選択された数値は特定される。
【０４９９】
続いて、制御部は、「ＦＬＧＴ」の値を判定する（ステップＳ８４５）。
【０５００】
ステップＳ８４５の判定で、「ＦＬＧＴ」の値を「０」と判定した場合（ステップＳ８４５の「＝０」）には、ステップＳ８４３の処理を実行する。
【０５０１】
一方、ステップＳ８４５の判定で、「ＦＬＧＴ」の値を「１」と判定した場合（ステップＳ８４５の「＝１」）には、続いて、制御部は、ステップＳ８４４の処理に基づいて、特定された選択数値が、会員ＩＣカード３０または非会員ＩＣカード３１から読み出されたＩＤにより管理装置１３において特定される予め登録された暗証番号の「ｉ」番目（ステップＳ８４２で判定される「ｉ」と同じ「ｉ」）の数値と一致するか否かを判定する（ステップＳ８４６）。
【０５０２】
ステップＳ８４６の判定で、一致しないと判定した場合（ステップＳ８４６のＮｏ）には、入力された番号と、予め登録された暗証番号とが一致しないと認定される。
【０５０３】
一方、ステップＳ８４６の判定で、一致すると判定した場合（ステップＳ８４６のＹｅｓ）には、表示部に示された、入力した暗証番号の個数を示すために表示される８マーク（暗証番号の４桁に対応して表示される８８８８）を追加表示する（ステップＳ８４７）。ここで、表示部は、計数機９、景品管理機（ＰＯＳ）１１、精算機１０におけるそれぞれの表示部のことである。
【０５０４】
続いて、制御部は、「ｉ」から１を減じて、「ｉ」を更新する（ステップＳ８４８）。続いて、更新された「ｉ」についてステップＳ８４２からの処理を実行する。
【０５０５】
（管理装置１３）
図３７は、管理装置１３の構成部を示す図、図３８は、管理装置１３における動作の流れを示す図である。
【０５０６】
図１に示されているように、管理装置１３は、複数のパチンコ機２、複数のパチンコ機２のそれぞれに接続された台間機３、４、複数のスロットマシーン５、スロットマシーン５のそれぞれに接続された台間機６と島コンピュータ７およびネットワーク８を介して接続されている。また、管理装置１３は、計数機９、精算機１０、景品管理機（ＰＯＳ）１１、再プレー受付機１２、発行機２０、データ表示機２１、データ公開機２２などともネットワーク８を介して接続されている。
【０５０７】
さらに、ネットワーク８を介して管理装置１３に入力された情報は、プロトコルコンバータ１４、モデム１５を介してカードセンタ１６に送信される。また、管理装置１３は、例えば、パーソナルコンピュータ１７などとも接続され、パーソナルコンピュータ１７で管理装置１３の情報を見ることができる。また、パーソナルコンピュータ１７は、管理装置１３で管理している各情報にアクセスことができるので、各情報の表示や印刷をすることができる。さらに、パーソナルコンピュータ１７では、例えば、再プレー手数料の設定などの管理装置１３の種々の設定や会員登録などを行うこともできる。
【０５０８】
管理装置１３は、台間機３、４、６、計数機９、精算機１０、景品管理機（ＰＯＳ）１１、再プレー受付機１２、発行機２０、データ表示機２１、データ公開機２２などの機器からの情報を管理するものである。前述した各機器毎の管理装置１３との情報の通信に基づいて、管理装置１３には後述するような様々な情報が記憶されている。
【０５０９】
また、管理装置１３は、各遊技機における、例えば、スランプグラフ、スタート回数、大当たり回数などの情報を各遊技機の上部に取り付けられたデータ表示機２１に出力することもできる。データ表示機２１では、こられの情報を表示部に表示して、遊技台の情報を遊技者に提供する。
【０５１０】
さらに、管理装置１３は、例えば、各遊技機におけるスランプグラフ、スタート回数、大当たり回数などの情報、遊技台ランキング、遊技台毎の勝敗などの情報をデータ公開機２２に出力することもできる。データ公開機２２では、こられの情報を表示部に表示して、遊技台の情報を遊技者に提供する。
【０５１１】
図３７に示すように、管理装置１３は、制御部９００、会員カード情報管理部９０１、非会員カード情報管理部９０２、出力処理部９０３から構成されている。
【０５１２】
制御部９００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部９００では、会員カード情報管理部９０１、非会員カード情報管理部９０２、出力処理部９０３の各機部間の信号の出入力、および、ネットワーク８を介して各機器との間の信号の出入力を制御している。また、制御部９００は、管理装置１３とネットワーク８を介して各機器の制御部と通信できるように接続されている。
【０５１３】
なお、ここで管理装置１３は役割分担した同一ネットワーク上の複数のコンピュータシステムで構成することもできる。例えば、カード管理用、顧客管理用、遊技台管理用、データ表示機管理用などの複数のコンピュータシステムを用いれば、それだけ各役割を高速に実行することができる。
【０５１４】
会員カード情報管理部９０１は、各機器に会員用ＩＣカード３０が用いられたときの情報を管理するものである。図３９には、ＩＤ毎に管理された情報の情報管理一覧表９５０の一例を示す。図３９に示された情報管理一覧表９５０は、管理装置１３に接続された、例えば、パーソナルコンピュータ１７などで見ることができる。
【０５１５】
会員用ＩＣカード３０が用いられた場合には、会員用ＩＣカード３０のＩＤに基づき、情報管理一覧表９５０に記載されているような、例えば、貯玉数、度数残高、再プレー用貯玉数、ポイント、台間機または発行機に挿入した金額、精算金額、暗証番号などを管理している。これらのデータは、会員用ＩＣカード３０のＩＤ毎に管理され、さらに、履歴情報、日毎情報、週毎情報などとしても管理されている。なお、図３９に示された情報管理一覧表９５０は、日毎情報の一例である。
【０５１６】
なお、会員用ＩＣカード３０を用いた会員の遊技者用の管理項目は、図３９の情報管理一覧表９５０に記載された管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０５１７】
非会員カード情報管理部９０２は、各機器に非会員用ＩＣカード３１が用いられたときの情報を管理するものである。図４０には、ＩＤ毎に管理された情報の情報管理一覧表９５１の一例を示す。図４０に示された情報管理一覧表９５１は、管理装置１３に接続された、例えば、パーソナルコンピュータ１７などで見ることができる。
【０５１８】
非会員用ＩＣカード３１が用いられた場合には、非会員用ＩＣカード３１のＩＤに基づき、情報管理一覧表９５１に記載されているような、例えば、度数残高、台間機または発行機に挿入した金額、精算金額、暗証番号などを管理している。これらのデータは、非会員用ＩＣカード３１のＩＤ毎に管理される。非会員用ＩＣカード３１を用いる場合には、度数残高を保持できる期間が、例えば、１日などのように限られている。そのため、その期間内でなければ、精算機１０で度数残高を精算し、現金化することができない。
【０５１９】
非会員用ＩＣカード３１が用いられた場合には、度数残高を保持できる期間に対応した情報が管理されている。図４０に示された情報管理一覧表９５１は、その管理期間における情報の一例である。なお、レシート発券時の簡易管理ＩＤおよび玉数（計数機９で計数されたもの）の情報は、偽造されたレシートが使用されるのを防ぐために、一時的に管理されている。したがって、景品管理機（ＰＯＳ）１１における景品交換時において、レシートの適正を確認した後には、簡易管理ＩＤおよび玉数の情報は、管理装置１３から消去される。
【０５２０】
ここで、非会員用ＩＣカード３１が用いられた場合には、アウト（発射玉）、セーフ（遊技の上皿への供給玉、つまり遊技者の獲得玉）、勝敗（セーフからアウトを減じたもの）、貯玉数、再プレー用貯玉数、再プレー手数料、ポイント、遊技台種別、大当たり回数、ＣＲ機売上などの情報が含まれない点で、会員用ＩＣカード３０のを用いた場合の情報とは異なる。
【０５２１】
出力処理部９０３は、カードセンタ１６に送信する、例えば、一日の営業結果などの情報を、会員カード情報管理部９０１および非会員カード情報管理部９０２に管理されているデータに基づいて管理している。例えば、パーソナルコンピュータ１７などから終業処理の信号が管理装置１３に入力されると、カードセンタ１６に送信する情報を制御部５００を介してプロトコルコンバータ１４に出力する。プロトコルコンバータ１４に出力された情報は、モデム１５を介してカードセンタ１６に送信される。
【０５２２】
そして、制御部９００によって制御される、会員カード情報管理部９０１、非会員カード情報管理部９０２、出力処理部９０３の各機器部は、次のように動作する（図３８）。なお、ここでは、管理装置１３に入力された情報の管理動作について主に説明する。
【０５２３】
以下に、図３８を参照してその動作を説明する。
【０５２４】
管理装置１３の制御部９００に、発行機２０、再プレー受付機１２、台間機３、４、６、計数機９、景品管理機（ＰＯＳ）１１、精算機１０、データ公開機２２などからの情報が入力される（ステップＳ９１０）。
【０５２５】
制御部９００は、ステップＳ９１０で入力された情報に基づいて、会員用ＩＣカード３０のを用いた場合の情報か否かを判定する（ステップＳ９１１）。
【０５２６】
ステップＳ９１１の判定で、会員用ＩＣカード３０のを用いた場合の情報であると判定した場合（ステップＳ９１１のＹｅｓ）には、入力された情報は、会員カード情報管理部９０１に出力される（ステップＳ９１２）。会員カード情報管理部９０１では、その入力された情報に基づいて、例えば、図３９に示すように、ＩＤおよび項目毎に入力情報が管理される（ステップＳ９１２）。
【０５２７】
ステップＳ９１１の判定で、会員用ＩＣカード３０のを用いた場合の情報でないと判定した場合（ステップＳ９１１のＮｏ）には、入力された情報は、非会員カード情報管理部９０２に出力される（ステップＳ９１３）。非会員カード情報管理部９０２では、その入力された情報に基づいて、例えば、図４０に示すように、ＩＤおよび項目毎に入力情報を管理する（ステップＳ９１３）。
【０５２８】
続いて、制御部９００は、出力処理部９０３からの情報に基づいて、パーソナルコンピュータ１７などから終業処理信号が管理装置１３に入力されたか否かを判定する（ステップＳ９１４）。
【０５２９】
ステップＳ９１４の判定で、終業処理信号が管理装置１３に入力されていないと判定した場合（ステップＳ９１４のＮｏ）には、リターンしてスタートに戻る。
【０５３０】
一方、ステップＳ９１４の判定で、終業処理信号が管理装置１３に入力されたと判定した場合（ステップＳ９１４のＹｅｓ）には、出力処理部９０３から、例えば、会員カード情報管理部９０１および非会員カード情報管理部９０２で管理されているデータに基づいて集計された一日の営業結果などの情報が、制御部９００、プロトコルコンバータ１４およびモデム１５を介してカードセンタ１６に送信される（ステップＳ９１５）。
【０５３１】
続いて、制御部９００は、出力処理部９０３からの情報に基づいて、パーソナルコンピュータ１７などからデータ送信要求信号が管理装置１３に入力されたか否かを判定する（ステップＳ９１６）。
【０５３２】
ステップＳ９１６の判定で、データ送信要求信号が管理装置１３に入力されていないと判定した場合（ステップＳ９１６のＮｏ）には、リターンしてスタートに戻る。
【０５３３】
一方、ステップＳ９１６の判定で、データ送信要求信号が管理装置１３に入力されたと判定した場合（ステップＳ９１６のＹｅｓ）には、会員カード情報管理部９０１および非会員カード情報管理部９０２に管理されているデータに基づいて、例えば、図３９または図４０に示すようなデータを、パーソナルコンピュータ１７などに出力する（ステップＳ９１７）。そして、会員カード情報管理部９０１および非会員カード情報管理部９０２に管理されているデータに基づいて、出力されたデータは、パーソナルコンピュータ１７の画面に表示される。
【０５３４】
また、管理装置１３では、例えば、非会員用ＩＣカード３１における度数残高の有効期限の切れた情報をＩＤ毎に判定し、有効期限が切れた度数残高の情報を有する場合には、その情報を削除する（ステップＳ９１８）。
【０５３５】
続いて、管理装置１３は、始業処理を実行する（ステップＳ９１９）。ここで、始業処理は、パワーＯＮにて割り込み処理にて別途実施する。始業処理とは、上記した各機器との通信がネットワークを介して可能か否かどうか、および、各機器の自己診断機能により、各機器における故障の有無を確認する。この確認において、各機器との通信ができない場合や各機器で故障があると判断された場合には、店員に報知される。
【０５３６】
上記した本発明に係る暗証入力装置、暗証入力方法、暗証入力システム、台間機、データ公開機、計数機、景品払出機および精算機によれば、入力部または入力領域のうち、予め複数の暗証情報に対応する入力部または入力領域を備えた暗証入力部４０を備えることで、暗証番号の入力を他人に盗み見られても、他人は具体的な暗証番号を特定することができない。したがって、例えば、暗証入力装置において、暗証番号の入力を他人に盗み見られ、会員用ＩＣカード３０などが盗まれても、１つの入力部または入力領域に１つの暗証情報が設定された複数の入力部を備えた暗証入力部４０を備える、例えば、精算機などにおいて、具体的な暗証番号を入力しなければないらないので、例えば、その記憶媒体を用いて、度数などを現金として払い出させることなどの行為を行うことはできない。
【０５３７】
また、管理装置１３などに接続されたパーソナルコンピュータ１７などによって、管理装置１３で集計した各種情報や各機器から管理装置１３に出力される情報を一覧表などで随時確認することができるので、各遊技機毎や遊技ホール全体としての売上状況、各会員の遊技者の利用状況などを一括して把握することができる。
【０５３８】
ここでは、会員用ＩＣカード３０または非会員用ＩＣカード３１は、ＩＤだけを有し、その他の情報は管理装置１３において管理されるシステムを示したが、上記した実施の形態に何ら限定されるものではなく、構成、システムの制御等は本発明の技術的思想の範囲で拡張、変更することができる。
【０５３９】
また、本発明の実施の形態では、会員用および非会員用にＩＣカードを用いた一例を示したが、会員用および非会員用のどちらか少なくとも１方にＩＣコインを用いることもできる。
【図面の簡単な説明】
【０５４０】
【図１】本発明の一実施の形態の暗証入力システムの概要図。
【図２】会員用ＩＣカードおよび非会員用ＩＣカードの斜視図。
【図３】暗証入力装置における暗証入力部４０の平面図。
【図４】暗証入力装置における暗証入力部４０の平面図。
【図５】暗証入力装置における暗証入力部４０の平面図。
【図６】暗証入力装置における暗証入力部４０の平面図。
【図７】発行機を正面から見た平面図。
【図８】発行機の構成部を示す図。
【図９】発行機における動作の流れを示す図。
【図１０】再プレー受付機を正面から見た平面図。
【図１１】再プレー受付機の構成部を示す図。
【図１２】再プレー受付機における動作の流れを示す図。
【図１３】台間機（ユニット）の平面図。
【図１４】台間機（サンド）の平面図。
【図１５】台間機（台間メダル貸し機）の平面図。
【図１６】台間機の表示部の一部拡大正面図。
【図１７】台間機の内部構成図。
【図１８】台間機の構成部を示す図。
【図１９】台間機における動作の流れを示す図。
【図２０】台間機における動作の流れを示す図。
【図２１】台間機における動作の流れを示す図。
【図２２】計数機の外観を示す斜視図。
【図２３】計数機の構成部を示す図。
【図２４】計数機における動作の流れを示す図。
【図２５】景品管理機（ＰＯＳ）の外観を示す平面図。
【図２６】景品管理機（ＰＯＳ）の構成部を示す図。
【図２７】景品管理機（ＰＯＳ）における動作の流れを示す図。
【図２８】精算機を正面から見た平面図。
【図２９】精算機の構成部を示す図。
【図３０】精算機における動作の流れを示す図。
【図３１】データ公開機を正面から見た平面図。
【図３２】データ公開機の構成部を示す図。
【図３３】データ公開機における動作の流れを示す図。
【図３４】Ａタイプの暗証認証処理の動作の流れを示す図。
【図３５】Ｂタイプの暗証入力処理の動作の流れを示す図。。
【図３６】Ｂタイプの暗証認証処理の動作の流れを示す図。
【図３７】管理装置の構成部を示す図。
【図３８】管理装置における動作の流れを示す図。
【図３９】会員ＩＣカードが用いられた場合の情報管理一覧表の一例を示す図。
【図４０】非会員ＩＣカードが用いられた場合の情報管理一覧表の一例を示す図。
【符号の説明】
【０５４１】
１…暗証入力システム、２…パチンコ機、３、４、６…台間機、５…スロットマシーン、７…島コンピュータ、８…ネットワーク、９…計数機、１０…精算機、１１…景品管理機（ＰＯＳ）、１２…再プレー受付機、１３…管理装置、１４…プロトコルコンバータ、１５…モデム、１６…カードセンタ、１７…パーソナルコンピュータ、１８…景品払出機、１９…貯留機構付き紙幣識別装置、２０…発行機、２１…データ表示機、２２…データ公開機。
【図１】
2007065930.tif 000003
【図２】
2007065930.tif 000004
【図３】
2007065930.tif 000005
【図４】
2007065930.tif 000006
【図５】
2007065930.tif 000007
【図６】
2007065930.tif 000008
【図７】
2007065930.tif 000009
【図８】
2007065930.tif 000010
【図９】
2007065930.tif 000011
【図１０】
2007065930.tif 000012
【図１１】
2007065930.tif 000013
【図１２】
2007065930.tif 000014
【図１３】
2007065930.tif 000015
【図１４】
2007065930.tif 000016
【図１５】
2007065930.tif 000017
【図１６】
2007065930.tif 000018
【図１７】
2007065930.tif 000019
【図１８】
2007065930.tif 000020
【図１９】
2007065930.tif 000021
【図２０】
2007065930.tif 000022
【図２１】
2007065930.tif 000023
【図２２】
2007065930.tif 000024
【図２３】
2007065930.tif 000025
【図２４】
2007065930.tif 000026
【図２５】
2007065930.tif 000027
【図２６】
2007065930.tif 000028
【図２７】
2007065930.tif 000029
【図２８】
2007065930.tif 000030
【図２９】
2007065930.tif 000031
【図３０】
2007065930.tif 000032
【図３１】
2007065930.tif 000033
【図３２】
2007065930.tif 000034
【図３３】
2007065930.tif 000035
【図３４】
2007065930.tif 000036
【図３５】
2007065930.tif 000037
【図３６】
2007065930.tif 000038
【図３７】
2007065930.tif 000039
【図３８】
2007065930.tif 000040
【図３９】
2007065930.tif 000041
【図４０】
2007065930.tif 000042